(57)【特許請求の範囲】
【請求項１】
ブロードキャスト／マルチキャストサービスセンタ（ＢＭ‐ＳＣ）の同期ソース情報をグループ通信サービスアプリケーションサーバ（ＧＣＳ  ＡＳ）によって取得する段階と、
前記ＢＭ‐ＳＣの前記同期ソース情報又は前記ＢＭ‐ＳＣの同期ソース参照情報と、前記ＧＣＳ  ＡＳの同期ソース情報を含むリアルタイムトランスポートプロトコル（ＲＴＰ）パケットとを前記ＧＣＳ  ＡＳによってユーザ機器（ＵＥ）に提供する段階とを備え、
前記ＢＭ‐ＳＣの前記同期ソース参照情報は、前記ＢＭ‐ＳＣの前記同期ソース情報及び前記ＧＣＳ  ＡＳの前記同期ソース情報に従って決定される情報であり、
前記ＢＭ‐ＳＣの前記同期ソース情報は、前記ＢＭ‐ＳＣの同期ソース（ＳＳＲＣ）識別子、前記ＢＭ‐ＳＣによって送信されるＲＴＰパケットのシーケンス番号ＳＮ１０、及び前記ＢＭ‐ＳＣのタイムスタンプを含み、
前記ＧＣＳ  ＡＳの前記同期ソース情報は、前記ＧＣＳ  ＡＳのＳＳＲＣ識別子、前記ＧＣＳ  ＡＳによって送信されるＲＴＰパケットのシーケンス番号ＳＮ２０、及び前記ＧＣＳ  ＡＳのタイムスタンプを含み、
前記ＢＭ‐ＳＣの前記同期ソース参照情報と、前記ＧＣＳ  ＡＳの前記同期ソース情報を含む前記ＲＴＰパケットとを前記ＧＣＳ  ＡＳによって前記ＵＥに提供する前記段階は、
前記ＢＭ‐ＳＣの前記同期ソース情報及び前記ＧＣＳ  ＡＳの前記同期ソース情報に従ってＲＴＰパケットシーケンス番号参照情報及びタイムスタンプ参照情報を前記ＧＣＳ  ＡＳによって決定する段階であって、前記ＲＴＰパケットシーケンス番号参照情報は、前記ＢＭ‐ＳＣによって送信される前記ＲＴＰパケットの前記シーケンス番号ＳＮ１０と、前記ＧＣＳ  ＡＳによって送信される前記ＲＴＰパケットの前記シーケンス番号ＳＮ２０との差であり、前記タイムスタンプ参照情報は、前記ＢＭ‐ＳＣの前記タイムスタンプと前記ＧＣＳ  ＡＳの前記タイムスタンプとの差である、段階と、
前記ＢＭ‐ＳＣの前記ＳＳＲＣを含む、前記ＢＭ‐ＳＣの前記同期ソース参照情報と、前記ＲＴＰパケットシーケンス番号参照情報と、前記タイムスタンプ参照情報とを前記ＧＣＳ  ＡＳによって取得する段階とを含む、
ＲＴＰパケット伝送方法。
【請求項２】
前記ＢＭ‐ＳＣの前記同期ソース情報又は前記ＢＭ‐ＳＣの同期ソース参照情報と、前記ＧＣＳ  ＡＳの同期ソース情報を含むＲＴＰパケットとを前記ＧＣＳ  ＡＳによってＵＥに提供する前記段階は、
前記ＢＭ‐ＳＣの前記同期ソース参照情報と、前記ＧＣＳ  ＡＳの前記同期ソース情報を含む前記ＲＴＰパケットとを前記ＧＣＳ  ＡＳによって前記ＵＥに提供する段階を有する、請求項１に記載のＲＴＰパケット伝送方法。
【請求項３】
ＢＭ‐ＳＣの同期ソース情報をＧＣＳ  ＡＳによって取得する前記段階は、
前記ＢＭ‐ＳＣによって送信されるアクティブなマルチメディアブロードキャストマルチキャストサービス（ＭＢＭＳ）状態指示情報であって、前記ＢＭ‐ＳＣの前記同期ソース情報を含むアクティブなＭＢＭＳ状態指示情報を前記ＧＣＳ  ＡＳによって受信し、前記アクティブなＭＢＭＳ状態指示情報から前記ＢＭ‐ＳＣの前記同期ソース情報を取得する段階、又は、
前記ＢＭ‐ＳＣによって送信される前記ＢＭ‐ＳＣの前記同期ソース情報を前記ＧＣＳ  ＡＳによって受信する段階、又は、
前記ＢＭ‐ＳＣによって送信される、前記ＢＭ‐ＳＣの前記同期ソース情報を含むＲＴＰ制御プロトコル（ＲＴＣＰ）パケットを前記ＧＣＳ  ＡＳによって受信し、前記ＲＴＣＰパケットから前記ＢＭ‐ＳＣの前記同期ソース情報を取得する段階を有する、請求項１又は２に記載のＲＴＰパケット伝送方法。
【請求項４】
ブロードキャスト／マルチキャストサービスセンタ（ＢＭ‐ＳＣ）の同期ソース情報をグループ通信サービスアプリケーションサーバ（ＧＣＳ  ＡＳ）によって取得する段階と、
前記ＢＭ‐ＳＣの前記同期ソース情報又は前記ＢＭ‐ＳＣの同期ソース参照情報と、前記ＧＣＳ  ＡＳの同期ソース情報を含むリアルタイムトランスポートプロトコル（ＲＴＰ）パケットとを前記ＧＣＳ  ＡＳによってユーザ機器（ＵＥ）に提供する段階とを備え、
前記ＢＭ‐ＳＣの前記同期ソース参照情報は、前記ＢＭ‐ＳＣの前記同期ソース情報及び前記ＧＣＳ  ＡＳの前記同期ソース情報に従って決定される情報であり、
前記ＢＭ‐ＳＣの前記同期ソース情報又は前記ＢＭ‐ＳＣの同期ソース参照情報と、前記ＧＣＳ  ＡＳの同期ソース情報を含むＲＴＰパケットとを前記ＧＣＳ  ＡＳによってＵＥに提供する前記段階は、
セッション開始プロトコル（ＳＩＰ）手順を使用することによってＳＩＰ情報を前記ＧＣＳ  ＡＳによって前記ＵＥに送信する段階であって、前記ＳＩＰ情報は、前記ＢＭ‐ＳＣの前記同期ソース情報又は前記ＢＭ‐ＳＣの前記同期ソース参照情報を含む、段階を有する、ＲＴＰパケット伝送方法。
【請求項５】
ブロードキャスト／マルチキャストサービスセンタ（ＢＭ‐ＳＣ）の同期ソース情報をグループ通信サービスアプリケーションサーバ（ＧＣＳ  ＡＳ）によって取得する段階と、
前記ＢＭ‐ＳＣの前記同期ソース情報又は前記ＢＭ‐ＳＣの同期ソース参照情報と、前記ＧＣＳ  ＡＳの同期ソース情報を含むリアルタイムトランスポートプロトコル（ＲＴＰ）パケットとを前記ＧＣＳ  ＡＳによってユーザ機器（ＵＥ）に提供する段階とを備え、
前記ＢＭ‐ＳＣの前記同期ソース参照情報は、前記ＢＭ‐ＳＣの前記同期ソース情報及び前記ＧＣＳ  ＡＳの前記同期ソース情報に従って決定される情報であり、
前記ＢＭ‐ＳＣの前記同期ソース情報又は前記ＢＭ‐ＳＣの同期ソース参照情報と、前記ＧＣＳ  ＡＳの同期ソース情報を含むＲＴＰパケットとを前記ＧＣＳ  ＡＳによってＵＥに提供する前記段階は、
前記ＲＴＰパケットを前記ＧＣＳ  ＡＳによって前記ＵＥに送信する段階であって、前記ＲＴＰパケットのパケットヘッダ情報は、前記ＢＭ‐ＳＣの前記同期ソース情報又は前記ＢＭ‐ＳＣの前記同期ソース参照情報を含み、前記パケットヘッダ情報は更に前記ＧＣＳ  ＡＳの前記同期ソース情報を含む、段階を有する、ＲＴＰパケット伝送方法。
【請求項６】
グループ通信サービスアプリケーションサーバ（ＧＣＳ  ＡＳ）の同期ソース情報をブロードキャスト／マルチキャストサービスセンタ（ＢＭ‐ＳＣ）によって取得する段階と、
前記ＧＣＳ  ＡＳの前記同期ソース情報又は前記ＧＣＳ  ＡＳの同期ソース参照情報と、前記ＢＭ‐ＳＣの同期ソース情報を含むリアルタイムトランスポートプロトコル（ＲＴＰ）パケットとを前記ＢＭ‐ＳＣによってユーザ機器（ＵＥ）に提供する段階とを備え、
前記ＧＣＳ  ＡＳの前記同期ソース参照情報は、前記ＧＣＳ  ＡＳの前記同期ソース情報及び前記ＢＭ‐ＳＣの前記同期ソース情報に従って決定される情報であり、
前記ＢＭ‐ＳＣの前記同期ソース情報は、前記ＢＭ‐ＳＣの同期データソース（ＳＳＲＣ）識別子、前記ＢＭ‐ＳＣによって送信されるＲＴＰパケットのシーケンス番号ＳＮ１０、及び前記ＢＭ‐ＳＣのタイムスタンプを含み、
前記ＧＣＳ  ＡＳの前記同期ソース情報は、前記ＧＣＳ  ＡＳのＳＳＲＣ識別子、前記ＧＣＳ  ＡＳによって送信されるＲＴＰパケットのシーケンス番号ＳＮ２０、及び前記ＧＣＳ  ＡＳのタイムスタンプを含み、
前記ＧＣＳ  ＡＳの前記同期ソース参照情報と、前記ＢＭ‐ＳＣの前記同期ソース情報を含む前記ＲＴＰパケットとを前記ＢＭ‐ＳＣによって前記ＵＥに提供する前記段階は、
前記ＢＭ‐ＳＣの前記同期ソース情報及び前記ＧＣＳ  ＡＳの前記同期ソース情報に従ってＲＴＰパケットシーケンス番号参照情報及びタイムスタンプ参照情報を前記ＢＭ‐ＳＣによって決定する段階であって、前記ＲＴＰパケットシーケンス番号参照情報は、前記ＢＭ‐ＳＣによって送信される前記ＲＴＰパケットの前記シーケンス番号ＳＮ１０と、前記ＧＣＳ  ＡＳによって送信される前記ＲＴＰパケットの前記シーケンス番号ＳＮ２０との差であり、前記タイムスタンプ参照情報は、前記ＢＭ‐ＳＣの前記タイムスタンプと前記ＧＣＳ  ＡＳの前記タイムスタンプとの差である、段階と、
前記ＧＣＳ  ＡＳの前記ＳＳＲＣ識別子を含む、前記ＧＣＳ  ＡＳの前記同期ソース参照情報と、前記ＲＴＰパケットシーケンス番号参照情報と、前記タイムスタンプ参照情報とを前記ＢＭ‐ＳＣによって取得する段階とを含む、
ＲＴＰパケット伝送方法。
【請求項７】
前記ＧＣＳ  ＡＳの前記同期ソース情報又は前記ＧＣＳ  ＡＳの同期ソース参照情報と、前記ＢＭ‐ＳＣの同期ソース情報を含むＲＴＰパケットとを前記ＢＭ‐ＳＣによってＵＥに提供する前記段階は、
前記ＧＣＳ  ＡＳの前記同期ソース参照情報と、前記ＢＭ‐ＳＣの前記同期ソース情報を含む前記ＲＴＰパケットとを前記ＢＭ‐ＳＣによって前記ＵＥに提供し、これにより、前記ＵＥが、前記ＢＭ‐ＳＣの前記同期ソース情報及び前記ＧＣＳ  ＡＳの前記同期ソース参照情報に従って前記ＧＣＳ  ＡＳの前記同期ソース情報を取得し、前記ＢＭ‐ＳＣの前記同期ソース情報及び前記ＧＣＳ  ＡＳの前記同期ソース情報を前記ＵＥの信頼リストに保存する段階を有する、請求項６に記載のＲＴＰパケット伝送方法。
【請求項８】
ＧＣＳ  ＡＳの同期ソース情報をＢＭ‐ＳＣによって取得する前記段階は、
前記ＧＣＳ  ＡＳによって送信されるマルチメディアブロードキャストマルチキャストサービス（ＭＢＭＳ）ベアラ要求情報であって、前記ＧＣＳ  ＡＳの前記同期ソース情報を含むＭＢＭＳベアラ要求情報を前記ＢＭ‐ＳＣによって受信し、前記ＭＢＭＳベアラ要求情報から前記ＧＣＳ  ＡＳの前記同期ソース情報を取得する段階、又は、
前記ＧＣＳ  ＡＳによって送信される、前記ＧＣＳ  ＡＳの前記同期ソース情報を含むＲＴＰパケットを前記ＢＭ‐ＳＣによって受信し、前記ＧＣＳ  ＡＳの前記同期ソース情報を含む前記ＲＴＰパケットから前記ＧＣＳ  ＡＳの前記同期ソース情報を取得する段階を有する、請求項６又は７に記載のＲＴＰパケット伝送方法。
【請求項９】
前記ＧＣＳ  ＡＳの前記同期ソース情報又は前記ＧＣＳ  ＡＳの同期ソース参照情報と、前記ＢＭ‐ＳＣの同期ソース情報を含むＲＴＰパケットとを前記ＢＭ‐ＳＣによってＵＥに提供する前記段階は、
ユーザサービス記述（ＵＳＤ）パラメータを前記ＢＭ‐ＳＣによって前記ＵＥに送信する段階であって、前記ＵＳＤパラメータは、前記ＧＣＳ  ＡＳの前記同期ソース情報又は前記ＧＣＳ  ＡＳの前記同期ソース参照情報を含む、段階を有する、請求項８に記載のＲＴＰパケット伝送方法。
【請求項１０】
前記ＧＣＳ  ＡＳの前記同期ソース情報又は前記ＧＣＳ  ＡＳの同期ソース参照情報と、前記ＢＭ‐ＳＣの同期ソース情報を含むＲＴＰパケットとを前記ＢＭ‐ＳＣによってユーザ機器（ＵＥ）に提供する前記段階は、
前記ＲＴＰパケットを前記ＢＭ‐ＳＣによって前記ＵＥに送信する段階であって、前記ＲＴＰパケットのユーザデータ又はパケットヘッダ情報は、前記ＧＣＳ  ＡＳの前記同期ソース情報又は前記ＧＣＳ  ＡＳの前記同期ソース参照情報を含み、前記パケットヘッダ情報は更に前記ＢＭ‐ＳＣの前記同期ソース情報を含む、段階を有する、請求項８に記載のＲＴＰパケット伝送方法。
【請求項１１】
グループ通信サービスアプリケーションサーバ（ＧＣＳ  ＡＳ）の同期ソース情報をブロードキャスト／マルチキャストサービスセンタ（ＢＭ‐ＳＣ）によって取得する段階と、
前記ＧＣＳ  ＡＳの前記同期ソース情報又は前記ＧＣＳ  ＡＳの同期ソース参照情報と、前記ＢＭ‐ＳＣの同期ソース情報を含むリアルタイムトランスポートプロトコル（ＲＴＰ）パケットとを前記ＢＭ‐ＳＣによってユーザ機器（ＵＥ）に提供する段階とを備え、
前記ＧＣＳ  ＡＳの前記同期ソース参照情報は、前記ＧＣＳ  ＡＳの前記同期ソース情報及び前記ＢＭ‐ＳＣの前記同期ソース情報に従って決定される情報であり、
前記ＧＣＳ  ＡＳの前記同期ソース情報又は前記ＧＣＳ  ＡＳの同期ソース参照情報と、前記ＢＭ‐ＳＣの同期ソース情報を含むＲＴＰパケットとを前記ＢＭ‐ＳＣによってＵＥに提供する前記段階は、
ユーザサービス記述（ＵＳＤ）パラメータを前記ＢＭ‐ＳＣによって前記ＵＥに送信する段階であって、前記ＵＳＤパラメータは、前記ＧＣＳ  ＡＳの前記同期ソース情報又は前記ＧＣＳ  ＡＳの前記同期ソース参照情報を含む、段階を有し、
ユーザサービス記述ＵＳＤパラメータを前記ＢＭ‐ＳＣによって前記ＵＥに送信する前記段階は、
前記ＵＳＤパラメータを前記ＢＭ‐ＳＣによって前記ＧＣＳ  ＡＳに送信し、これにより、前記ＧＣＳ  ＡＳがユニキャスト伝送方式で前記ＵＳＤパラメータを前記ＵＥに送信する段階、又は、
前記ＵＳＤパラメータを前記ＢＭ‐ＳＣによって前記ＧＣＳ  ＡＳに送信し、これにより、前記ＧＣＳ  ＡＳがＳＩＰ手順を使用することによって前記ＵＳＤパラメータを前記ＵＥに送信する段階を含む、ＲＴＰパケット伝送方法。
【請求項１２】
第１ネットワーク側デバイスによって送信される第２ネットワーク側デバイスの同期ソース情報、又は第１ネットワーク側デバイスによって送信される第２ネットワーク側デバイスの同期ソース参照情報と、前記第１ネットワーク側デバイスによって送信される、前記第１ネットワーク側デバイスの同期ソース情報を含むリアルタイムトランスポートプロトコル（ＲＴＰ）パケットとをユーザ機器（ＵＥ）によって受信して、前記第１ネットワーク側デバイスの前記同期ソース情報及び前記第２ネットワーク側デバイスの前記同期ソース情報を取得する段階と、
前記第１ネットワーク側デバイスの前記同期ソース情報及び前記第２ネットワーク側デバイスの前記同期ソース情報の両方を前記ＵＥによって前記ＵＥの信頼リストに保存する段階とを備え、
前記第２ネットワーク側デバイスの前記同期ソース参照情報は、前記第１ネットワーク側デバイスの前記同期ソース情報及び前記第２ネットワーク側デバイスの前記同期ソース情報に従って決定される情報であって、前記第１ネットワーク側デバイスはブロードキャスト／マルチキャストサービスセンタ（ＢＭ‐ＳＣ）であり、前記第２ネットワーク側デバイスはグループ通信サービスアプリケーションサーバ（ＧＣＳ  ＡＳ）であるか、又は、前記第１ネットワーク側デバイスはＧＣＳ  ＡＳであり、前記第２ネットワーク側デバイスはＢＭ‐ＳＣであり、
第１ネットワーク側デバイスによって送信される第２ネットワーク側デバイスの同期ソース情報、又は第１ネットワーク側デバイスによって送信される第２ネットワーク側デバイスの同期ソース参照情報と、前記第１ネットワーク側デバイスによって送信される、前記第１ネットワーク側デバイスの同期ソース情報を含むリアルタイムトランスポートプロトコル（ＲＴＰ）パケットとをユーザ機器（ＵＥ）によって受信して、前記第１ネットワーク側デバイスの前記同期ソース情報及び前記第２ネットワーク側デバイスの前記同期ソース情報を取得する前記段階は、
前記第１ネットワーク側デバイスの前記同期ソース情報を含む前記ＲＴＰパケットを前記ＵＥによって受信して、前記第１ネットワーク側デバイスの前記同期ソース情報及び前記第２ネットワーク側デバイスの前記同期ソース参照情報を取得する段階、及び、
前記第１ネットワーク側デバイスの前記同期ソース情報及び前記第２ネットワーク側デバイスの前記同期ソース参照情報に従って前記第２ネットワーク側デバイスの前記同期ソース情報を前記ＵＥによって決定する段階を有し、
前記第１ネットワーク側デバイスの前記同期ソース情報は、前記第１ネットワーク側デバイスの同期データソース（ＳＳＲＣ）識別子、前記第１ネットワーク側デバイスによって送信されるＲＴＰパケットのシーケンス番号ＳＮ１０、及び前記第１ネットワーク側デバイスのタイムスタンプを含み、
前記第２ネットワーク側デバイスの前記同期ソース情報は、前記第２ネットワーク側デバイスのＳＳＲＣ識別子、前記第２ネットワーク側デバイスによって送信されるＲＴＰパケットのシーケンス番号ＳＮ２０、及び前記第２ネットワーク側デバイスのタイムスタンプを含み、
前記第２ネットワーク側デバイスの前記同期ソース参照情報は、前記第２ネットワーク側デバイスの前記ＳＳＲＣ識別子、ＲＴＰパケットシーケンス番号参照情報、及びタイムスタンプ参照情報を含み、前記ＲＴＰパケットシーケンス番号参照情報は、前記第１ネットワーク側デバイスによって送信される前記ＲＴＰパケットの前記シーケンス番号ＳＮ１０と、前記第２ネットワーク側デバイスによって送信される前記ＲＴＰパケットの前記シーケンス番号ＳＮ２０との差であり、前記タイムスタンプ参照情報は、前記第１ネットワーク側デバイスの前記タイムスタンプと前記第２ネットワーク側デバイスの前記タイムスタンプとの差であり、
前記第１ネットワーク側デバイスの前記同期ソース情報及び前記第２ネットワーク側デバイスの前記同期ソース参照情報に従って前記第２ネットワーク側デバイスの前記同期ソース情報を前記ＵＥによって決定する前記段階は、
前記第２ネットワーク側デバイスの前記同期ソース参照情報から前記第２ネットワーク側デバイスの前記ＳＳＲＣ識別子を前記ＵＥによって取得する段階と、
前記第２ネットワーク側デバイスの前記同期ソース参照情報内の前記ＲＴＰパケットシーケンス番号参照情報と、前記第１ネットワーク側デバイスによって送信される前記ＲＴＰパケットの前記シーケンス番号ＳＮ１０とに従って、前記第２ネットワーク側デバイスによって送信される前記ＲＴＰパケットの前記シーケンス番号ＳＮ２０を前記ＵＥによって決定する段階と、
前記第２ネットワーク側デバイスの前記同期ソース参照情報内の前記タイムスタンプ参照情報と、前記第１ネットワーク側デバイスの前記タイムスタンプとに従って、前記第２ネットワーク側デバイスの前記タイムスタンプを前記ＵＥによって決定する段階とを含む、
同期ソース情報取得方法。
【請求項１３】
第１ネットワーク側デバイスによって送信される第２ネットワーク側デバイスの同期ソース情報、又は第１ネットワーク側デバイスによって送信される第２ネットワーク側デバイスの同期ソース参照情報と、前記第１ネットワーク側デバイスによって送信される、前記第１ネットワーク側デバイスの同期ソース情報を含むリアルタイムトランスポートプロトコル（ＲＴＰ）パケットとをユーザ機器（ＵＥ）によって受信して、前記第１ネットワーク側デバイスの前記同期ソース情報及び前記第２ネットワーク側デバイスの前記同期ソース情報を取得する段階と、
前記第１ネットワーク側デバイスの前記同期ソース情報及び前記第２ネットワーク側デバイスの前記同期ソース情報の両方を前記ＵＥによって前記ＵＥの信頼リストに保存する段階とを備え、
前記第２ネットワーク側デバイスの前記同期ソース参照情報は、前記第１ネットワーク側デバイスの前記同期ソース情報及び前記第２ネットワーク側デバイスの前記同期ソース情報に従って決定される情報であって、前記第１ネットワーク側デバイスはブロードキャスト／マルチキャストサービスセンタ（ＢＭ‐ＳＣ）であり、前記第２ネットワーク側デバイスはグループ通信サービスアプリケーションサーバ（ＧＣＳ  ＡＳ）であるか、又は、前記第１ネットワーク側デバイスはＧＣＳ  ＡＳであり、前記第２ネットワーク側デバイスはＢＭ‐ＳＣであり、
第１ネットワーク側デバイスによって送信される第２ネットワーク側デバイスの同期ソース情報、又は第１ネットワーク側デバイスによって送信される前記第２ネットワーク側デバイスの同期ソース参照情報を受信する前記段階は、
セッション開始プロトコル（ＳＩＰ）手順を使用することによって前記第１ネットワーク側デバイスにより前記ＵＥに送信されるＳＩＰ情報を受信する段階であって、前記ＳＩＰ情報は、前記第２ネットワーク側デバイスの前記同期ソース情報、又は前記第２ネットワーク側デバイスの前記同期ソース参照情報を含み、前記第１ネットワーク側デバイスは前記ＧＣＳ  ＡＳであり、前記第２ネットワーク側デバイスは前記ＢＭ‐ＳＣである、段階、又は、
前記第１ネットワーク側デバイスによって送信される前記ＲＴＰパケットを受信する段階であって、前記ＲＴＰパケットのパケットヘッダ情報は、前記第２ネットワーク側デバイスの前記同期ソース情報又は前記第２ネットワーク側デバイスの前記同期ソース参照情報を含み、前記パケットヘッダ情報は更に前記第１ネットワーク側デバイスの前記同期ソース情報を含み、前記第１ネットワーク側デバイスは前記ＧＣＳ  ＡＳであり、前記第２ネットワーク側デバイスは前記ＢＭ‐ＳＣである、段階、又は、
前記第１ネットワーク側デバイスによって送信されるユーザサービス記述（ＵＳＤ）パラメータを受信する段階であって、前記ＵＳＤパラメータは、前記第２ネットワーク側デバイスの前記同期ソース情報又は前記第２ネットワーク側デバイスの前記同期ソース参照情報を含み、前記第１ネットワーク側デバイスは前記ＢＭ‐ＳＣであり、前記第２ネットワーク側デバイスは前記ＧＣＳ  ＡＳである、段階、又は、
前記第１ネットワーク側デバイスによって送信される前記ＲＴＰパケットを受信する段階であって、前記ＲＴＰパケットのユーザデータ又はパケットヘッダ情報は、前記第２ネットワーク側デバイスの前記同期ソース情報又は前記第２ネットワーク側デバイスの前記同期ソース参照情報を含み、前記パケットヘッダ情報は更に前記第１ネットワーク側デバイスの前記同期ソース情報を含み、前記第１ネットワーク側デバイスは前記ＢＭ‐ＳＣであり、前記第２ネットワーク側デバイスは前記ＧＣＳ  ＡＳである、段階を有する、同期ソース情報取得方法。
【請求項１４】
ブロードキャスト／マルチキャストサービスセンタ（ＢＭ‐ＳＣ）の同期ソース情報を取得する第１の取得ユニットと、
前記ＢＭ‐ＳＣの前記同期ソース情報又は前記ＢＭ‐ＳＣの同期ソース参照情報と、グループ通信サービスアプリケーションサーバ（ＧＣＳ  ＡＳ）の同期ソース情報を含むリアルタイムトランスポートプロトコル（ＲＴＰ）パケットとをユーザ機器（ＵＥ）に提供する第１の送信ユニットとを備え、
前記ＢＭ‐ＳＣの前記同期ソース参照情報は、前記ＢＭ‐ＳＣの前記同期ソース情報及び前記ＧＣＳ  ＡＳの前記同期ソース情報に従って決定される情報であり、
前記ＢＭ‐ＳＣの前記同期ソース情報は、前記ＢＭ‐ＳＣの同期データソース（ＳＳＲＣ）識別子、前記ＢＭ‐ＳＣによって送信されるＲＴＰパケットのシーケンス番号ＳＮ１０、及び前記ＢＭ‐ＳＣのタイムスタンプを含み、
前記ＧＣＳ  ＡＳの前記同期ソース情報は、前記ＧＣＳ  ＡＳのＳＳＲＣ識別子、前記ＧＣＳ  ＡＳによって送信されるＲＴＰパケットのシーケンス番号ＳＮ２０、及び前記ＧＣＳ  ＡＳのタイムスタンプを含み、
前記第１の送信ユニットは、
前記ＢＭ‐ＳＣによって送信される前記ＲＴＰパケットの前記シーケンス番号ＳＮ１０と、前記ＧＣＳ  ＡＳによって送信される前記ＲＴＰパケットの前記シーケンス番号ＳＮ２０との差であるＲＴＰパケットシーケンス番号参照情報と、前記ＢＭ‐ＳＣの前記タイムスタンプと前記ＧＣＳ  ＡＳの前記タイムスタンプとの差であるタイムスタンプ参照情報とを前記ＢＭ‐ＳＣの前記同期ソース情報及び前記ＧＣＳ  ＡＳの前記同期ソース情報に従って決定し、
前記ＢＭ‐ＳＣの前記ＳＳＲＣ識別子を含む、前記ＢＭ‐ＳＣの前記同期ソース参照情報と、前記ＲＴＰパケットシーケンス番号参照情報と、前記タイムスタンプ参照情報とを取得する、
ＲＴＰパケット伝送装置。
【請求項１５】
前記第１の送信ユニットは、
前記ＢＭ‐ＳＣの前記同期ソース参照情報と、前記ＧＣＳ  ＡＳの前記同期ソース情報を含む前記ＲＴＰパケットとを前記ＵＥに提供する、請求項１４に記載のＲＴＰパケット伝送装置。
【請求項１６】
前記第１の取得ユニットは、
前記ＢＭ‐ＳＣによって送信されるアクティブなマルチメディアブロードキャストマルチキャストサービス（ＭＢＭＳ）状態指示情報であって、前記ＢＭ‐ＳＣの前記同期ソース情報を含むアクティブなＭＢＭＳ状態指示情報を受信し、前記アクティブなＭＢＭＳ状態指示情報から前記ＢＭ‐ＳＣの前記同期ソース情報を取得する、又は、
前記ＢＭ‐ＳＣによって送信される前記ＢＭ‐ＳＣの前記同期ソース情報を受信する、又は、
前記ＢＭ‐ＳＣによって送信される、前記ＢＭ‐ＳＣの前記同期ソース情報を含むＲＴＰ制御プロトコル（ＲＴＣＰ）パケットを受信し、前記ＲＴＣＰパケットから前記ＢＭ‐ＳＣの前記同期ソース情報を取得する、請求項１４又は１５に記載のＲＴＰパケット伝送装置。
【請求項１７】
ブロードキャスト／マルチキャストサービスセンタ（ＢＭ‐ＳＣ）の同期ソース情報を取得する第１の取得ユニットと、
前記ＢＭ‐ＳＣの前記同期ソース情報又は前記ＢＭ‐ＳＣの同期ソース参照情報と、グループ通信サービスアプリケーションサーバ（ＧＣＳ  ＡＳ）の同期ソース情報を含むリアルタイムトランスポートプロトコル（ＲＴＰ）パケットとをユーザ機器（ＵＥ）に提供する第１の送信ユニットとを備え、
前記ＢＭ‐ＳＣの前記同期ソース参照情報は、前記ＢＭ‐ＳＣの前記同期ソース情報及び前記ＧＣＳ  ＡＳの前記同期ソース情報に従って決定される情報であり、
前記第１の送信ユニットは、
セッション開始プロトコル（ＳＩＰ）手順を使用することによってＳＩＰ情報を前記ＵＥに送信し、前記ＳＩＰ情報は、前記ＢＭ‐ＳＣの前記同期ソース情報又は前記ＢＭ‐ＳＣの前記同期ソース参照情報を含む、又は、
前記ＲＴＰパケットを前記ＵＥに送信し、前記ＲＴＰパケットのパケットヘッダ情報は、前記ＢＭ‐ＳＣの前記同期ソース情報又は前記ＢＭ‐ＳＣの前記同期ソース参照情報を含み、前記パケットヘッダ情報は更に前記ＧＣＳ  ＡＳの前記同期ソース情報を含む、ＲＴＰパケット伝送装置。
【請求項１８】
グループ通信サービスアプリケーションサーバ（ＧＣＳ  ＡＳ）の同期ソース情報を取得する第２の取得ユニットと、
前記ＧＣＳ  ＡＳの前記同期ソース情報又は前記ＧＣＳ  ＡＳの同期ソース参照情報と、ブロードキャスト／マルチキャストサービスセンタ（ＢＭ‐ＳＣ）の同期ソース情報を含むリアルタイムトランスポートプロトコル（ＲＴＰ）パケットとをユーザ機器（ＵＥ）に提供する第２の送信ユニットとを備え、
前記ＧＣＳ  ＡＳの前記同期ソース参照情報は、前記ＧＣＳ  ＡＳの前記同期ソース情報及び前記ＢＭ‐ＳＣの前記同期ソース情報に従って決定される情報であり、
前記ＢＭ‐ＳＣの前記同期ソース情報は、前記ＢＭ‐ＳＣの同期データソース（ＳＳＲＣ）識別子、前記ＢＭ‐ＳＣによって送信されるＲＴＰパケットのシーケンス番号ＳＮ１０、及び前記ＢＭ‐ＳＣのタイムスタンプを含み、
前記ＧＣＳ  ＡＳの前記同期ソース情報は、前記ＧＣＳ  ＡＳのＳＳＲＣ識別子、前記ＧＣＳ  ＡＳによって送信されるＲＴＰパケットのシーケンス番号ＳＮ２０、及び前記ＧＣＳ  ＡＳのタイムスタンプを含み、
前記第２の送信ユニットは、
前記ＢＭ‐ＳＣによって送信される前記ＲＴＰパケットの前記シーケンス番号ＳＮ１０と、前記ＧＣＳ  ＡＳによって送信される前記ＲＴＰパケットの前記シーケンス番号ＳＮ２０との差であるＲＴＰパケットシーケンス番号参照情報と、前記ＢＭ‐ＳＣの前記タイムスタンプと前記ＧＣＳ  ＡＳの前記タイムスタンプとの差であるタイムスタンプ参照情報とを前記ＢＭ‐ＳＣの前記同期ソース情報及び前記ＧＣＳ  ＡＳの前記同期ソース情報に従って決定し、
前記ＧＣＳ  ＡＳの前記ＳＳＲＣ識別子を含む、前記ＧＣＳ  ＡＳの前記同期ソース参照情報と、前記ＲＴＰパケットシーケンス番号参照情報と、前記タイムスタンプ参照情報とを取得する、
ＲＴＰパケット伝送装置。
【請求項１９】
前記第２の送信ユニットは、
前記ＧＣＳ  ＡＳの前記同期ソース参照情報と、前記ＢＭ‐ＳＣの前記同期ソース情報を含む前記ＲＴＰパケットとを前記ＵＥに提供する、請求項１８に記載のＲＴＰパケット伝送装置。
【請求項２０】
前記第２の取得ユニットは、
前記ＧＣＳ  ＡＳによって送信されるマルチメディアブロードキャストマルチキャストサービス（ＭＢＭＳ）ベアラ要求情報であって、前記ＧＣＳ  ＡＳの前記同期ソース情報を含むＭＢＭＳベアラ要求情報を受信し、前記ＭＢＭＳベアラ要求情報から前記ＧＣＳ  ＡＳの前記同期ソース情報を取得する、又は、
前記ＧＣＳ  ＡＳによって送信される、前記ＧＣＳ  ＡＳの前記同期ソース情報を含むＲＴＰパケットを受信し、前記ＧＣＳ  ＡＳの前記同期ソース情報を含む前記ＲＴＰパケットから前記ＧＣＳ  ＡＳの前記同期ソース情報を取得する、請求項１８又は１９に記載のＲＴＰパケット伝送装置。
【請求項２１】
前記第２の送信ユニットは、
ユーザサービス記述（ＵＳＤ）パラメータを前記ＵＥに送信し、前記ＵＳＤパラメータは、前記ＧＣＳ  ＡＳの前記同期ソース情報又は前記ＧＣＳ  ＡＳの前記同期ソース参照情報を含む、又は、
前記ＲＴＰパケットを前記ＵＥに送信し、前記ＲＴＰパケットのユーザデータ又はパケットヘッダ情報は、前記ＧＣＳ  ＡＳの前記同期ソース情報又は前記ＧＣＳ  ＡＳの前記同期ソース参照情報を含み、前記パケットヘッダ情報は更に前記ＢＭ‐ＳＣの前記同期ソース情報を含む、請求項２０に記載のＲＴＰパケット伝送装置。
【請求項２２】
第１ネットワーク側デバイスによって送信される第２ネットワーク側デバイスの同期ソース情報、又は第１ネットワーク側デバイスによって送信される第２ネットワーク側デバイスの同期ソース参照情報と、前記第１ネットワーク側デバイスによって送信される、前記第１ネットワーク側デバイスの同期ソース情報を含むリアルタイムトランスポートプロトコル（ＲＴＰ）パケットとを受信して、前記第１ネットワーク側デバイスの前記同期ソース情報及び前記第２ネットワーク側デバイスの前記同期ソース情報を取得する第３の取得ユニットと、
前記第１ネットワーク側デバイスの前記同期ソース情報及び前記第２ネットワーク側デバイスの前記同期ソース情報の両方をユーザ機器（ＵＥ）の信頼リストに保存するストレージユニットとを備え、
前記第２ネットワーク側デバイスの前記同期ソース参照情報は、前記第１ネットワーク側デバイスの前記同期ソース情報及び前記第２ネットワーク側デバイスの前記同期ソース情報に従って決定される情報であって、前記第１ネットワーク側デバイスはブロードキャスト／マルチキャストサービスセンタ（ＢＭ‐ＳＣ）であり、前記第２ネットワーク側デバイスはグループ通信サービスアプリケーションサーバ（ＧＣＳ  ＡＳ）であるか、又は、前記第１ネットワーク側デバイスはＧＣＳ  ＡＳであり、前記第２ネットワーク側デバイスはＢＭ‐ＳＣであり、
前記第３の取得ユニットは、
前記第１ネットワーク側デバイスの前記同期ソース情報を含む前記ＲＴＰパケットを受信して、前記第１ネットワーク側デバイスの前記同期ソース情報及び前記第２ネットワーク側デバイスの前記同期ソース参照情報を取得し、
前記第１ネットワーク側デバイスの前記同期ソース情報及び前記第２ネットワーク側デバイスの前記同期ソース参照情報に従って前記第２ネットワーク側デバイスの前記同期ソース情報を決定し、
前記第１ネットワーク側デバイスの前記同期ソース情報は、前記第１ネットワーク側デバイスの同期データソース（ＳＳＲＣ）識別子、前記第１ネットワーク側デバイスによって送信されるＲＴＰパケットのシーケンス番号ＳＮ１０、及び前記第１ネットワーク側デバイスのタイムスタンプを含み、
前記第２ネットワーク側デバイスの前記同期ソース情報は、前記第２ネットワーク側デバイスのＳＳＲＣ識別子、前記第２ネットワーク側デバイスによって送信されるＲＴＰパケットのシーケンス番号ＳＮ２０、及び前記第２ネットワーク側デバイスのタイムスタンプを含み、
前記第２ネットワーク側デバイスの前記同期ソース参照情報は、前記第２ネットワーク側デバイスの前記ＳＳＲＣ識別子、ＲＴＰパケットシーケンス番号参照情報、及びタイムスタンプ参照情報を含み、前記ＲＴＰパケットシーケンス番号参照情報は、前記第１ネットワーク側デバイスによって送信される前記ＲＴＰパケットの前記シーケンス番号ＳＮ１０と、前記第２ネットワーク側デバイスによって送信される前記ＲＴＰパケットの前記シーケンス番号ＳＮ２０との差であり、前記タイムスタンプ参照情報は、前記第１ネットワーク側デバイスの前記タイムスタンプと前記第２ネットワーク側デバイスの前記タイムスタンプとの差であり、
前記第３の取得ユニットは、
前記第２ネットワーク側デバイスの前記同期ソース参照情報から前記第２ネットワーク側デバイスの前記ＳＳＲＣ識別子を取得し、
前記第２ネットワーク側デバイスの前記同期ソース参照情報内の前記ＲＴＰパケットシーケンス番号参照情報と、前記第１ネットワーク側デバイスによって送信される前記ＲＴＰパケットの前記シーケンス番号ＳＮ１０とに従って、前記第２ネットワーク側デバイスによって送信される前記ＲＴＰパケットの前記シーケンス番号ＳＮ２０を決定し、
前記第２ネットワーク側デバイスの前記同期ソース参照情報内の前記タイムスタンプ参照情報と、前記第１ネットワーク側デバイスの前記タイムスタンプとに従って、前記第２ネットワーク側デバイスの前記タイムスタンプを決定する、
同期ソース情報取得装置。
【請求項２３】
第１ネットワーク側デバイスによって送信される第２ネットワーク側デバイスの同期ソース情報、又は第１ネットワーク側デバイスによって送信される第２ネットワーク側デバイスの同期ソース参照情報と、前記第１ネットワーク側デバイスによって送信される、前記第１ネットワーク側デバイスの同期ソース情報を含むリアルタイムトランスポートプロトコル（ＲＴＰ）パケットとを受信して、前記第１ネットワーク側デバイスの前記同期ソース情報及び前記第２ネットワーク側デバイスの前記同期ソース情報を取得する第３の取得ユニットと、
前記第１ネットワーク側デバイスの前記同期ソース情報及び前記第２ネットワーク側デバイスの前記同期ソース情報の両方をユーザ機器（ＵＥ）の信頼リストに保存するストレージユニットとを備え、
前記第２ネットワーク側デバイスの前記同期ソース参照情報は、前記第１ネットワーク側デバイスの前記同期ソース情報及び前記第２ネットワーク側デバイスの前記同期ソース情報に従って決定される情報であって、前記第１ネットワーク側デバイスはブロードキャスト／マルチキャストサービスセンタ（ＢＭ‐ＳＣ）であり、前記第２ネットワーク側デバイスはグループ通信サービスアプリケーションサーバ（ＧＣＳ  ＡＳ）であるか、又は、前記第１ネットワーク側デバイスはＧＣＳ  ＡＳであり、前記第２ネットワーク側デバイスはＢＭ‐ＳＣであり、
前記第３の取得ユニットは、
前記第１ネットワーク側デバイスの前記同期ソース情報を含む前記ＲＴＰパケットを受信して、前記第１ネットワーク側デバイスの前記同期ソース情報及び前記第２ネットワーク側デバイスの前記同期ソース参照情報を取得し、
前記第１ネットワーク側デバイスの前記同期ソース情報及び前記第２ネットワーク側デバイスの前記同期ソース参照情報に従って前記第２ネットワーク側デバイスの前記同期ソース情報を決定し、
前記第３の取得ユニットは、
セッション開始プロトコル（ＳＩＰ）手順を使用することによって前記第１ネットワーク側デバイスにより前記ＵＥに送信されるＳＩＰ情報を受信し、前記ＳＩＰ情報は、前記第２ネットワーク側デバイスの前記同期ソース情報又は前記第２ネットワーク側デバイスの前記同期ソース参照情報を含み、前記第１ネットワーク側デバイスは前記ＧＣＳ  ＡＳであり、前記第２ネットワーク側デバイスは前記ＢＭ‐ＳＣである、又は、
前記第１ネットワーク側デバイスによって送信される前記ＲＴＰパケットを受信し、前記ＲＴＰパケットのパケットヘッダ情報は、前記第２ネットワーク側デバイスの前記同期ソース情報又は前記第２ネットワーク側デバイスの前記同期ソース参照情報を含み、前記パケットヘッダ情報は更に前記第１ネットワーク側デバイスの前記同期ソース情報を含み、前記第１ネットワーク側デバイスは前記ＧＣＳ  ＡＳであり、前記第２ネットワーク側デバイスは前記ＢＭ‐ＳＣである、又は、
前記第１ネットワーク側デバイスによって送信されるユーザサービス記述（ＵＳＤ）パラメータを受信し、前記ＵＳＤパラメータは、前記第２ネットワーク側デバイスの前記同期ソース情報又は前記第２ネットワーク側デバイスの前記同期ソース参照情報を含み、前記第１ネットワーク側デバイスは前記ＢＭ‐ＳＣであり、前記第２ネットワーク側デバイスは前記ＧＣＳ  ＡＳである、又は、
前記第１ネットワーク側デバイスによって送信される前記ＲＴＰパケットを受信し、前記ＲＴＰパケットのユーザデータ又はパケットヘッダ情報は、前記第２ネットワーク側デバイスの前記同期ソース情報又は前記第２ネットワーク側デバイスの前記同期ソース参照情報を含み、前記パケットヘッダ情報は更に前記第１ネットワーク側デバイスの前記同期ソース情報を含み、前記第１ネットワーク側デバイスは前記ＢＭ‐ＳＣであり、前記第２ネットワーク側デバイスは前記ＧＣＳ  ＡＳである、同期ソース情報取得装置。
【請求項２４】
請求項１から５の何れか一項に記載のＲＴＰパケット伝送方法をコンピュータに実行させる、又は
請求項６から１１の何れか一項に記載のＲＴＰパケット伝送方法をコンピュータに実行させる、又は、
請求項１２若しくは１３に記載の同期ソース情報取得方法をコンピュータに実行させるプログラム。
【発明の詳細な説明】
【技術分野】
【０００１】
本発明は通信技術分野に関し、具体的には、リアルタイムトランスポートプロトコルＲＴＰパケット伝送方法及び装置に関する。
【背景技術】
【０００２】
ロングタームエボリューション（英語：Ｌｏｎｇ‐ｔｅｒｍ  Ｅｖｏｌｕｔｉｏｎ、略してＬＴＥ）のグループ通信システムは、スケジューリング機能を有する特殊な通信システムである。現在のＬＴＥグループ通信システムでは、情報は、ユニキャスト及びマルチキャストという２つの方式で伝送されてよい。図１を参照すると、図１は、既存のＬＴＥグループ通信システムのアーキテクチャ図である。グループ通信サービスアプリケーションサーバ（英語：Ｇｒｏｕｐ  Ｃｏｍｍｕｎｉｃａｔｉｏｎ  Ｓｅｒｖｉｃｅ  Ａｐｐｌｉｃａｔｉｏｎ  Ｓｅｒｖｅｒ、略してＧＣＳ  ＡＳ）は、リアルタイムトランスポートプロトコル（英語：Ｒｅａｌ‐ｔｉｍｅ  Ｔｒａｎｓｐｏｒｔ  Ｐｒｏｔｏｃｏｌ、略してＲＴＰ）に基づいてユーザ機器（英語：Ｕｓｅｒ  Ｅｑｕｉｐｍｅｎｔ、略してＵＥ）にユーザデータを伝送する。ＧＣＳ  ＡＳによってＵＥに伝送されるＲＴＰパケットのパケットヘッダは、ＧＣＳ  ＡＳの同期ソース情報を含む。
【０００３】
ユニキャスト伝送方式では、ＧＣＳ  ＡＳは、公衆データネットワーク（英語：Ｐｕｂｌｉｃ  Ｄａｔａ  Ｎｅｔｗｏｒｋ、略してＰＤＮ）ゲートウェイ（略してＰ‐ＧＷ）、サービングゲートウェイ（英語：Ｓｅｒｖｉｎｇ  Ｇａｔｅｗａｙ、略してＳ‐ＧＷ）、及び、進化型ノードＢ（英語：ｅｖｏｌｖｅｄ  Ｎｏｄｅ  Ｂ、略してｅＮＢ）を使用することによってＵＥにＲＴＰパケットを送信する。ＲＴＰパケットを受信した後、ＵＥは、パケットヘッダを解析することによってＧＣＳ  ＡＳの同期ソース情報を取得し、ＧＣＳ  ＡＳの同期ソース情報を信頼リストに追加する。
【０００４】
マルチキャスト伝送方式では、ＧＣＳ  ＡＳは、まずブロードキャスト／マルチキャストサービスセンタ（英語：Ｂｒｏａｄｃａｓｔ‐Ｍｕｌｔｉｃａｓｔ  Ｓｅｒｖｉｃｅ  Ｃｅｎｔｒｅ、略してＢＭ‐ＳＣ）にＲＴＰパケットを送信する。ＧＣＳ  ＡＳからＲＴＰパケットを受信した後、ＢＭ‐ＳＣは、ＲＴＰパケット内のＧＣＳ  ＡＳの同期ソース情報をＢＭ‐ＳＣの同期ソース情報へと変更し、次に、マルチメディアブロードキャストマルチキャストサービスゲートウェイ（英語：Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ、略してＭＢＭＳ  ＧＷ）とｅＮＢとを使用することによって、変更されたＲＴＰパケットをＵＥに送信する。ＲＴＰパケットを受信した後、ＵＥは、パケットヘッダを解析することによってＢＭ‐ＳＣの同期ソース情報を取得し、信頼リストにＢＭ‐ＳＣの同期ソース情報を追加する。
【０００５】
従来技術において、ＵＥが非アクティブなマルチメディアブロードキャストマルチキャストサービス（英語：Ｍｕｌｔｉｍｅｄｉａ  Ｂｒｏａｄｃａｓｔ  Ｍｕｌｔｉｃａｓｔ  Ｓｅｒｖｉｃｅ、略してＭＢＭＳ）カバレッジエリアにある場合、ＧＣＳ  ＡＳは、ユニキャスト方式でのみ、ＵＥにＲＴＰパケットを送信できる。ＵＥがＭＢＭＳカバレッジエリアにあり、マルチキャスト条件が満たされた場合、ＧＣＳ  ＡＳは、マルチキャスト方式でＵＥにＲＴＰパケットを送信できる。
【０００６】
しかしながら、ＵＥが非ＭＢＭＳカバレッジエリアからＭＢＭＳカバレッジエリアに移動させられたと仮定すると、伝送方式は、ユニキャスト方式からマルチキャスト方式に切り替えられてよい。ユニキャストプロセスでは、ＵＥは、ＧＣＳ  ＡＳの同期ソース情報のみを信頼リストに追加する。故に、ＵＥがＢＭ‐ＳＣによって送信されるＲＴＰパケットを受信する場合、受信されたＲＴＰパケットに含まれるＢＭ‐ＳＣの同期ソース情報は信頼リストにないので、ＵＥは、ＢＭ‐ＳＣからのＲＴＰパケットを無効なＲＴＰパケットと見なし、ＲＴＰパケットを破棄し得る。これに対して、ＵＥがＭＢＭＳカバレッジエリアから非ＭＢＭＳカバレッジエリアに移動させられた場合、ＵＥは、ＢＭ‐ＳＣの同期ソース情報のみを信頼リストに追加する。故に、ＵＥがＧＣＳ  ＡＳによって送信されるＲＴＰパケットを受信する場合、受信されたＲＴＰパケットに含まれるＧＣＳ  ＡＳの同期ソース情報は信頼リストにないので、ＵＥは、ユニキャスト方式でＧＣＳ  ＡＳによって伝送されるＲＴＰパケットを無効なＲＴＰパケットと見なし、ＲＴＰパケットを破棄し得る。故に、従来技術では、伝送方式がユニキャスト方式とマルチキャスト方式との間で切り替えられた後、ＵＥが不連続的にＲＴＰパケットを受信するという技術的問題が引き起こされ得る。
【発明の概要】
【０００７】
本発明の実施形態はリアルタイムトランスポートプロトコルＲＴＰパケット伝送方法及び装置を提供する。その結果、ＧＣＳ  ＡＳ又はＢＭ‐ＳＣが、ＧＣＳ  ＡＳの同期ソース情報とＢＭ‐ＳＣの同期ソース情報をＵＥに提供し、これにより、ＵＥは、ＲＴＰパケットを連続的に受信できる。
【０００８】
本願の第１態様がリアルタイムトランスポートプロトコルＲＴＰパケット伝送方法を提供する。当該方法は、
ブロードキャスト／マルチキャストサービスセンタＢＭ‐ＳＣの同期ソース情報をグループ通信サービスアプリケーションサーバＧＣＳ  ＡＳによって取得する段階と、
ＢＭ‐ＳＣの同期ソース情報又はＢＭ‐ＳＣの同期ソース参照情報と、ＧＣＳ  ＡＳの同期ソース情報を含むＲＴＰパケットとをＧＣＳ  ＡＳによってユーザ機器ＵＥに提供し、これにより、ＵＥが、ＢＭ‐ＳＣの同期ソース情報とＧＣＳ  ＡＳの同期ソース情報とを取得し、ＵＥの信頼リストに保存する段階とを備え、
ＢＭ‐ＳＣの同期ソース参照情報は、ＢＭ‐ＳＣの同期ソース情報とＧＣＳ  ＡＳの同期ソース情報とに従って決定される情報である。
【０００９】
第１態様に関連して、第１態様の第１の考えられる実装例において、ＢＭ‐ＳＣの同期ソース情報又はＢＭ‐ＳＣの同期ソース参照情報と、ＧＣＳ  ＡＳの同期ソース情報を含むＲＴＰパケットとをＧＣＳ  ＡＳによってユーザ機器ＵＥに提供し、これにより、ＵＥが、ＢＭ‐ＳＣの同期ソース情報とＧＣＳ  ＡＳの同期ソース情報とを取得し、ＵＥの信頼リストに保存する段階は、
ＢＭ‐ＳＣの同期ソース参照情報と、ＧＣＳ  ＡＳの同期ソース情報を含むＲＴＰパケットとをＧＣＳ  ＡＳによってＵＥに提供し、これにより、ＵＥが、ＧＣＳ  ＡＳの同期ソース情報とＢＭ‐ＳＣの同期ソース参照情報とに従ってＢＭ‐ＳＣの同期ソース情報を取得し、ＢＭ‐ＳＣの同期ソース情報とＧＣＳ  ＡＳの同期ソース情報とをＵＥの信頼リストに保存する段階を有する。
【００１０】
第１態様、又は第１態様の第１の考えられる実装例に関連して、第１態様の第２の考えられる実装例において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含み、
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含み、
ＢＭ‐ＳＣの同期ソース参照情報と、ＧＣＳ  ＡＳの同期ソース情報を含むＲＴＰパケットとをＧＣＳ  ＡＳによってＵＥに提供する段階は、
ＢＭ‐ＳＣの同期ソース情報とＧＣＳ  ＡＳの同期ソース情報とに従って、ＲＴＰパケットシーケンス番号参照情報及びタイムスタンプ参照情報をＧＣＳ  ＡＳによって決定する段階であって、ＲＴＰパケットシーケンス番号参照情報は、ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であり、タイムスタンプ参照情報は、ＢＭ‐ＳＣのタイムスタンプとＧＣＳ  ＡＳのタイムスタンプとの差である、段階と、
ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とをＧＣＳ  ＡＳによって取得する段階とを含む。
【００１１】
第１態様、第１態様の第１の考えられる実装例、又は第１態様の第２の考えられる実装例の何れか１つに関連して、第１態様の第３の考えられる実装例において、ブロードキャスト／マルチキャストサービスセンタＢＭ‐ＳＣの同期ソース情報をグループ通信サービスアプリケーションサーバＧＣＳ  ＡＳによって取得する段階は、
ＢＭ‐ＳＣによって送信されるアクティブなマルチメディアブロードキャストマルチキャストサービスＭＢＭＳ状態指示情報であって、ＢＭ‐ＳＣの同期ソース情報を含むアクティブなＭＢＭＳ状態指示情報をＧＣＳ  ＡＳによって受信し、アクティブなＭＢＭＳ状態指示情報からＢＭ‐ＳＣの同期ソース情報を取得する段階、又は、
ＢＭ‐ＳＣによって送信されるＢＭ‐ＳＣの同期ソース情報をＧＣＳ  ＡＳによって受信する段階、又は、
ＢＭ‐ＳＣによって送信される、ＢＭ‐ＳＣの同期ソース情報を含むＲＴＰ制御プロトコルＲＴＣＰパケットをＧＣＳ  ＡＳによって受信し、当該ＲＴＣＰパケットからＢＭ‐ＳＣの同期ソース情報を取得する段階を有する。
【００１２】
第１態様の第３の考えられる実装例に関連して、第１態様の第４の考えられる実装例において、ＢＭ‐ＳＣの同期ソース情報又はＢＭ‐ＳＣの同期ソース参照情報と、ＧＣＳ  ＡＳの同期ソース情報を含むＲＴＰパケットとをＧＣＳ  ＡＳによってユーザ機器ＵＥに提供する段階は、
セッション開始プロトコルＳＩＰ手順を使用することによって、ＳＩＰ情報をＧＣＳ  ＡＳによってＵＥに送信する段階であって、ＳＩＰ情報は、ＢＭ‐ＳＣの同期ソース情報又はＢＭ‐ＳＣの同期ソース参照情報を含む、段階を有する。
【００１３】
第１態様の第３の考えられる実装例に関連して、第１態様の第５の考えられる実装例において、ＢＭ‐ＳＣの同期ソース情報又はＢＭ‐ＳＣの同期ソース参照情報と、ＧＣＳ  ＡＳの同期ソース情報を含むＲＴＰパケットとをＧＣＳ  ＡＳによってユーザ機器ＵＥに提供する段階は、
ＲＴＰパケットをＧＣＳ  ＡＳによってＵＥに送信する段階であって、ＲＴＰパケットのパケットヘッダ情報は、ＢＭ‐ＳＣの同期ソース情報又はＢＭ‐ＳＣの同期ソース参照情報を含み、パケットヘッダ情報は更にＧＣＳ  ＡＳの同期ソース情報を含む、段階を有する。
【００１４】
本願の第２態様がリアルタイムトランスポートプロトコルＲＴＰパケット伝送方法を提供する。当該方法は、
グループ通信サービスアプリケーションサーバＧＣＳ  ＡＳの同期ソース情報をブロードキャスト／マルチキャストサービスセンタＢＭ‐ＳＣによって取得する段階と、
ＧＣＳ  ＡＳの同期ソース情報又はＧＣＳ  ＡＳの同期ソース参照情報と、ＢＭ‐ＳＣの同期ソース情報を含むＲＴＰパケットとをＢＭ‐ＳＣによってユーザ機器ＵＥに提供し、これにより、ＵＥが、ＢＭ‐ＳＣの同期ソース情報及びＧＣＳ  ＡＳの同期ソース情報を取得し、ＵＥの信頼リストに保存する段階とを備え、
ＧＣＳ  ＡＳの同期ソース参照情報は、ＧＣＳ  ＡＳの同期ソース情報及びＢＭ‐ＳＣの同期ソース情報に従って決定される情報である。
【００１５】
第２態様に関連して、第２態様の第１の考えられる実装例において、ＧＣＳ  ＡＳの同期ソース情報又はＧＣＳ  ＡＳの同期ソース参照情報と、ＢＭ‐ＳＣの同期ソース情報を含むＲＴＰパケットとをＢＭ‐ＳＣによってユーザ機器ＵＥに提供し、これにより、ＵＥが、ＢＭ‐ＳＣの同期ソース情報及びＧＣＳ  ＡＳの同期ソース情報を取得し、ＵＥの信頼リストに保存する段階は、
ＧＣＳ  ＡＳの同期ソース参照情報と、ＢＭ‐ＳＣの同期ソース情報を含むＲＴＰパケットとをＢＭ‐ＳＣによってＵＥに提供し、これにより、ＵＥが、ＢＭ‐ＳＣの同期ソース情報及びＧＣＳ  ＡＳの同期ソース参照情報に従ってＧＣＳ  ＡＳの同期ソース情報を取得し、ＢＭ‐ＳＣの同期ソース情報及びＧＣＳ  ＡＳの同期ソース情報をＵＥの信頼リストに保存する段階を有する。
【００１６】
第２態様、又は第２態様の第１の考えられる実装例に関連して、第２態様の第２の考えられる実装例において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含み、
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、ＧＣＳ  ＡＳのタイムスタンプを含み、
ＧＣＳ  ＡＳの同期ソース参照情報と、ＢＭ‐ＳＣの同期ソース情報を含むＲＴＰパケットとをＢＭ‐ＳＣによってユーザ機器ＵＥに提供する段階は、
ＢＭ‐ＳＣの同期ソース情報及びＧＣＳ  ＡＳの同期ソース情報に従って、ＲＴＰパケットシーケンス番号参照情報及びタイムスタンプ参照情報をＢＭ‐ＳＣによって決定する段階であって、ＲＴＰパケットシーケンス番号参照情報は、ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であり、タイムスタンプ参照情報は、ＢＭ‐ＳＣのタイムスタンプとＧＣＳ  ＡＳのタイムスタンプとの差である、段階と、
ＧＣＳ  ＡＳのＳＳＲＣ識別子を含む、ＧＣＳ  ＡＳの同期ソース参照情報と、ＲＴＰパケットシーケンス番号参照情報と、タイムスタンプ参照情報とをＢＭ‐ＳＣによって取得する段階とを含む。
【００１７】
第２態様、第２態様の第１の考えられる実装例、又は第２態様の第２の考えられる実装例の何れか１つに関連して、第２態様の第３の考えられる実装例において、グループ通信サービスアプリケーションサーバＧＣＳ  ＡＳの同期ソース情報をブロードキャスト／マルチキャストサービスセンタＢＭ‐ＳＣによって取得する段階は、
ＧＣＳ  ＡＳによって送信されるＭＢＭＳベアラ要求情報であって、ＧＣＳ  ＡＳの同期ソース情報を含むＭＢＭＳベアラ要求情報をＢＭ‐ＳＣによって受信し、ＭＢＭＳベアラ要求情報からＧＣＳ  ＡＳの同期ソース情報を取得する段階、又は、
ＧＣＳ  ＡＳによって送信される、ＧＣＳ  ＡＳの同期ソース情報を含むＲＴＰパケットをＢＭ‐ＳＣによって受信し、ＧＣＳ  ＡＳの同期ソース情報を含むＲＴＰパケットからＧＣＳ  ＡＳの同期ソース情報を取得する段階を有する。
【００１８】
第２態様の第３の考えられる実装例に関連して、第２態様の第４の考えられる実装例において、ＧＣＳ  ＡＳの同期ソース情報又はＧＣＳ  ＡＳの同期ソース参照情報と、ＢＭ‐ＳＣの同期ソース情報を含むＲＴＰパケットとをＢＭ‐ＳＣによってユーザ機器ＵＥに提供する段階は、
ユーザサービス記述ＵＳＤパラメータをＢＭ‐ＳＣによってＵＥに送信する段階であって、ＵＳＤパラメータは、ＧＣＳ  ＡＳの同期ソース情報又はＧＣＳ  ＡＳの同期ソース参照情報を含む、段階を有する。
【００１９】
第２態様の第３の考えられる実装例に関連して、第２態様の第５の考えられる実装例において、ＧＣＳ  ＡＳの同期ソース情報又はＧＣＳ  ＡＳの同期ソース参照情報と、ＢＭ‐ＳＣの同期ソース情報を含むＲＴＰパケットとをＢＭ‐ＳＣによってユーザ機器ＵＥに提供する段階は、
ＲＴＰパケットをＢＭ‐ＳＣによってＵＥに送信する段階であって、ＲＴＰパケットのユーザデータ又はパケットヘッダ情報は、ＧＣＳ  ＡＳの同期ソース情報又はＧＣＳ  ＡＳの同期ソース参照情報を含み、パケットヘッダ情報は更にＢＭ‐ＳＣの同期ソース情報を含む、段階を有する。
【００２０】
本願の第３態様が同期ソース情報取得方法を提供する。当該方法は、
第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとをユーザ機器ＵＥによって受信して、第１ネットワーク側デバイスの同期ソース情報及び第２ネットワーク側デバイスの同期ソース情報を取得する段階と、
第１ネットワーク側デバイスの同期ソース情報及び第２ネットワーク側デバイスの同期ソース情報の両方をＵＥによってＵＥの信頼リストに保存する段階とを備え、
第２ネットワーク側デバイスの同期ソース参照情報は、第１ネットワーク側デバイスの同期ソース情報及び第２ネットワーク側デバイスの同期ソース情報に従って決定される情報であって、第１ネットワーク側デバイスはブロードキャスト／マルチキャストサービスセンタＢＭ‐ＳＣであり、第２ネットワーク側デバイスはグループ通信サービスアプリケーションサーバＧＣＳ  ＡＳであるか、又は、第１ネットワーク側デバイスはＧＣＳ  ＡＳであり、第２ネットワーク側デバイスはＢＭ‐ＳＣである。
【００２１】
第３態様に関連して、第３態様の第１の考えられる実装例において、第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとをユーザ機器ＵＥによって受信して、第１ネットワーク側デバイスの同期ソース情報及び第２ネットワーク側デバイスの同期ソース情報を取得する段階は、
第１ネットワーク側デバイスの同期ソース情報を含むＲＴＰパケットをＵＥによって受信して、第１ネットワーク側デバイスの同期ソース情報及び第２ネットワーク側デバイスの同期ソース参照情報を取得する段階と、
第１ネットワーク側デバイスの同期ソース情報及び第２ネットワーク側デバイスの同期ソース参照情報に従って第２ネットワーク側デバイスの同期ソース情報をＵＥによって決定する段階とを有する。
【００２２】
本願の第４態様がリアルタイムトランスポートプロトコルＲＴＰパケット伝送装置を提供する。当該装置は、
ブロードキャスト／マルチキャストサービスセンタＢＭ‐ＳＣの同期ソース情報を取得するよう構成される第１の取得ユニットと、
ＢＭ‐ＳＣの同期ソース情報又はＢＭ‐ＳＣの同期ソース参照情報と、グループ通信サービスアプリケーションサーバＧＣＳ  ＡＳの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得して、ＵＥの信頼リストに保存する、第１の送信ユニットとを備え、
ＢＭ‐ＳＣの同期ソース参照情報は、ＢＭ‐ＳＣの同期ソース情報及びＧＣＳ  ＡＳの同期ソース情報に従って決定される情報である。
【００２３】
第４態様に関連して、第４態様の第１の考えられる実装例において、第１の送信ユニットは、
ＢＭ‐ＳＣの同期ソース参照情報と、ＧＣＳ  ＡＳの同期ソース情報を含むＲＴＰパケットとをＵＥに提供するよう構成され、これにより、ＵＥは、ＧＣＳ  ＡＳの同期ソース情報及びＢＭ‐ＳＣの同期ソース参照情報に従ってＢＭ‐ＳＣの同期ソース情報を取得し、ＢＭ‐ＳＣの同期ソース情報及びＧＣＳ  ＡＳの同期ソース情報をＵＥの信頼リストに保存する。
【００２４】
第４態様、又は第４態様の第１の考えられる実装例に関連して、第４態様の第２の考えられる実装例において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含み、
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含み、
第１の送信ユニットは、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とを取得するよう構成される。
【００２５】
第４態様、第４態様の第１の考えられる実装例、又は第４態様の第２の考えられる実装例の何れか１つに関連して、第４態様の第３の考えられる実装例において、第１の取得ユニットは、
ＢＭ‐ＳＣによって送信されるアクティブなマルチメディアブロードキャストマルチキャストサービスＭＢＭＳ状態指示情報であって、ＢＭ‐ＳＣの同期ソース情報を含むアクティブなＭＢＭＳ状態指示情報を受信し、アクティブなＭＢＭＳ状態指示情報からＢＭ‐ＳＣの同期ソース情報を取得する、又は、
ＢＭ‐ＳＣによって送信されるＢＭ‐ＳＣの同期ソース情報を受信する、又は、
ＢＭ‐ＳＣによって送信される、ＢＭ‐ＳＣの同期ソース情報を含むＲＴＰ制御プロトコルＲＴＣＰパケットを受信し、当該ＲＴＣＰパケットからＢＭ‐ＳＣの同期ソース情報を取得するよう構成される。
【００２６】
第４態様の第３の考えられる実装例に関連して、第４態様の第４の考えられる実装例において、第１の送信ユニットは、
セッション開始プロトコルＳＩＰ手順を使用することによってＳＩＰ情報をＵＥに送信するよう構成され、ここで、ＳＩＰ情報は、ＢＭ‐ＳＣの同期ソース情報又はＢＭ‐ＳＣの同期ソース参照情報を含む。
【００２７】
第４態様の第３の考えられる実装例に関連して、第４態様の第５の考えられる実装例において、第１の送信ユニットは、
ＲＴＰパケットをＵＥに送信するよう構成され、ここで、ＲＴＰパケットのパケットヘッダ情報は、ＢＭ‐ＳＣの同期ソース情報又はＢＭ‐ＳＣの同期ソース参照情報を含み、当該パケットヘッダ情報は更にＧＣＳ  ＡＳの同期ソース情報を含む。
【００２８】
本願の第５態様がリアルタイムトランスポートプロトコルＲＴＰパケット伝送装置を提供する。当該装置は、
グループ通信サービスアプリケーションサーバＧＣＳ  ＡＳの同期ソース情報を取得するよう構成される第２の取得ユニットと、
ＧＣＳ  ＡＳの同期ソース情報又はＧＣＳ  ＡＳの同期ソース参照情報と、ブロードキャスト／マルチキャストサービスセンタＢＭ‐ＳＣの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得し、ＵＥの信頼リストに保存する、第２の送信ユニットとを備え、
ＧＣＳ  ＡＳの同期ソース参照情報は、ＧＣＳ  ＡＳの同期ソース情報及びＢＭ‐ＳＣの同期ソース情報に従って決定される情報である。
【００２９】
第５態様に関連して、第５態様の第１の考えられる実装例において、第２の送信ユニットは、
ＧＣＳ  ＡＳの同期ソース参照情報と、ＢＭ‐ＳＣの同期ソース情報を含むＲＴＰパケットとをＵＥに提供するよう構成され、これにより、ＵＥは、ＢＭ‐ＳＣの同期ソース情報及びＧＣＳ  ＡＳの同期ソース参照情報に従ってＧＣＳ  ＡＳの同期ソース情報を取得し、ＢＭ‐ＳＣの同期ソース情報及びＧＣＳ  ＡＳの同期ソース情報をＵＥの信頼リストに保存する。
【００３０】
第５態様、又は第５態様の第１の考えられる実装例に関連して、第５態様の第２の考えられる実装例において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含み、
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、ＧＣＳ  ＡＳのタイムスタンプを含み、
第２の送信ユニットは、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＧＣＳ  ＡＳのＳＳＲＣ識別子を含む、ＧＣＳ  ＡＳの同期ソース参照情報と、ＲＴＰパケットシーケンス番号参照情報と、タイムスタンプ参照情報とを取得するよう構成される。
【００３１】
第５態様、第５態様の第１の考えられる実装例、又は第５態様の第２の考えられる実装例の何れか１つに関連して、第５態様の第３の考えられる実装例において、第２の取得ユニットは、
ＧＣＳ  ＡＳによって送信されるＭＢＭＳベアラ要求情報であって、ＧＣＳ  ＡＳの同期ソース情報を含むＭＢＭＳベアラ要求情報を受信し、ＭＢＭＳベアラ要求情報からＧＣＳ  ＡＳの同期ソース情報を取得する、又は、
ＧＣＳ  ＡＳによって送信される、ＧＣＳ  ＡＳの同期ソース情報を含むＲＴＰパケットを受信し、ＧＣＳ  ＡＳの同期ソース情報を含むＲＴＰパケットからＧＣＳ  ＡＳの同期ソース情報を取得するよう構成される。
【００３２】
第５態様の第３の考えられる実装例に関連して、第５態様の第４の考えられる実装例において、第２の送信ユニットは、
ユーザサービス記述ＵＳＤパラメータをＵＥに送信するよう構成され、ここで、ＵＳＤパラメータは、ＧＣＳ  ＡＳの同期ソース情報又はＧＣＳ  ＡＳの同期ソース参照情報を含む。
【００３３】
第５態様の第３の考えられる実装例に関連して、第５態様の第５の考えられる実装例において、第２の送信ユニットは、
ＲＴＰパケットをＵＥに送信するよう構成され、ここで、ＲＴＰパケットのユーザデータ又はパケットヘッダ情報は、ＧＣＳ  ＡＳの同期ソース情報又はＧＣＳ  ＡＳの同期ソース参照情報を含み、パケットヘッダ情報は更にＢＭ‐ＳＣの同期ソース情報を含む。
【００３４】
第５態様の第４の考えられる実装例に関連して、第５態様の第６の考えられる実装例において、第２の送信ユニットは、
ＵＳＤパラメータをＧＣＳ  ＡＳに送信するよう構成され、これにより、ＧＣＳ  ＡＳは、ユニキャスト伝送方式でＵＳＤパラメータをＵＥに送信する、又は、
ＵＳＤパラメータをＧＣＳ  ＡＳに送信するよう構成され、これにより、ＧＣＳ  ＡＳは、ＳＩＰ手順を使用することによって、ＵＳＤパラメータをＵＥに送信する。
【００３５】
本願の第６態様が同期ソース情報取得装置を提供する。当該装置は、
第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとを受信して、第１ネットワーク側デバイスの同期ソース情報及び第２ネットワーク側デバイスの同期ソース情報を取得するよう構成される第３の取得ユニットと、
第１ネットワーク側デバイスの同期ソース情報及び第２ネットワーク側デバイスの同期ソース情報の両方をＵＥの信頼リストに保存するよう構成されるストレージユニットとを備え、
第２ネットワーク側デバイスの同期ソース参照情報は、第１ネットワーク側デバイスの同期ソース情報及び第２ネットワーク側デバイスの同期ソース情報に従って決定される情報であって、第１ネットワーク側デバイスはブロードキャスト／マルチキャストサービスセンタＢＭ‐ＳＣであり、第２ネットワーク側デバイスはグループ通信サービスアプリケーションサーバＧＣＳ  ＡＳであるか、又は、第１ネットワーク側デバイスはＧＣＳ  ＡＳであり、第２ネットワーク側デバイスはＢＭ‐ＳＣである。
【００３６】
第６態様に関連して、第６態様の第１の考えられる実装例において、第３の取得ユニットは、
第１ネットワーク側デバイスの同期ソース情報を含むＲＴＰパケットを受信して、第１ネットワーク側デバイスの同期ソース情報及び第２ネットワーク側デバイスの同期ソース参照情報を取得し、
第１ネットワーク側デバイスの同期ソース情報及び第２ネットワーク側デバイスの同期ソース参照情報に従って第２ネットワーク側デバイスの同期ソース情報を決定するよう構成される。
【００３７】
第６態様の第１の考えられる実装例に関連して、第６態様の第２の考えられる実装例において、第１ネットワーク側デバイスの同期ソース情報は、第１ネットワーク側デバイスのＳＳＲＣ識別子、第１ネットワーク側デバイスによって送信されるＲＴＰパケットのシーケンス番号ＳＮ１０、及び第１ネットワーク側デバイスのタイムスタンプを含み、
第２ネットワーク側デバイスの同期ソース情報は、第２ネットワーク側デバイスのＳＳＲＣ識別子、第２ネットワーク側デバイスによって送信されるＲＴＰパケットのシーケンス番号ＳＮ２０、及び第２ネットワーク側デバイスのタイムスタンプを含み、
第２ネットワーク側デバイスの同期ソース参照情報は、第２ネットワーク側デバイスのＳＳＲＣ識別子、ＲＴＰパケットシーケンス番号参照情報、及びタイムスタンプ参照情報を含み、ここで、ＲＴＰパケットシーケンス番号参照情報は、第１ネットワーク側デバイスによって送信されるＲＴＰパケットのシーケンス番号ＳＮ１０と、第２ネットワーク側デバイスによって送信されるＲＴＰパケットのシーケンス番号ＳＮ２０との差であり、タイムスタンプ参照情報は、第１ネットワーク側デバイスのタイムスタンプと第２ネットワーク側デバイスのタイムスタンプとの差であり、
第３の取得ユニットは、
第２ネットワーク側デバイスの同期ソース参照情報から第２ネットワーク側デバイスのＳＳＲＣ識別子を取得し、
第２ネットワーク側デバイスの同期ソース参照情報内のＲＴＰパケットシーケンス番号参照情報と、第１ネットワーク側デバイスによって送信されるＲＴＰパケットのシーケンス番号ＳＮ１０とに従って、第２ネットワーク側デバイスによって送信されるＲＴＰパケットのシーケンス番号ＳＮ２０を決定し、
第２ネットワーク側デバイスの同期ソース参照情報内のタイムスタンプ参照情報と、第１ネットワーク側デバイスのタイムスタンプとに従って、第２ネットワーク側デバイスのタイムスタンプを決定するよう構成される。
【００３８】
第６態様の第１の考えられる実装例、又は第６態様の第２の考えられる実装例に関連して、第６態様の第３の考えられる実装例において、第３の取得ユニットは、
セッション開始プロトコルＳＩＰ手順を使用することによって第１ネットワーク側デバイスによりＵＥに送信されるＳＩＰ情報を受信するよう構成され、ここで、ＳＩＰ情報は、第２ネットワーク側デバイスの同期ソース情報又は第２ネットワーク側デバイスの同期ソース参照情報を含み、第１ネットワーク側デバイスはＧＣＳ  ＡＳであり、第２ネットワーク側デバイスはＢＭ‐ＳＣである、又は、
第１ネットワーク側デバイスによって送信されるＲＴＰパケットを受信するよう構成され、ここで、ＲＴＰパケットのパケットヘッダ情報は、第２ネットワーク側デバイスの同期ソース情報又は第２ネットワーク側デバイスの同期ソース参照情報を含み、当該パケットヘッダ情報は更に第１ネットワーク側デバイスの同期ソース情報を含み、第１ネットワーク側デバイスはＧＣＳ  ＡＳであり、第２ネットワーク側デバイスはＢＭ‐ＳＣである、又は、
第１ネットワーク側デバイスによって送信されるユーザサービス記述ＵＳＤパラメータを受信するよう構成され、ここで、ＵＳＤパラメータは、第２ネットワーク側デバイスの同期ソース情報又は第２ネットワーク側デバイスの同期ソース参照情報を含み、第１ネットワーク側デバイスはＢＭ‐ＳＣであり、第２ネットワーク側デバイスはＧＣＳ  ＡＳである、又は、
第１ネットワーク側デバイスによって送信されるＲＴＰパケットを受信するよう構成され、ここで、ＲＴＰパケットのユーザデータ又はパケットヘッダ情報は、第２ネットワーク側デバイスの同期ソース情報又は第２ネットワーク側デバイスの同期ソース参照情報を含み、当該パケットヘッダ情報は更に第１ネットワーク側デバイスの同期ソース情報を含み、第１ネットワーク側デバイスはＢＭ‐ＳＣであり、第２ネットワーク側デバイスはＧＣＳ  ＡＳである。
【００３９】
本願の第７態様がグループ通信サービスアプリケーションサーバＧＣＳ  ＡＳを提供する。当該ＧＣＳ  ＡＳは、
ブロードキャスト／マルチキャストサービスセンタＢＭ‐ＳＣの同期ソース情報を取得するよう構成される受信機と、
ＢＭ‐ＳＣの同期ソース情報又はＢＭ‐ＳＣの同期ソース参照情報と、ＧＣＳ  ＡＳの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得して、ＵＥの信頼リストに保存する、送信機とを備え、
ＢＭ‐ＳＣの同期ソース参照情報は、ＢＭ‐ＳＣの同期ソース情報及びＧＣＳ  ＡＳの同期ソース情報に従って決定される情報である。
【００４０】
本願の第８態様がブロードキャスト／マルチキャストサービスセンタＢＭ‐ＳＣを提供する。当該ＢＭ‐ＳＣは、
グループ通信サービスアプリケーションサーバＧＣＳ  ＡＳの同期ソース情報を取得するよう構成される受信機と、
ＧＣＳ  ＡＳの同期ソース情報又はＧＣＳ  ＡＳの同期ソース参照情報と、ＢＭ‐ＳＣの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得し、ＵＥの信頼リストに保存する、送信機とを備え、
ＧＣＳ  ＡＳの同期ソース参照情報は、ＧＣＳ  ＡＳの同期ソース情報及びＢＭ‐ＳＣの同期ソース情報に従って決定される情報である。
【００４１】
本願の第９態様がユーザ機器ＵＥを提供する。当該ＵＥは、
第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとを受信するよう構成される受信機と、
第１ネットワーク側デバイスの同期ソース情報及び第２ネットワーク側デバイスの同期ソース情報を取得し、第１ネットワーク側デバイスの同期ソース情報及び第２ネットワーク側デバイスの同期ソース情報の両方をＵＥの信頼リストに保存するよう構成されるプロセッサとを備え、
第２ネットワーク側デバイスの同期ソース参照情報は、第１ネットワーク側デバイスの同期ソース情報及び第２ネットワーク側デバイスの同期ソース情報に従って決定される情報であって、第１ネットワーク側デバイスはブロードキャスト／マルチキャストサービスセンタＢＭ‐ＳＣであり、第２ネットワーク側デバイスはグループ通信サービスアプリケーションサーバＧＣＳ  ＡＳであるか、又は、第１ネットワーク側デバイスはＧＣＳ  ＡＳであり、第２ネットワーク側デバイスはＢＭ‐ＳＣである。
【００４２】
本発明の実施形態において提供されている１又は複数の技術的解決手段は、少なくとも以下の技術的効果又は利点を有する。
【００４３】
本発明の実施形態において、ＧＣＳ  ＡＳがＢＭ‐ＳＣの同期ソース情報を取得し、ＧＣＳ  ＡＳは、ＢＭ‐ＳＣの同期ソース情報又はＢＭ‐ＳＣの同期ソース参照情報と、ＧＣＳ  ＡＳの同期ソース情報を含むＲＴＰパケットとをユーザ機器ＵＥに提供し、これにより、ＵＥは、ＢＭ‐ＳＣの同期ソース情報及びＧＣＳ  ＡＳの同期ソース情報を取得し、ＵＥの信頼リストに保存する。或いは、ＢＭ‐ＳＣが、ＧＣＳ  ＡＳの同期ソース情報を取得し、ＢＭ‐ＳＣは、ＧＣＳ  ＡＳの同期ソース情報又はＧＣＳ  ＡＳの同期ソース参照情報と、ＢＭ‐ＳＣの同期ソース情報を含むＲＴＰパケットとをユーザ機器ＵＥに提供し、これにより、ＵＥは、ＢＭ‐ＳＣの同期ソース情報及びＧＣＳ  ＡＳの同期ソース情報を取得し、ＵＥの信頼リストに保存する。故に、本発明の実施形態において、一方では、ＲＴＰパケットを送信することによって、ＧＣＳ  ＡＳ（又はＢＭ‐ＳＣ）はＧＣＳ  ＡＳの同期ソース情報（又は、ＢＭ‐ＳＣの同期ソース情報）をＵＥに提供してよい。他方では、ＧＣＳ  ＡＳ（又は、ＢＭ‐ＳＣ）は、更にＢＭ‐ＳＣの同期ソース情報（又は、ＧＣＳ  ＡＳの同期ソース情報）をＵＥに提供する。故に、ユニキャスト（マルチキャスト）伝送方式にある場合、ＵＥは、ＧＣＳ  ＡＳの同期ソース情報（又は、ＢＭ‐ＳＣの同期ソース情報）を取得できるのみならず、ＢＭ‐ＳＣの同期ソース情報（又は、ＧＣＳ  ＡＳの同期ソース情報）を取得することもできる。故に、ＵＥが現在ユニキャスト伝送方式にあるか、又はマルチキャスト伝送方式にあるかにかかわらず、ＵＥは、ＵＥの信頼リストに２つの同期ソース情報を保存できる。このように、ＲＴＰパケット伝送方式がユニキャスト方式とマルチキャスト方式との間で切り替えられた後、２つの同期ソース情報は、ＵＥの信頼リストに保存される。故に、切り替え後、ＧＣＳ  ＡＳがＲＴＰパケットを伝送するのか、又はＢＭ‐ＳＣがＲＴＰパケットを伝送するのかにかかわらず、ＵＥは、受信されたＲＴＰパケットを識別し、信頼することができ、これにより、ＲＴＰパケットを連続的に受信する。
【図面の簡単な説明】
【００４４】
【図１】ＬＴＥグループ通信システムのアーキテクチャ図である。
【００４５】
【図２】本発明の実施形態に係るＲＴＰパケット伝送方法のフローチャートである。
【００４６】
【図３】本発明の実施形態に係るＧＣＳ  ＡＳ、ＢＭ‐ＳＣ、及びＵＥの間でのインタラクションの概略図である。
【００４７】
【図４】本発明の実施形態に係る別のＲＴＰパケット伝送方法のフローチャートである。
【００４８】
【図５】本発明の実施形態に係るＧＣＳ  ＡＳ、ＢＭ‐ＳＣ、及びＵＥの間でのインタラクションの別の概略図である。
【００４９】
【図６】本発明の実施形態に係る同期ソース情報取得方法のフローチャートである。
【００５０】
【図７】本発明の実施形態に係るＲＴＰパケット伝送装置の概略構造図である。
【００５１】
【図８】本発明の実施形態に係る別のＲＴＰパケット伝送装置の概略構造図である。
【００５２】
【図９】本発明の実施形態に係る同期ソース情報取得装置の概略構造図である。
【００５３】
【図１０】本発明の実施形態に係るＧＣＳ  ＡＳ、ＢＭ‐ＳＣ、又はＵＥの概略構造図である。
【発明を実施するための形態】
【００５４】
本発明の実施形態はリアルタイムトランスポートプロトコルＲＴＰパケット伝送方法及び装置を提供する。その結果、ＧＣＳ  ＡＳ又はＢＭ‐ＳＣがＧＣＳ  ＡＳの同期ソース情報及びＢＭ‐ＳＣの同期ソース情報をＵＥに提供し、これにより、ＵＥは、ＲＴＰパケットを連続的に受信できる。
【００５５】
上述の技術的問題を解決するべく、本発明において提供される技術的解決手段の解決策は以下の通りである。
【００５６】
本発明の実施形態において、一方では、ＲＴＰパケットを送信することによって、ＧＣＳ  ＡＳ（又はＢＭ‐ＳＣ）がＧＣＳ  ＡＳの同期ソース情報（又は、ＢＭ‐ＳＣの同期ソース情報）をＵＥに提供してよい。他方では、ＧＣＳ  ＡＳ（又は、ＢＭ‐ＳＣ）は、更にＢＭ‐ＳＣの同期ソース情報（又は、ＧＣＳ  ＡＳの同期ソース情報）をＵＥに提供する。故に、ユニキャスト（マルチキャスト）伝送方式にある場合、ＵＥは、ＧＣＳ  ＡＳの同期ソース情報（又は、ＢＭ‐ＳＣの同期ソース情報）を取得できるのみならず、ＢＭ‐ＳＣの同期ソース情報（又は、ＧＣＳ  ＡＳの同期ソース情報）を取得することもできる。故に、ＵＥが現在ユニキャスト伝送方式にあるか、マルチキャスト伝送方式にあるかにかかわらず、ＵＥは、ＵＥの信頼リスト内に２つの同期ソース情報を保存できる。このように、ＲＴＰパケット伝送方式がユニキャスト方式とマルチキャスト方式との間で切り替えられた後、２つの同期ソース情報は、ＵＥの信頼リストに保存される。故に、切り替え後、ＧＣＳ  ＡＳがＲＴＰパケットを伝送するのか、又はＢＭ‐ＳＣがＲＴＰパケットを伝送するのかにかかわらず、ＵＥは、受信されたＲＴＰパケットを識別し、信頼することができ、これにより、ＲＴＰパケットを連続的に受信する。
【００５７】
本発明の実施形態はリアルタイムトランスポートプロトコルＲＴＰパケット伝送方法を提供する。図１を参照すると、図１は、当該実施形態のＲＴＰパケット伝送方法に適用可能な、考えられるＬＴＥ通信システムアーキテクチャである。通信システムアーキテクチャは、端末（英語：Ｕｓｅｒ  Ｅｑｕｉｐｍｅｎｔ、略してＵＥ）、ＧＣＳ  ＡＳ、ＢＭ‐ＳＣ、Ｐ‐ＧＷ、ポリシ及び課金ルール機能（英語：Ｐｏｌｉｃｙ  ａｎｄ  Ｃｈａｒｇｉｎｇ  Ｒｕｌｅ  Ｆｕｎｃｔｉｏｎ、略してＰＣＲＦ）、Ｓ‐ＧＷ、ＭＢＭＳ  ＧＷ、及び進化型ノードＢ（Ｅｖｏｌｕｔｉｏｎａｌ  ＮｏｄｅＢ、略してｅＮＢ又はｅ‐ＮｏｄｅＢ）を備える。移動性管理エンティティ（英語：Ｍｏｂｉｌｉｔｙ  Ｍａｎａｇｅｍｅｎｔ  Ｅｎｔｉｔｙ、略してＭＭＥ）が、主にＭＢＭＳセッション管理参加などの機能を提供する。本発明の実施形態において、ＵＥは、具体的に携帯電話、スマートウォッチ、又は同様のものであってよい。このことは、本願において具体的には限定されない。ＧＣＳ  ＡＳはグループ通信サービスアプリケーションサーバであり、主にグループメンバ管理及びＭＢＭＳ開始などの機能を担当する。ＢＭ‐ＳＣはブロードキャスト／マルチキャストサービスセンタであり、サービスレイヤのネットワーク要素に属し、コンテンツプロバイダの入り口である。ＢＭ‐ＳＣは、サービスの集合及び送信、ユーザ許可、ＭＢＭＳサービスベアラの確立及び開始、セッション制御の開始、並びに同様のものを提供し、更に基地局との同期を実装してよい。
【００５８】
本願の第１態様がまず、一実施形態におけるＲＴＰパケット伝送方法をＧＣＳ  ＡＳ側から説明する。図２及び図３を参照すると、当該方法は以下の段階を備える。
【００５９】
Ｓ１０１：グループ通信サービスアプリケーションサーバＧＣＳ  ＡＳが、ブロードキャスト／マルチキャストサービスセンタＢＭ‐ＳＣの同期ソース情報を取得する。
【００６０】
Ｓ１０２：ＧＣＳ  ＡＳが、ＢＭ‐ＳＣの同期ソース情報又はＢＭ‐ＳＣの同期ソース参照情報と、ＧＣＳ  ＡＳの同期ソース情報を含むＲＴＰパケットとをユーザ機器ＵＥに提供する。
【００６１】
ＧＣＳ  ＡＳは、まずＳ１０１においてＢＭ‐ＳＣの同期ソース情報を取得し、Ｓ１０２においてＢＭ‐ＳＣの同期ソース情報をＵＥに提供する。加えて、ＧＣＳ  ＡＳは、更にＲＴＰパケットをＵＥに送信する。ＲＴＰパケットは、ＧＣＳ  ＡＳの同期ソース情報を含む。故に、ＵＥは、ＲＴＰパケットを解析することによって、ＧＣＳ  ＡＳの同期ソース情報を取得することができる。故に、本発明の本実施形態において、ＧＣＳ  ＡＳはＧＣＳ  ＡＳの同期ソース情報及びＢＭ‐ＳＣの同期ソース情報をＵＥに提供してよく、これにより、ＵＥは、当該２つの同期ソース情報を両方ともＵＥの信頼リストに保存できる。
【００６２】
本発明の本実施形態において、ＢＭ‐ＳＣの同期ソース情報は、限定されないが、ＢＭ‐ＳＣの同期ソース（英語：Ｓｙｎｃｈｒｏｎｉｚａｔｉｏｎ  ｓｏｕｒｃｅ  ｉｄｅｎｔｉｆｉｅｒ、略してＳＳＲＣ）識別子、ＢＭ‐ＳＣによって送信されるＲＴＰパケットのシーケンス番号ＳＮ１０、及びＢＭ‐ＳＣのタイムスタンプを含む。ＧＣＳ  ＡＳの同期ソース情報は、限定されないが、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【００６３】
ＳＳＲＣ識別子は同期データソース識別子であり、ＲＴＰパケットの同期データソースを識別するために使用される。タイムスタンプ（Ｔｉｍｅｓｔａｍｐ）は主にＲＴＰパケットの送信時間を識別するために使用される。貢献ソース（英語：Ｃｏｎｔｒｉｂｕｔｉｎｇ  ｓｏｕｒｃｅ、略してＣＳＲＣ）識別子は、ＲＴＰパケット内の有効なコンテンツの貢献ソースを識別するために使用される。ＵＥによって信頼されている同期ソース情報がＵＥの信頼リストに記録される。ＲＴＰパケットの受信において、ＵＥの信頼リストは、ＲＴＰパケットの同期ソースが有効かどうかをＵＥが判断するのを助けるために使用される。
【００６４】
加えて、本発明の本実施形態において、ＢＭ‐ＳＣの同期ソース情報をＵＥに提供する場合、ＧＣＳ  ＡＳは、ＢＭ‐ＳＣの同期ソース情報をＵＥにそのまま提供してよく、又は、ＢＭ‐ＳＣの同期ソース参照情報をＵＥに提供してよい。ＢＭ‐ＳＣの同期ソース参照情報は、ＢＭ‐ＳＣの受信された同期ソース情報及びＧＣＳ  ＡＳの同期ソース情報に従って、ＧＣＳ  ＡＳによって決定される情報である。ＢＭ‐ＳＣの同期ソース参照情報は、ＢＭ‐ＳＣの同期ソース情報に対応している。
【００６５】
具体的には、ＧＣＳ  ＡＳがＢＭ‐ＳＣの同期ソース参照情報をＵＥに提供する場合、ＧＣＳ  ＡＳがＢＭ‐ＳＣの同期ソース参照情報とＧＣＳ  ＡＳの同期ソース情報を含むＲＴＰパケットとをＵＥに提供する段階は、
ＢＭ‐ＳＣの同期ソース情報及びＧＣＳ  ＡＳの同期ソース情報に従って、ＲＴＰパケットシーケンス番号参照情報及びタイムスタンプ参照情報をＧＣＳ  ＡＳによって決定する段階であって、ＲＴＰパケットシーケンス番号参照情報は、ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であり、タイムスタンプ参照情報は、ＢＭ‐ＳＣのタイムスタンプとＧＣＳ  ＡＳのタイムスタンプとの差である、段階と、
ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とをＧＣＳ  ＡＳによって取得する段階とを含む。
【００６６】
特定の実装プロセスにおいて、ＢＭ‐ＳＣとＧＣＳ  ＡＳとは、ＲＴＰパケットスケジューリングが異なってよい。例えば、ＧＣＳ  ＡＳによって送信される１番目のＲＴＰパケットのシーケンス番号ＳＮ１０は３であり、続いてＲＴＰパケットが送信されるたびに、前のＲＴＰパケットのシーケンス番号を１だけ増加させることによってＲＴＰパケットのシーケンス番号が取得される。また、ＢＭ‐ＳＣによって送信される１番目のＲＴＰパケットのシーケンス番号ＳＮ２０は５であり、続いてＲＴＰパケットが送信されるたびに、前のＲＴＰパケットのシーケンス番号を１だけ増加させることによってＲＴＰパケットのシーケンス番号が取得される。
【００６７】
故に、ＧＣＳ  ＡＳは、ＳＮ１０とＳＮ２０との間の関係、すなわち、ＳＮ１０とＳＮ２０との差を決定する必要がある。次に、ＧＣＳ  ＡＳは、ＳＮ１０とＳＮ２０との差をＲＴＰパケットシーケンス番号参照情報として使用する。
【００６８】
計算の誤りを回避する、例えば、ＧＣＳ  ＡＳによって送信される２番目のＲＴＰパケットのシーケンス番号と、ＢＭ‐ＳＣによって送信される１番目のＲＴＰパケットのシーケンス番号との差をＲＴＰパケットシーケンス番号参照情報として使用することを回避するべく、本発明の本実施形態において、ＳＮ１０は、ＧＣＳ  ＡＳによって送信される最初のＲＴＰパケットのシーケンス番号、すなわち、ＧＣＳ  ＡＳによって送信される１番目のＲＴＰパケットのシーケンス番号であり、ＳＮ２０は、ＢＭ‐ＳＣによって送信される最初のＲＴＰパケットのシーケンス番号、すなわち、ＢＭ‐ＳＣによって送信される１番目のＲＴＰパケットのシーケンス番号である。特定の実装プロセスにおいて、ＳＮ１０とＳＮ２０との差はＳＮ１０−ＳＮ２０であってよく、又はＳＮ２０−ＳＮ１０であってよい。このことは、本願において具体的には限定されない。本発明の本実施形態において、ＳＮ１０−ＳＮ２０が説明のための例として使用されている。
【００６９】
同様にタイムスタンプ参照情報はまた、ＢＭ‐ＳＣのタイムスタンプとＧＣＳ  ＡＳのタイムスタンプとの間の減算によって取得される必要がある。本発明の本実施形態において、ＢＭ‐ＳＣが１番目のＲＴＰパケットを送信するタイムスタンプとＧＣＳ  ＡＳが１番目のＲＴＰパケットを送信するタイムスタンプとの間で減算が更に実行される。加えて、特定の実装プロセスにおいて、ＧＣＳ  ＡＳのタイムスタンプは、ＢＭ‐ＳＣのタイムスタンプから減算されてよく、又はＢＭ‐ＳＣのタイムスタンプは、ＧＣＳ  ＡＳのタイムスタンプから減算されてよい。このことは、本発明において具体的には限定されない。ＧＣＳ  ＡＳのタイムスタンプがＢＭ‐ＳＣのタイムスタンプから減算される例を使用することによって、以下で説明が提供される。
【００７０】
例えば、ＢＭ‐ＳＣによって送信される１番目のＲＴＰパケットのシーケンス番号ＳＮ１０が５であり、ＢＭ‐ＳＣが１番目のＲＴＰパケットを送信するタイムスタンプｔ１が１５であり、ＧＣＳ  ＡＳによって送信される１番目のＲＴＰパケットのシーケンス番号ＳＮ２０が３であり、ＧＣＳ  ＡＳが１番目のＲＴＰパケットを送信するタイムスタンプｔ２が１０であると仮定すると、ＳＮ１０−ＳＮ２０＝２かつｔ１−ｔ２＝５である。故に、ＲＴＰパケットシーケンス番号参照情報は２であり、タイムスタンプ参照情報は５である。
【００７１】
最後に、ＧＣＳ  ＡＳは、ＢＭ‐ＳＣのＳＳＲＣ識別子とタイムスタンプ参照情報とＲＴＰパケットシーケンス番号参照情報とをＢＭ‐ＳＣの同期ソース参照情報として使用し、これにより、ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とを取得する。
【００７２】
次に、Ｓ１０２において、ＧＣＳ  ＡＳはＢＭ‐ＳＣの同期ソース参照情報をＵＥに提供し、これにより、ＵＥは、ＢＭ‐ＳＣの同期ソース参照情報と、ＲＴＰパケットから取得されるＧＣＳ  ＡＳの同期ソース情報との両方に従ってＢＭ‐ＳＣの同期ソース情報を取得できる。最後に、ＵＥは当該２つの同期ソース情報を両方ともＵＥの信頼リストに保存する。
【００７３】
故に、ＲＴＰパケット伝送方式がユニキャスト方式からマルチキャスト方式に切り替えられた後、又はマルチキャスト方式からユニキャスト方式に切り替えられた後、２つの同期ソース情報は、ＵＥの信頼リストに保存される。故に、切り替え後、ＢＭ‐ＳＣがＲＴＰパケットを伝送するのか、又はＧＣＳ  ＡＳがＲＴＰパケットを伝送するのかにかかわらず、ＵＥはＲＴＰパケットを識別でき、これにより、ＲＴＰパケットを連続的に受信する。
【００７４】
本発明の本実施形態において、ＧＣＳ  ＡＳはいくつかの方式でＳ１０１においてＢＭ‐ＳＣの同期ソース情報を取得する。このことは具体的に、
ＢＭ‐ＳＣによって送信されるアクティブなマルチメディアブロードキャストマルチキャストサービスＭＢＭＳ状態指示情報であって、ＢＭ‐ＳＣの同期ソース情報を含むアクティブなＭＢＭＳ状態指示情報をＧＣＳ  ＡＳによって受信し、アクティブなＭＢＭＳ状態指示情報からＢＭ‐ＳＣの同期ソース情報を取得する段階、又は、
ＢＭ‐ＳＣによって送信されるＢＭ‐ＳＣの同期ソース情報をＧＣＳ  ＡＳによって受信する段階、又は、
ＢＭ‐ＳＣによって送信される、ＢＭ‐ＳＣの同期ソース情報を含むＲＴＰ制御プロトコル（英語：ＲＴＰ  Ｃｏｎｔｒｏｌ  Ｐｒｏｔｏｃｏｌ、略してＲＴＣＰ）パケットをＧＣＳ  ＡＳによって受信し、ＲＴＣＰパケットからＢＭ‐ＳＣの同期ソース情報を取得する段階を有する。
【００７５】
具体的には、ＢＭ‐ＳＣは、ＭＢＭＳ状態指示レポート手順を使用することによってアクティブなＭＢＭＳ状態指示情報をＧＣＳ  ＡＳにレポートする。故に、ＢＭ‐ＳＣは、ＢＭ‐ＳＣの同期ソース情報をアクティブなＭＢＭＳ状態指示情報に追加して、ＢＭ‐ＳＣの同期ソース情報をＧＣＳ  ＡＳに提供してよい。
【００７６】
アクティブなＭＢＭＳ状態指示情報を受信した後、ＧＣＳ  ＡＳは、アクティブなＭＢＭＳ状態指示情報を解析して、解析結果からＢＭ‐ＳＣの同期ソース情報を取得する。
【００７７】
或いは、ＢＭ‐ＳＣは、専用のＢＭ‐ＳＣレポート手順を使用することによってＢＭ‐ＳＣの同期ソース情報をレポートしてよい。本発明の本実施形態において、ＢＭ‐ＳＣレポート手順は、ＭＢ２インタフェースを使用することによってＢＭ‐ＳＣがＢＭ‐ＳＣの同期ソース情報をＧＣＳ  ＡＳにレポートする段階を含む。次に、ＧＣＳ  ＡＳは、ＭＢ２インタフェースを使用することによって、ＢＭ‐ＳＣによってレポートされるＢＭ‐ＳＣの同期ソース情報を受信する。
【００７８】
上述の２つの方法に加えて、ＢＭ‐ＳＣはＲＴＣＰパケットをＧＣＳ  ＡＳに送信してよい。ＲＴＣＰパケットはＢＭ‐ＳＣの同期ソース情報を保持しているので、ＧＣＳ  ＡＳは、ＲＴＣＰパケットを解析することによってＢＭ‐ＳＣの同期ソース情報を取得できる。
【００７９】
特定の実装プロセスでは、本願の帰属する技術分野の当業者は、実際の要件に応じて上述の３つの方式の何れか１つを選択して、ＢＭ‐ＳＣの同期ソース情報を取得してよい。このことは、本願において具体的には限定されない。
【００８０】
次に、ＧＣＳ  ＡＳはＳ１０２を実行する。本発明の本実施形態において、ＧＣＳ  ＡＳは、以下の２つの方法でＢＭ‐ＳＣの同期ソース情報又はＢＭ‐ＳＣの同期ソース参照情報をＵＥに提供する。
【００８１】
方法１１：ＧＣＳ  ＡＳは、セッション開始プロトコル（英語：Ｓｅｓｓｉｏｎ  ｉｎｉｔｉａｔｉｏｎ  ｐｒｏｔｏｃｏｌ、略してＳＩＰ）手順を使用することによってＳＩＰ情報をＵＥに送信し、ここで、ＳＩＰ情報は、ＢＭ‐ＳＣの同期ソース情報又はＢＭ‐ＳＣの同期ソース参照情報を含む。
【００８２】
具体的には、ＧＣＳ  ＡＳがＵＥに対してセッションを開始する必要がある場合、ＧＣＳ  ＡＳはＵＥに対してＳＩＰ手順を開始する。ＳＩＰ手順において、ＧＣＳ  ＡＳは、確認応答ＡＣＫメッセージ、セッション終了を示すＢＹＥ情報、又は、未完了の要求がキャンセルされる予定であることを示すＣＡＮＣＥＬ情報などのＳＩＰ情報をＵＥに送信する。ＢＭ‐ＳＣの同期ソース情報又はＢＭ‐ＳＣの同期ソース参照情報をＵＥに提供するべく、ＧＣＳ  ＡＳは、ＢＭ‐ＳＣの同期ソース情報又はＢＭ‐ＳＣの同期ソース参照情報をＳＩＰ情報に、例えば、ＡＣＫメッセージ又はＣＡＮＣＥＬ情報に、追加してよい。ＧＣＳ  ＡＳは、ＳＩＰ手順においてＢＭ‐ＳＣの同期ソース情報又はＢＭ‐ＳＣの同期ソース参照情報を含むＳＩＰ情報をＵＥに送信し、これにより、ＧＣＳ  ＡＳは、ＢＭ‐ＳＣの同期ソース情報又はＢＭ‐ＳＣの同期ソース参照情報をＵＥに提供する。
【００８３】
ＧＣＳ  ＡＳは、依然としてユニキャスト伝送方式でＲＴＰパケットをＵＥに送信することによって、ＧＣＳ  ＡＳの同期ソース情報をＵＥに提供する。ＲＴＰパケットのパケットヘッダ情報はＧＣＳ  ＡＳの同期ソース情報を含み、ＵＥは、ＲＴＰパケットを解析することによってＧＣＳ  ＡＳの同期ソース情報を取得できる。
【００８４】
方法１２：ＧＣＳ  ＡＳはＲＴＰパケットをＵＥに送信し、ここで、ＲＴＰパケットのパケットヘッダ情報は、ＢＭ‐ＳＣの同期ソース情報又はＢＭ‐ＳＣの同期ソース参照情報を含み、当該パケットヘッダ情報は更にＧＣＳ  ＡＳの同期ソース情報を含む。
【００８５】
具体的にはＧＣＳ  ＡＳは、ＢＭ‐ＳＣの同期ソース情報又はＢＭ‐ＳＣの同期ソース参照情報を、ＧＣＳ  ＡＳによって送信される予定のＲＴＰパケットのパケットヘッダ情報に追加してよい。特定の実装プロセスでは、ＢＭ‐ＳＣの同期ソース情報又はＢＭ‐ＳＣの同期ソース参照情報を保持するべく、ＧＣＳ  ＡＳは２ビット分などの新たなビット分だけＲＴＰパケットのパケットヘッダを拡張してよい。或いは、パケットヘッダ内のＧＣＳ  ＡＳのＣＳＲＣ識別子がＢＭ‐ＳＣのＳＳＲＣ識別子へと変更されてよく、次に、パケットヘッダに新たなビットが追加され、これにより、追加されたビットにＲＴＰパケットシーケンス番号参照情報及びタイムスタンプ参照情報が充填される。このように、ＲＴＰパケットのパケットヘッダ情報は、ＧＣＳ  ＡＳの同期ソース情報を含むのみならず、ＢＭ‐ＳＣの同期ソース情報又はＢＭ‐ＳＣの同期ソース参照情報もまた含む。特定の実装プロセスでは、ＢＭ‐ＳＣの同期ソース情報又はＢＭ‐ＳＣの同期ソース参照情報を、例えばパケットヘッダ情報に追加するための方式に対して、具体的な制限は設定されない。
【００８６】
当該技術的解決手段を使用することによって、ＧＣＳ  ＡＳは、ＧＣＳ  ＡＳの同期ソース情報及びＢＭ‐ＳＣの同期ソース情報の両方をＵＥに提供する。故に、ＵＥは、２つの同期ソース情報を両方ともＵＥの信頼リストに保存し、これにより、ＲＴＰパケットを連続的に受信できる。
【００８７】
本願の第２態様が、ＲＴＰパケット伝送方法をＢＭ‐ＳＣ側から説明する。図４及び図５を参照すると、当該方法は以下の段階を備える。
【００８８】
Ｓ２０１：ブロードキャスト／マルチキャストサービスセンタＢＭ‐ＳＣが、グループ通信サービスアプリケーションサーバＧＣＳ  ＡＳの同期ソース情報を取得する。
【００８９】
Ｓ２０２：ＢＭ‐ＳＣが、ＧＣＳ  ＡＳの同期ソース情報又はＧＣＳ  ＡＳの同期ソース参照情報と、ＢＭ‐ＳＣの同期ソース情報を含むＲＴＰパケットとをユーザ機器ＵＥに提供する。
【００９０】
ＢＭ‐ＳＣは、まずＳ２０１においてＧＣＳ  ＡＳの同期ソース情報を取得し、Ｓ２０２においてＧＣＳ  ＡＳの同期ソース情報をＵＥに提供する。加えて、ＢＭ‐ＳＣは、更にＲＴＰパケットをＵＥに送信する。ＲＴＰパケットは、ＢＭ‐ＳＣの同期ソース情報を含む。故に、ＵＥは、ＲＴＰパケットを解析することによって、ＢＭ‐ＳＣの同期ソース情報を取得することができる。故に、本発明の本実施形態において、ＢＭ‐ＳＣはＧＣＳ  ＡＳの同期ソース情報及びＢＭ‐ＳＣの同期ソース情報をＵＥに提供してよく、これにより、ＵＥは、当該２つの同期ソース情報を両方ともＵＥの信頼リストに保存できる。
【００９１】
本発明の本実施形態において、ＢＭ‐ＳＣの同期ソース情報は、限定されないが、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含む。ＧＣＳ  ＡＳの同期ソース情報は、限定されないが、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【００９２】
加えて、２つの同期ソース情報をＧＣＳ  ＡＳによってＵＥに提供するための方法と同様に、本発明の本実施形態において、ＢＭ‐ＳＣは、更にＧＣＳ  ＡＳの同期ソース参照情報をＵＥに提供してよい。ＧＣＳ  ＡＳの同期ソース参照情報は、ＧＣＳ  ＡＳの受信された同期ソース情報及びＢＭ‐ＳＣの同期ソース情報に従ってＢＭ‐ＳＣによって決定される情報である。
【００９３】
ＢＭ‐ＳＣがＧＣＳ  ＡＳの同期ソース参照情報をＵＥに提供する場合、ＢＭ‐ＳＣがＧＣＳ  ＡＳの同期ソース参照情報とＢＭ‐ＳＣの同期ソース情報を含むＲＴＰパケットとをユーザ機器ＵＥに提供する段階は、
ＢＭ‐ＳＣの同期ソース情報及びＧＣＳ  ＡＳの同期ソース情報に従って、ＲＴＰパケットシーケンス番号参照情報及びタイムスタンプ参照情報をＢＭ‐ＳＣによって決定する段階であって、ＲＴＰパケットシーケンス番号参照情報は、ＢＭ‐ＳＣによって送信されるＲＴＰパケットのシーケンス番号ＳＮ１０とＧＣＳ  ＡＳによって送信されるＲＴＰパケットのシーケンス番号ＳＮ２０との差であり、タイムスタンプ参照情報は、ＢＭ‐ＳＣのタイムスタンプとＧＣＳ  ＡＳのタイムスタンプとの差である、段階と、
ＧＣＳ  ＡＳのＳＳＲＣ識別子を含む、ＧＣＳ  ＡＳの同期ソース参照情報と、ＲＴＰパケットシーケンス番号参照情報と、タイムスタンプ参照情報とをＢＭ‐ＳＣによって取得する段階とを含む。
【００９４】
本発明の本実施形態において、ＢＭ‐ＳＣによってＲＴＰパケットシーケンス番号参照情報及びタイムスタンプ参照情報を取得するための方法は、ＧＣＳ  ＡＳによってＲＴＰパケットシーケンス番号参照情報及びタイムスタンプ参照情報を取得するための方法と類似している。詳細は本明細書において再度説明されない。
【００９５】
故に、Ｓ２０２において、ＢＭ‐ＳＣは、ＧＣＳ  ＡＳの同期ソース参照情報をＵＥに提供し、これにより、ＵＥは、ＧＣＳ  ＡＳの同期ソース参照情報と、ＲＴＰパケットから取得されるＢＭ‐ＳＣの同期ソース情報との両方に従ってＧＣＳ  ＡＳの同期ソース情報を取得する。最後に、ＵＥは当該２つの同期ソース情報を両方ともＵＥの信頼リストに保存する。
【００９６】
故に、ＲＴＰパケット伝送方式がユニキャスト方式からマルチキャスト方式に切り替えられた後、又はマルチキャスト方式からユニキャスト方式に切り替えられた後、２つの同期ソース情報は、ＵＥの信頼リストに保存される。故に、切り替え後、ＢＭ‐ＳＣがＲＴＰパケットを伝送するのか、又はＧＣＳ  ＡＳがＲＴＰパケットを伝送するのかにかかわらず、ＵＥはＲＴＰパケットを識別でき、これにより、ＲＴＰパケットを連続的に受信する。
【００９７】
Ｓ２０２においてＢＭ‐ＳＣによってＧＣＳ  ＡＳの同期ソース参照情報を取得するための方法を以下で説明する。本発明の本実施形態において、当該方法は具体的に、
ＧＣＳ  ＡＳによって送信されるＭＢＭＳベアラ要求情報であって、ＧＣＳ  ＡＳの同期ソース情報を含むＭＢＭＳベアラ要求情報をＢＭ‐ＳＣによって受信し、ＭＢＭＳベアラ要求情報からＧＣＳ  ＡＳの同期ソース情報を取得する段階、又は、
ＧＣＳ  ＡＳによって送信される、ＧＣＳ  ＡＳの同期ソース情報を含むＲＴＰパケットをＢＭ‐ＳＣによって受信し、ＧＣＳ  ＡＳの同期ソース情報を含むＲＴＰパケットからＧＣＳ  ＡＳの同期ソース情報を取得する段階を備える。
【００９８】
具体的には、ＢＭ‐ＳＣがＧＣＳ  ＡＳの同期ソース情報を取得するよう、ＧＣＳ  ＡＳは、ＧＣＳ  ＡＳの同期ソース情報をＭＢＭＳベアラ要求情報に追加し、ＭＢ２インタフェースを使用することによってＭＢＭＳベアラ要求情報をＢＭ‐ＳＣに送信してよい。ＢＭ‐ＳＣは、ＧＣＳ  ＡＳによって送信されるＭＢＭＳベアラ要求情報を受信する。ＭＢＭＳベアラ要求情報がＧＣＳ  ＡＳの同期ソース情報を含むので、ＢＭ‐ＳＣは、ＭＢＭＳベアラ要求情報を読み出し、解析することによって、ＧＣＳ  ＡＳの同期ソース情報を取得できる。
【００９９】
或いは、ＧＣＳ  ＡＳは、従来技術のマルチキャスト伝送方式で送信予定のＲＴＰパケットのパケットヘッダ情報にＧＣＳ  ＡＳの同期ソース情報を充填してよく、ＭＢ２インタフェースを使用することによってＲＴＰパケットをＢＭ‐ＳＣに送信する。ＧＣＳ  ＡＳによって送信されるＲＴＰパケットを受信した後、ＢＭ‐ＳＣはＲＴＰパケットを解析し、パケットヘッダ情報からＧＣＳ  ＡＳの同期ソース情報を取得する。
【０１００】
特定の実装プロセスでは、本願の帰属する技術分野の当業者は、ＧＣＳ  ＡＳの同期ソース情報をＢＭ‐ＳＣによって取得するための方法として、上述の２つの方法の中のうち１つの特定の方法を実際の要件に応じて選択してよい。このことは、本願において具体的には限定されない。
【０１０１】
ＧＣＳ  ＡＳの同期ソース情報を取得した後、ＢＭ‐ＳＣは上述の方法に従って更にＧＣＳ  ＡＳの同期ソース参照情報を取得してよく、次に、Ｓ２０２において、ＧＣＳ  ＡＳの同期ソース参照情報をＵＥに提供する。或いは、ＢＭ‐ＳＣは、取得したＧＣＳ  ＡＳの同期ソース情報をＵＥにそのまま提供してよい。本願の帰属する技術分野の当業者は、実際の要件に応じて設定を実行してよい。このことは、本願において具体的には限定されない。
【０１０２】
本発明の本実施形態において、ＢＭ‐ＳＣは、ＧＣＳ  ＡＳの同期ソース情報又はＧＣＳ  ＡＳの同期ソース参照情報を複数の方法でＵＥに提供する。当該複数の方法は、限定されないが、以下のいくつかの方法を含む。
【０１０３】
方法２１：ＢＭ‐ＳＣは、ユーザサービス記述ＵＳＤパラメータをＵＥに送信し、ここで、ＵＳＤパラメータは、ＧＣＳ  ＡＳの同期ソース情報又はＧＣＳ  ＡＳの同期ソース参照情報を含む。
【０１０４】
具体的には、ユーザサービス記述（英語：Ｕｓｅｒ  Ｓｅｒｖｉｃｅ  Ｄｅｓｃｒｉｐｔｉｏｎ、略してＵＳＤ）パラメータは、ユーザサービスに関連する１セットのパラメータである。ＵＳＤパラメータは、セッション記述プロトコル（英語：Ｓｅｓｓｉｏｎ  Ｄｅｓｃｒｉｐｔｉｏｎ  Ｐｒｏｔｏｃｏｌ、略してＳＤＰ）パラメータ、サービス送信時間、サービス送信周波数、及び同様のものを含む。ＧＣＳ  ＡＳの同期ソース情報又はＧＣＳ  ＡＳの同期ソース参照情報をＵＳＤパラメータに追加するべく、ＢＭ‐ＳＣは、ＧＣＳ  ＡＳの同期ソース情報又はＧＣＳ  ＡＳの同期ソース参照情報をＵＳＤパラメータのＳＤＰパラメータの中にカプセル化してよく、又は、ＧＣＳ  ＡＳの同期ソース情報又はＧＣＳ  ＡＳの同期ソース参照情報をＳＤＰパラメータに追加してよい。もちろん、特定の実装プロセスにおいて、当業者は、ＧＣＳ  ＡＳの同期ソース情報又はＧＣＳ  ＡＳの同期ソース参照情報を、例えば、サービス送信時間、又はサービス送信周波数といった、ＵＳＤパラメータのＳＤＰパラメータ以外の別のパラメータの中にカプセル化してよい。このことは、本願において具体的には限定されない。
【０１０５】
次に、ＢＭ‐ＳＣは、ＧＣＳ  ＡＳの同期ソース情報又はＧＣＳ  ＡＳの同期ソース参照情報を含むＵＳＤパラメータをＵＥに送信し、これにより、ＵＥは、ＵＳＤパラメータを解析してＧＣＳ  ＡＳの同期ソース情報又はＧＣＳ  ＡＳの同期ソース参照情報を取得する。
【０１０６】
本発明の本実施形態において、ＢＭ‐ＳＣがＧＣＳ  ＡＳの同期ソース情報又はＧＣＳ  ＡＳの同期ソース参照情報を、ＳＤＰパラメータの中にカプセル化するか、ＵＳＤパラメータのＳＤＰパラメータ以外の別のパラメータの中にカプセル化するかにかかわらず、ＢＭ‐ＳＣは、ＧＣＳ  ＡＳの同期ソース情報又はＧＣＳ  ＡＳの同期ソース参照情報を含むＵＳＤパラメータを以下４つの方式でＵＥに送信してよい。
【０１０７】
（１）ＢＭ‐ＳＣは、ＵＳＤパラメータをＵＥにブロードキャストする。
【０１０８】
ＢＭ‐ＳＣは、ブロードキャスト伝送プロセスを使用することによってＵＳＤパラメータをＵＥに届ける。具体的には、ＢＭ‐ＳＣ、ＭＢＭＳ  ＧＷ、及びｅＮＢが連続して使用され、次に、ｅＮＢは、ブロードキャストによってＵＳＤパラメータをＵＥに届ける。本発明の本実施形態において、ＢＭ‐ＳＣがＲＴＰパケットをＵＥに送信するプロセスと、ＢＭ‐ＳＣがブロードキャストによってＵＳＤパラメータを送信するプロセスとは互いに独立である。
【０１０９】
（２）ＢＭ‐ＳＣは、ユニキャスト伝送方式でＵＳＤパラメータをＵＥに送信する。
【０１１０】
ＢＭ‐ＳＣは、ユニキャスト伝送方式でＵＳＤパラメータをＵＥに届ける。ＵＳＤパラメータは、Ｐ‐ＧＷ、Ｓ‐ＧＷ、及びｅＮＢを連続して使用することによってＵＥに送信される。本発明の本実施形態において、ＢＭ‐ＳＣがＲＴＰパケットをＵＥに送信するプロセスと、ＢＭ‐ＳＣがユニキャストによってＵＳＤパラメータを送信するプロセスとは互いに独立である。
【０１１１】
（３）ＢＭ‐ＳＣは、ＵＳＤパラメータをＧＣＳ  ＡＳに送信し、これにより、ＧＣＳ  ＡＳは、ユニキャスト伝送方式でＵＳＤパラメータをＵＥに送信する。
【０１１２】
或いは、ＢＭ‐ＳＣは、ＧＣＳ  ＡＳの同期ソース情報又はＧＣＳ  ＡＳの同期ソース参照情報を含むＵＳＤパラメータを、ＭＢ２インタフェースを使用することによってＧＣＳ  ＡＳに送信してよい。ＵＳＤパラメータを受信した後、ＧＣＳ  ＡＳは、ユニキャスト伝送プロセスを使用することによってＵＳＤパラメータをＵＥに送信する。すなわち、ＵＳＤパラメータは、ＧＣＳ  ＡＳ、Ｐ‐ＧＷ、Ｓ‐ＧＷ、及びｅＮＢを連続して使用することによってＵＥに送信される。本発明の本実施形態において、ＢＭ‐ＳＣがＲＴＰパケットをＵＥに送信するプロセスと、ＢＭ‐ＳＣがＵＳＤパラメータをＧＣＳ  ＡＳに送信するプロセスとは互いに独立である。
【０１１３】
（４）ＢＭ‐ＳＣは、ＵＳＤパラメータをＧＣＳ  ＡＳに送信し、これにより、ＧＣＳ  ＡＳは、ＳＩＰ手順を使用することによってＵＳＤパラメータをＵＥに送信する。
【０１１４】
或いは、ＢＭ‐ＳＣは、ＧＣＳ  ＡＳの同期ソース情報又はＧＣＳ  ＡＳの同期ソース参照情報を含むＵＳＤパラメータを、ＭＢ２インタフェースを使用することによってＧＣＳ  ＡＳに送信してよい。ＧＣＳ  ＡＳは、ＳＩＰ手順を使用することによってＵＳＤパラメータをＵＥに直接送信する。ＧＣＳ  ＡＳがＳＩＰ手順を使用することによってＵＳＤパラメータをＵＥに送信する場合、ＧＣＳ  ＡＳは、ＵＳＤパラメータを転送することなく、ＵＳＤパラメータをＵＥに直接送信してよい、すなわち、ＵＳＤパラメータはＧＣＳ  ＡＳからＵＥに直接送信される。本発明の本実施形態において、ＢＭ‐ＳＣがＲＴＰパケットをＵＥに送信するプロセスと、ＢＭ‐ＳＣがＵＳＤパラメータをＧＣＳ  ＡＳに送信するプロセスとは互いに独立である。
【０１１５】
方法２１の特定の実装プロセスでは、ＧＣＳ  ＡＳのスケジューリングが、例えば、タイムスタンプの調整、又はＲＴＰパケットシーケンス番号の再構成を変更してよい。故に、ＧＣＳ  ＡＳの同期ソース情報は更新される。このようにＧＣＳ  ＡＳの同期ソース情報が更新された後、ＵＥが依然としてＧＣＳ  ＡＳからのＲＴＰパケットを識別できるよう、ＢＭ‐ＳＣは、ＧＣＳ  ＡＳの更新された同期ソース情報又はＧＣＳ  ＡＳの更新された同期ソース参照情報に従ってＵＳＤパラメータを再取得し、ＵＳＤパラメータをＵＥに送信する必要がある。
【０１１６】
本発明の本実施形態において、ＢＭ‐ＳＣは、ＧＣＳ  ＡＳの同期ソース情報が更新された場合にＵＳＤパラメータを再取得し、ＵＳＤパラメータをＵＥに送信してよい。或いは、ＢＭ‐ＳＣは、周期的に、例えば１０分ごとにＵＳＤパラメータを再取得し、ＵＳＤパラメータをＵＥに送信してよい。本願の帰属する技術分野の当業者は、実際の要件に応じて選択を行ってよい。このことは、本願において具体的には限定されない。
【０１１７】
方法２２：ＢＭ‐ＳＣは、ＲＴＰパケットをＵＥに送信し、ここで、ＲＴＰパケットのユーザデータは、ＧＣＳ  ＡＳの同期ソース情報又はＧＣＳ  ＡＳの同期ソース参照情報を含み、ＲＴＰパケットのパケットヘッダ情報は更にＢＭ‐ＳＣの同期ソース情報を含む。
【０１１８】
マルチキャストパスにおいて、ＧＣＳ  ＡＳによって送信されるＲＴＰパケットを受信した後、ＢＭ‐ＳＣは、ＢＭ‐ＳＣの同期ソース情報に従ってＲＴＰパケットのパケットヘッダ情報を変更する。変更されたパケットヘッダ情報に含まれる同期ソース情報は、ＢＭ‐ＳＣの同期ソース情報へと変更される。変更されたＲＴＰパケットはもはやＧＣＳ  ＡＳの同期ソース情報を含まないので、ＢＭ‐ＳＣは、ＧＣＳ  ＡＳの同期ソース情報又はＧＣＳ  ＡＳの同期ソース参照情報をＲＴＰパケットのユーザデータに追加する必要がある。このように、ＲＴＰパケットのパケットヘッダ情報は、ＢＭ‐ＳＣの同期ソース情報を含み、ユーザデータは、ＧＣＳ  ＡＳの同期ソース情報又はＧＣＳ  ＡＳの同期ソース参照情報を含む。故に、ＵＥは、ＢＭ‐ＳＣによって送信されるＲＴＰパケットを解析することによって、２つの同期ソース情報を取得してよい。
【０１１９】
方法２３：ＢＭ‐ＳＣは、ＲＴＰパケットをＵＥに送信し、ここで、ＲＴＰパケットのパケットヘッダ情報は、ＧＣＳ  ＡＳの同期ソース情報又はＧＣＳ  ＡＳの同期ソース参照情報を含み、当該パケットヘッダ情報は更にＢＭ‐ＳＣの同期ソース情報を含む。
【０１２０】
具体的には、ＢＭ‐ＳＣは、ＧＣＳ  ＡＳの同期ソース情報又はＧＣＳ  ＡＳの同期ソース参照情報を、ＢＭ‐ＳＣによって送信されるＲＴＰパケットのユーザデータに追加してよく、又は、ＧＣＳ  ＡＳの同期ソース情報又はＧＣＳ  ＡＳの同期ソース参照情報をＲＴＰパケットのパケットヘッダ情報に追加してよい。例えば、ＲＴＰパケットのパケットヘッダに２ビットが追加されて、ＧＣＳ  ＡＳの同期ソース情報又はＧＣＳ  ＡＳの同期ソース参照情報が保持される。或いは、パケットヘッダ内のＢＭ‐ＳＣのＣＳＲＣ識別子がＧＣＳ  ＡＳのＳＳＲＣ識別子へと変更されてよく、次に、パケットヘッダに新たなビットが追加され、これにより、追加されたビットにＲＴＰパケットシーケンス番号参照情報及びタイムスタンプ参照情報が充填される。このように、ＲＴＰパケットのパケットヘッダ情報は、ＢＭ‐ＳＣの同期ソース情報を含むのみならず、ＧＣＳ  ＡＳの同期ソース情報又はＧＣＳ  ＡＳの同期ソース参照情報もまた含む。故に、ＵＥは、ＢＭ‐ＳＣによって送信されるＲＴＰパケットを解析することによって、２つの同期ソース情報を取得してよい。
【０１２１】
特定の実装プロセスにおいて、本願の帰属する技術分野の当業者は、実際の要件に応じて、方法２１、方法２２、又は方法２３を選択してよい。このことは、本願において具体的には限定されない。
【０１２２】
本願の実施形態の第３態様が、一実施形態における同期ソース情報取得方法をＵＥ側から説明する。図６を参照すると、当該方法は以下の段階を備える。
【０１２３】
Ｓ３０１：ユーザ機器ＵＥが、第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとを受信して、第１ネットワーク側デバイスの同期ソース情報及び第２ネットワーク側デバイスの同期ソース情報を取得する。
【０１２４】
Ｓ３０２：ＵＥが、第１ネットワーク側デバイスの同期ソース情報及び第２ネットワーク側デバイスの同期ソース情報の両方をＵＥの信頼リストに保存する。
【０１２５】
本発明の本実施形態において、第１ネットワーク側デバイスはＧＣＳ  ＡＳであり、第２ネットワーク側デバイスは具体的にＢＭ‐ＳＣである。或いは、第１ネットワーク側デバイスは具体的にＢＭ‐ＳＣであり、第２ネットワーク側デバイスは具体的にＧＣＳ  ＡＳである。このことは、本願において限定されない。
【０１２６】
具体的には、ＵＥは、第１ネットワーク側デバイスによって送信されるＲＴＰパケットを受信する。ＵＥは、ＲＴＰパケットのパケットヘッダ情報から第１ネットワーク側デバイスの同期ソース情報を取得する。
【０１２７】
次に、本発明の本実施形態において、第１ネットワーク側デバイスは、第２ネットワーク側デバイスの同期ソース情報をＵＥに直接提供してよい。或いは、第１ネットワーク側デバイスは、第２ネットワーク側デバイスの同期ソース情報を間接的に提供してよい、すなわち、第２ネットワーク側デバイスの同期ソース参照情報を提供してよい。第２ネットワーク側デバイスの同期ソース情報を受信した場合、ＵＥは、Ｓ３０２において、第１ネットワーク側デバイスの受信された同期ソース情報と第２ネットワーク側デバイスの受信された同期ソース情報とをＵＥの信頼リストにそのまま保存してよい。
【０１２８】
本発明の本実施形態において、第１ネットワーク側デバイスの同期ソース情報は、限定されないが、第１ネットワーク側デバイスのＳＳＲＣ識別子、第１ネットワーク側デバイスによって送信されるＲＴＰパケットのシーケンス番号ＳＮ１０、及び第１ネットワーク側デバイスのタイムスタンプを含む。第２ネットワーク側デバイスの同期ソース情報は、限定されないが、第２ネットワーク側デバイスのＳＳＲＣ識別子、第２ネットワーク側デバイスによって送信されるＲＴＰパケットのシーケンス番号ＳＮ２０、及び第２ネットワーク側デバイスのタイムスタンプを含む。
【０１２９】
しかしながら、第１ネットワーク側デバイスによって提供される第２ネットワーク側デバイスの同期ソース参照情報を受信した場合、ＵＥは、第１ネットワーク側デバイスの同期ソース情報を参照して第２ネットワーク側デバイスの同期ソース情報を決定する必要がある。第２ネットワーク側デバイスの同期ソース参照情報は、第１ネットワーク側デバイスの同期ソース情報及び第２ネットワーク側デバイスの同期ソース参照情報に従って第１ネットワーク側デバイスによって決定される情報である。
【０１３０】
具体的には、本発明の本実施形態において、第２ネットワーク側デバイスの同期ソース参照情報は、第２ネットワーク側デバイスのＳＳＲＣ識別子、ＲＴＰパケットシーケンス番号参照情報、及びタイムスタンプ参照情報を含む。
【０１３１】
ＲＴＰパケットシーケンス番号参照情報は、第１ネットワーク側デバイスによって送信されるＲＴＰパケットのシーケンス番号ＳＮ１０と、第２ネットワーク側デバイスによって送信されるＲＴＰパケットのシーケンス番号ＳＮ２０との差である。タイムスタンプ参照情報は、第１ネットワーク側デバイスのタイムスタンプと第２ネットワーク側デバイスのタイムスタンプとの差である。
【０１３２】
故に、ＵＥが、第１ネットワーク側デバイスの同期ソース情報及び第２ネットワーク側デバイスの同期ソース参照情報に従って第２ネットワーク側デバイスの同期ソース情報を決定する段階は、
第２ネットワーク側デバイスの同期ソース参照情報から第２ネットワーク側デバイスのＳＳＲＣ識別子をＵＥによって取得する段階と、
第２ネットワーク側デバイスの同期ソース参照情報内のＲＴＰパケットシーケンス番号参照情報と、第１ネットワーク側デバイスによって送信されるＲＴＰパケットのシーケンス番号ＳＮ１０とに従って、第２ネットワーク側デバイスによって送信されるＲＴＰパケットのシーケンス番号ＳＮ２０をＵＥによって決定する段階と、
第２ネットワーク側デバイスの同期ソース参照情報内のタイムスタンプ参照情報と、第１ネットワーク側デバイスのタイムスタンプとに従って、第２ネットワーク側デバイスのタイムスタンプをＵＥによって決定する段階とを含む。
【０１３３】
第２ネットワーク側デバイスの同期ソース参照情報が第２ネットワーク側デバイスのＳＳＲＣ識別子を含むので、第２ネットワーク側デバイスのＳＳＲＣ識別子は、第２ネットワーク側デバイスの同期ソース参照情報に従って直接取得され得る。
【０１３４】
更に、第２ネットワーク側デバイスによって送信されるＲＴＰパケットのシーケンス番号ＳＮ２０（又は第２ネットワーク側デバイスのタイムスタンプ）について、ＲＴＰパケットシーケンス番号参照情報（又はタイムスタンプ参照情報）が、具体的に、ＳＮ１０（又は第１ネットワーク側のタイムスタンプ）からＳＮ２０（又は第２ネットワーク側のタイムスタンプ）を減算することによって取得される差、又は、ＳＮ２０（又は第２ネットワーク側のタイムスタンプ）からＳＮ１０（又は第１ネットワーク側のタイムスタンプ）を減算することによって取得される差であると、第１ネットワーク側デバイス及びＵＥは事前に規定してよい。第１ネットワーク側デバイスの同期ソース情報及び第２ネットワーク側デバイスの同期ソース参照情報を取得した後、ＵＥは、事前の規定に従って計算することによって、ＳＮ２０（又は第２ネットワーク側のタイムスタンプ）を取得する。
【０１３５】
或いは、第１ネットワーク側デバイスは、第２ネットワーク側デバイスの同期ソース参照情報を使用することによって、ＲＴＰパケットシーケンス番号参照情報（又はタイムスタンプ参照情報）の状態をＵＥに通知してよい。例えば、第２ネットワーク側デバイスの同期ソース参照情報にフラグビットが追加される。フラグビットが０の場合、それは、ＲＴＰパケットシーケンス番号参照情報（又はタイムスタンプ参照情報）が、具体的にＳＮ１０（又は第１ネットワーク側のタイムスタンプ）からＳＮ２０（又は第２ネットワーク側のタイムスタンプ）を減算することによって取得される差であることを示す。フラグビットが１の場合、それは、ＲＴＰパケットシーケンス番号参照情報（又はタイムスタンプ参照情報）が、具体的にＳＮ２０（又は第２ネットワーク側のタイムスタンプ）からＳＮ１０（又は第１ネットワーク側のタイムスタンプ）を減算することによって取得される差であることを示す。故に、第１ネットワーク側デバイスの同期ソース情報及び第２ネットワーク側デバイスの同期ソース参照情報を取得した後、ＵＥは、事前の規定に従って計算することによって、ＳＮ２０（又は第２ネットワーク側のタイムスタンプ）を取得する。本願の帰属する技術分野の当業者は、実際の要件に応じて選択を行ってよい。このことは、本願において具体的には限定されない。
【０１３６】
例えば、第１ネットワーク側デバイスの同期ソース情報内のＳＮ１０は５であり、第１ネットワーク側デバイスのタイムスタンプｔ１は１５であり、第２ネットワーク側デバイスの同期ソース参照情報内のＲＴＰパケットシーケンス番号参照情報は−２であり、タイムスタンプ参照情報は−５である。ＲＴＰパケットシーケンス番号参照情報が具体的にＳＮ２０−ＳＮ１０であり、タイムスタンプ参照情報が具体的に第２ネットワーク側デバイスのタイムスタンプｔ２から第１ネットワーク側デバイスのタイムスタンプｔ１を減算することによって取得される差であると第１ネットワーク側デバイス及びＵＥが事前に規定すると仮定すると、ＳＮ１０が５であり、ＲＴＰパケットシーケンス番号参照情報が−２であることから、ＳＮ２０＝３であることを知り得、第１ネットワーク側デバイスのタイムスタンプｔ１が１５であり、タイムスタンプ参照情報が−５であることから、第２ネットワーク側デバイスのタイムスタンプｔ２は１０であることを知り得る。
【０１３７】
故に、ＵＥは、第２ネットワーク側デバイスのＳＳＲＣ識別子、３であるＳＮ２０、及び１０である第２ネットワーク側デバイスのタイムスタンプｔ２を含む第２ネットワーク側デバイスの同期ソース情報を取得する。
【０１３８】
本発明の本実施形態において、第１ネットワーク側デバイスの同期ソース情報をＵＥによって取得するための方法は、ＵＥが、第１ネットワーク側デバイスによって送信されるＲＴＰパケットを解析し、パケットヘッダ情報から第１ネットワーク側デバイスの同期ソース情報を取得する、といったものである。ＵＥは、第２ネットワーク側デバイスの同期ソース情報又は第２ネットワーク側デバイスの同期ソース参照情報を以下のいくつかの方法で取得する。
【０１３９】
方法１
【０１４０】
ＵＥは、セッション開始プロトコルＳＩＰ手順を使用することによって第１ネットワーク側デバイスによりＵＥに送信されるＳＩＰ情報を受信し、ここで、ＳＩＰ情報は、第２ネットワーク側デバイスの同期ソース情報又は第２ネットワーク側デバイスの同期ソース参照情報を含み、第１ネットワーク側デバイスはＧＣＳ  ＡＳであり、第２ネットワーク側デバイスはＢＭ‐ＳＣである。
【０１４１】
第１ネットワーク側デバイスがＧＣＳ  ＡＳである場合、一方では、ＵＥは、ＧＣＳ  ＡＳによって送信されるＲＴＰパケットからＧＣＳ  ＡＳの同期ソース情報を取得してよく、他方では、ＵＥは、ＧＣＳ  ＡＳによって開始されたＳＩＰ手順を受け入れ、ＳＩＰ手順においてＧＣＳ  ＡＳによって送信されるＳＩＰ情報、例えば、ＡＣＫ情報及びＢＹＥ情報を受信する。
【０１４２】
ＧＣＳ  ＡＳがＢＭ‐ＳＣの同期ソース情報又はＢＭ‐ＳＣの同期ソース参照情報をＳＩＰ情報に追加するので、ＵＥは、ＳＩＰ情報を解析することによって、ＢＭ‐ＳＣの同期ソース情報又はＢＭ‐ＳＣの同期ソース参照情報を取得できる。
【０１４３】
方法２
【０１４４】
ＵＥは、第１ネットワーク側デバイスによって送信されるＲＴＰパケットを受信し、ここで、ＲＴＰパケットのパケットヘッダ情報は、第２ネットワーク側デバイスの同期ソース情報又は第２ネットワーク側デバイスの同期ソース参照情報を含み、パケットヘッダ情報は更に第１ネットワーク側デバイスの同期ソース情報を含み、第１ネットワーク側デバイスはＧＣＳ  ＡＳであり、第２ネットワーク側デバイスはＢＭ‐ＳＣである。
【０１４５】
具体的には、ＢＭ‐ＳＣは、まずＧＣＳ  ＡＳによって送信されるＲＴＰパケットを受信し、次に、解析することによってＧＣＳ  ＡＳの同期ソース情報を取得する。任意選択で、ＢＭ‐ＳＣは、ＢＭ‐ＳＣの同期ソース情報及びＧＣＳ  ＡＳの同期ソース情報に従って、ＢＭ‐ＳＣの同期ソース参照情報を取得する。次に、一方では、ＢＭ‐ＳＣは、ＢＭ‐ＳＣの同期ソース情報に従ってＲＴＰパケットのパケットヘッダ情報を変更する。他方では、ＢＭ‐ＳＣは、更にＢＭ‐ＳＣの同期ソース情報又はＢＭ‐ＳＣの同期ソース参照情報をＲＴＰパケットのパケットヘッダ情報に追加する。しかしながら、ＢＭ‐ＳＣの同期ソース情報又はＢＭ‐ＳＣの同期ソース参照情報は、異なる位置に配置される。ＢＭ‐ＳＣの同期ソース情報又はＢＭ‐ＳＣの同期ソース参照情報を配置するための位置は、ＲＴＰパケットを送信するＧＣＳ  ＡＳの同期ソース情報を表すことができない位置である。最後に、ＭＢ２インタフェースを使用することによって、変更されたＲＴＰパケットがＧＣＳ  ＡＳに返される。
【０１４６】
ＧＣＳ  ＡＳは、返されたＲＴＰパケットを受信し、ＲＴＰパケットのパケットヘッダ内の同期ソース情報をＧＣＳ  ＡＳの同期ソース情報へと変更する。しかしながら、ＧＣＳ  ＡＳは、ＢＭ‐ＳＣの同期ソース参照情報又はＢＭ‐ＳＣの同期ソース情報を配置するためのパケットヘッダ情報内の位置であり、かつＧＣＳ  ＡＳの同期ソース情報を表さない位置を変更しない。故に、ＧＣＳ  ＡＳによって変更された後、ＲＴＰパケットのパケットヘッダは、ＧＣＳ  ＡＳの同期ソース情報と、ＢＭ‐ＳＣの同期ソース情報又はＢＭ‐ＳＣの同期ソース参照情報とを含む。
【０１４７】
ＵＥ側では、ＵＥは、最後に、ユニキャストによって、ＧＣＳ  ＡＳによって送信されるＲＴＰパケットを受信する。ＵＥは、ＲＴＰパケットを解析し、ＧＣＳ  ＡＳの同期ソース情報と、ＢＭ‐ＳＣの同期ソース情報又はＢＭ‐ＳＣの同期ソース参照情報とをパケットヘッダデータから取得する。
【０１４８】
方法３
【０１４９】
ＵＥは、第１ネットワーク側デバイスによって送信されるユーザサービス記述ＵＳＤパラメータを受信し、ここで、ＵＳＤパラメータは、第２ネットワーク側デバイスの同期ソース情報又は第２ネットワーク側デバイスの同期ソース参照情報を含み、第１ネットワーク側デバイスはＢＭ‐ＳＣであり、第２ネットワーク側デバイスはＧＣＳ  ＡＳである。
【０１５０】
具体的には、第１ネットワーク側デバイスがＢＭ‐ＳＣである場合、ＵＥは、マルチキャスト伝送方式でＢＭ‐ＳＣによって送信されるＲＴＰパケットから、解析することによってＢＭ‐ＳＣの同期ソース情報を取得してよい。ＧＣＳ  ＡＳの同期ソース情報又はＧＣＳ  ＡＳの同期ソース参照情報について、ＵＥは、ユニキャスト方式又はブロードキャスト方式でＢＭ‐ＳＣによって直接送信されるＵＳＤパラメータを解析し、解析されたＵＳＤパラメータからＧＣＳ  ＡＳの同期ソース情報又はＧＣＳ  ＡＳの同期ソース参照情報を取得する。もちろん、ＢＭ‐ＳＣはＵＳＤパラメータをＧＣＳ  ＡＳに送信してよく、ＧＣＳ  ＡＳはＵＳＤパラメータをＵＥに送信する。このことは、本願において具体的には限定されない。
【０１５１】
ＧＣＳ  ＡＳがＵＳＤパラメータを送信する場合、本発明の本実施形態において、ＵＥはユニキャスト方式でＧＣＳ  ＡＳによって送信されるＵＳＤパラメータを、ｅＮＢを使用することによって受信してよく、又は、ＧＣＳ  ＡＳによって直接送信されるＵＳＤパラメータをＧＣＳ  ＡＳのＳＩＰ手順において受信してよい。本願の帰属する技術分野の当業者は、実際の要件に応じて設定を実行してよい。このことは、本願において具体的には限定されない。具体的な送信方式は上記において説明されており、詳細は本明細書において再度説明されない。
【０１５２】
更に、ＢＭ‐ＳＣは、ＧＣＳ  ＡＳの同期ソース情報又はＧＣＳ  ＡＳの同期ソース参照情報をＵＳＤパラメータのＳＤＰパラメータの中に、又はＵＳＤパラメータのＳＤＰパラメータ以外の別のパラメータの中にカプセル化してよい。故に、ＵＳＤパラメータを解析した後、ＵＥは、ＳＤＰパラメータから、又はＵＳＤパラメータのＳＤＰパラメータ以外の別のパラメータからＧＣＳ  ＡＳの同期ソース情報又はＧＣＳ  ＡＳの同期ソース参照情報を取得してよい。
【０１５３】
方法４
【０１５４】
ＵＥは、第１ネットワーク側デバイスによって送信されるＲＴＰパケットを受信し、ここで、ＲＴＰパケットのユーザデータ又はパケットヘッダ情報は、第２ネットワーク側デバイスの同期ソース情報又は第２ネットワーク側デバイスの同期ソース参照情報を含み、パケットヘッダ情報は更に第１ネットワーク側デバイスの同期ソース情報を含み、第１ネットワーク側デバイスはＢＭ‐ＳＣであり、第２ネットワーク側デバイスはＧＣＳ  ＡＳである。
【０１５５】
具体的には、ＢＭ‐ＳＣがＢＭ‐ＳＣの同期ソース情報及びＧＣＳ  ＡＳの同期ソース情報の両方、又は、ＢＭ‐ＳＣの同期ソース情報及びＧＣＳ  ＡＳの同期ソース参照情報の両方を同一のＲＴＰパケットを使用することによってＵＥに送信する場合、ＵＥは、ＲＴＰパケットを受信した後、ＲＴＰパケットを解析する。
【０１５６】
ＢＭ‐ＳＣがＧＣＳ  ＡＳの同期ソース情報又はＧＣＳ  ＡＳの同期ソース参照情報をＲＴＰパケットのユーザデータに追加した場合、ＵＥは、解析されたＲＴＰパケットのユーザデータからＧＣＳ  ＡＳの同期ソース参照情報を取得する。加えて、ＵＥは、ＲＴＰパケットのパケットヘッダ情報からＢＭ‐ＳＣの同期ソース情報を取得する。
【０１５７】
最後に、ＵＥは、Ｓ３０２において、第１ネットワーク側デバイスの同期ソース情報及び第２ネットワーク側デバイスの同期ソース情報の両方をＵＥの信頼リストに保存する。
【０１５８】
伝送方式がユニキャスト方式からマルチキャスト方式に切り替えられた後、信頼リストがＢＭ‐ＳＣの同期ソース情報を保存するので、ＵＥは、ＢＭ‐ＳＣによって送信されるＲＴＰパケットを識別してよい。同様に、伝送方式がマルチキャスト方式からユニキャスト方式に切り替えられた後、信頼リストがＧＣＳ  ＡＳの同期ソース情報を保存するので、ＵＥは、ＧＣＳ  ＡＳによって送信されるＲＴＰパケットを識別してよい。
【０１５９】
故に、本発明の本実施形態において、伝送方式がマルチキャスト方式とユニキャスト方式との間で切り替えられた後、ＵＥは依然として連続的にＲＴＰパケットを受信でき、これにより、受信の連続性が維持される。
【０１６０】
本願の第４態様が、リアルタイムトランスポートプロトコルＲＴＰパケット伝送装置を提供する。図７に示されるように、当該装置は、
ブロードキャスト／マルチキャストサービスセンタＢＭ‐ＳＣの同期ソース情報を取得するよう構成される第１の取得ユニット７０１と、
ＢＭ‐ＳＣの同期ソース情報又はＢＭ‐ＳＣの同期ソース参照情報と、グループ通信サービスアプリケーションサーバＧＣＳ  ＡＳの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得し、ＵＥの信頼リストに保存する、第１の送信ユニット７０２とを備える。
【０１６１】
ＢＭ‐ＳＣの同期ソース参照情報は、ＢＭ‐ＳＣの同期ソース情報及びＧＣＳ  ＡＳの同期ソース情報に従って決定される情報である。
【０１６２】
任意選択で、第１の送信ユニット７０２は、
ＢＭ‐ＳＣの同期ソース参照情報と、ＧＣＳ  ＡＳの同期ソース情報を含むＲＴＰパケットとをＵＥに提供するよう構成され、これにより、ＵＥは、ＧＣＳ  ＡＳの同期ソース情報及びＢＭ‐ＳＣの同期ソース参照情報に従ってＢＭ‐ＳＣの同期ソース情報を取得し、ＢＭ‐ＳＣの同期ソース情報及びＧＣＳ  ＡＳの同期ソース情報をＵＥの信頼リストに保存する。
【０１６３】
本発明の本実施形態において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含む。
【０１６４】
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【０１６５】
更に、第１の送信ユニット７０２は、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とを取得するよう構成される。
【０１６６】
任意選択で、第１の取得ユニット７０１は、
ＢＭ‐ＳＣによって送信されるアクティブなマルチメディアブロードキャストマルチキャストサービスＭＢＭＳ状態指示情報であって、ＢＭ‐ＳＣの同期ソース情報を含むアクティブなＭＢＭＳ状態指示情報を受信し、アクティブなＭＢＭＳ状態指示情報からＢＭ‐ＳＣの同期ソース情報を取得する、又は、
ＢＭ‐ＳＣによって送信されるＢＭ‐ＳＣの同期ソース情報を受信する、又は、
ＢＭ‐ＳＣによって送信される、ＢＭ‐ＳＣの同期ソース情報を含むＲＴＰ制御プロトコルＲＴＣＰパケットを受信し、当該ＲＴＣＰパケットからＢＭ‐ＳＣの同期ソース情報を取得するよう構成される。
【０１６７】
本発明の本実施形態において、ＢＭ‐ＳＣの同期ソース情報又はＢＭ‐ＳＣの同期ソース参照情報は、複数の方式で送信される。故に、第１の送信ユニット７０２は、
セッション開始プロトコルＳＩＰ手順を使用することによってＳＩＰ情報をＵＥに送信するよう構成され、ここで、ＳＩＰ情報は、ＢＭ‐ＳＣの同期ソース情報又はＢＭ‐ＳＣの同期ソース参照情報を含む。
【０１６８】
或いは、第１の送信ユニット７０２は、
ＲＴＰパケットをＵＥに送信するよう構成され、ここで、ＲＴＰパケットのパケットヘッダ情報は、ＢＭ‐ＳＣの同期ソース情報又はＢＭ‐ＳＣの同期ソース参照情報を含み、当該パケットヘッダ情報は更にＧＣＳ  ＡＳの同期ソース情報を含む。
【０１６９】
本願の第５態様が、リアルタイムトランスポートプロトコルＲＴＰパケット伝送装置を提供する。図８に示されるように、当該装置は、
グループ通信サービスアプリケーションサーバＧＣＳ  ＡＳの同期ソース情報を取得するよう構成される第２の取得ユニット８０１と、
ＧＣＳ  ＡＳの同期ソース情報又はＧＣＳ  ＡＳの同期ソース参照情報と、ブロードキャスト／マルチキャストサービスセンタＢＭ‐ＳＣの同期ソース情報を含むＲＴＰパケットとをユーザ機器ＵＥに提供するよう構成され、これにより、ＵＥが、ＢＭ‐ＳＣの同期ソース情報及びＧＣＳ  ＡＳの同期ソース情報を取得し、ＵＥの信頼リストに保存する、第２の送信ユニット８０２とを備える。
【０１７０】
ＧＣＳ  ＡＳの同期ソース参照情報は、ＧＣＳ  ＡＳの同期ソース情報及びＢＭ‐ＳＣの同期ソース情報に従って決定される情報である。
【０１７１】
任意選択で、第２の送信ユニット８０２は、
ＧＣＳ  ＡＳの同期ソース参照情報と、ＢＭ‐ＳＣの同期ソース情報を含むＲＴＰパケットとをＵＥに提供するよう構成され、これにより、ＵＥは、ＢＭ‐ＳＣの同期ソース情報及びＧＣＳ  ＡＳの同期ソース参照情報に従ってＧＣＳ  ＡＳの同期ソース情報を取得し、ＢＭ‐ＳＣの同期ソース情報及びＧＣＳ  ＡＳの同期ソース情報をＵＥの信頼リストに保存する。
【０１７２】
本発明の本実施形態において、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含む。
【０１７３】
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【０１７４】
更に、第２の送信ユニット８０２は、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＧＣＳ  ＡＳのＳＳＲＣ識別子を含む、ＧＣＳ  ＡＳの同期ソース参照情報と、ＲＴＰパケットシーケンス番号参照情報と、タイムスタンプ参照情報とを取得するよう構成される。
【０１７５】
具体的には、第２の取得ユニット８０１は、
ＧＣＳ  ＡＳによって送信されるＭＢＭＳベアラ要求情報であって、ＧＣＳ  ＡＳの同期ソース情報を含むＭＢＭＳベアラ要求情報を受信し、ＭＢＭＳベアラ要求情報からＧＣＳ  ＡＳの同期ソース情報を取得する、又は、
ＧＣＳ  ＡＳによって送信される、ＧＣＳ  ＡＳの同期ソース情報を含むＲＴＰパケットを受信し、ＧＣＳ  ＡＳの同期ソース情報を含むＲＴＰパケットからＧＣＳ  ＡＳの同期ソース情報を取得するよう構成される。
【０１７６】
本発明の本実施形態において、第２の送信ユニット８０２は、
ユーザサービス記述ＵＳＤパラメータをＵＥに送信するよう構成され、ここで、ＵＳＤパラメータは、ＧＣＳ  ＡＳの同期ソース情報又はＧＣＳ  ＡＳの同期ソース参照情報を含む。
【０１７７】
或いは、第２の送信ユニット８０２は、
ＲＴＰパケットをＵＥに送信するよう構成され、ここで、ＲＴＰパケットのユーザデータ又はパケットヘッダ情報は、ＧＣＳ  ＡＳの同期ソース情報又はＧＣＳ  ＡＳの同期ソース参照情報を含み、当該パケットヘッダ情報は更にＢＭ‐ＳＣの同期ソース情報を含む。
【０１７８】
具体的には、ＢＭ‐ＳＣは、複数の方式でＵＳＤパラメータをＵＥに送信する。故に、第２の送信ユニット８０２は具体的に、
ＵＳＤパラメータをＧＣＳ  ＡＳに送信するよう構成され、これにより、ＧＣＳ  ＡＳがユニキャスト伝送方式でＵＳＤパラメータをＵＥに送信する、又は、
ＵＳＤパラメータをＧＣＳ  ＡＳに送信するよう構成され、これにより、ＧＣＳ  ＡＳがＳＩＰ手順を使用することによってＵＳＤパラメータをＵＥに送信する。
【０１７９】
本願の第６態様が、同期ソース情報取得装置を提供する。図９に示されるように、当該装置は、
第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとを受信して、第１ネットワーク側デバイスの同期ソース情報及び第２ネットワーク側デバイスの同期ソース情報を取得するよう構成される第３の取得ユニット９０１と、
第１ネットワーク側デバイスの同期ソース情報及び第２ネットワーク側デバイスの同期ソース情報の両方をＵＥの信頼リストに保存するよう構成されるストレージユニット９０２とを備える。
【０１８０】
第２ネットワーク側デバイスの同期ソース参照情報は、第１ネットワーク側デバイスの同期ソース情報及び第２ネットワーク側デバイスの同期ソース情報に従って決定される情報である。第１ネットワーク側デバイスは、ブロードキャスト／マルチキャストサービスセンタＢＭ‐ＳＣであり、第２ネットワーク側デバイスは、グループ通信サービスアプリケーションサーバＧＣＳ  ＡＳであるか、又は、第１ネットワーク側デバイスはＧＣＳ  ＡＳであり、第２ネットワーク側デバイスはＢＭ‐ＳＣである。
【０１８１】
任意選択で、第３の取得ユニット９０１は、
第１ネットワーク側デバイスの同期ソース情報を含むＲＴＰパケットを受信して、第１ネットワーク側デバイスの同期ソース情報及び第２ネットワーク側デバイスの同期ソース参照情報を取得し、
第１ネットワーク側デバイスの同期ソース情報及び第２ネットワーク側デバイスの同期ソース参照情報に従って第２ネットワーク側デバイスの同期ソース情報を決定するよう構成される。
【０１８２】
本発明の本実施形態において、第１ネットワーク側デバイスの同期ソース情報は、第１ネットワーク側デバイスのＳＳＲＣ識別子、第１ネットワーク側デバイスによって送信されるＲＴＰパケットのシーケンス番号ＳＮ１０、及び第１ネットワーク側デバイスのタイムスタンプを含む。
【０１８３】
第２ネットワーク側デバイスの同期ソース情報は、第２ネットワーク側デバイスのＳＳＲＣ識別子、第２ネットワーク側デバイスによって送信されるＲＴＰパケットのシーケンス番号ＳＮ２０、及び第２ネットワーク側デバイスのタイムスタンプを含む。
【０１８４】
第２ネットワーク側デバイスの同期ソース参照情報は、第２ネットワーク側デバイスのＳＳＲＣ識別子、ＲＴＰパケットシーケンス番号参照情報、及びタイムスタンプ参照情報を含み、ここで、ＲＴＰパケットシーケンス番号参照情報は、第１ネットワーク側デバイスによって送信されるＲＴＰパケットのシーケンス番号ＳＮ１０と、第２ネットワーク側デバイスによって送信されるＲＴＰパケットのシーケンス番号ＳＮ２０との差であり、タイムスタンプ参照情報は、第１ネットワーク側デバイスのタイムスタンプと第２ネットワーク側デバイスのタイムスタンプとの差である。
【０１８５】
更に、第３の取得ユニット９０１は、
第２ネットワーク側デバイスの同期ソース参照情報から第２ネットワーク側デバイスのＳＳＲＣ識別子を取得し、
第２ネットワーク側デバイスの同期ソース参照情報内のＲＴＰパケットシーケンス番号参照情報と、第１ネットワーク側デバイスによって送信されるＲＴＰパケットのシーケンス番号ＳＮ１０とに従って、第２ネットワーク側デバイスによって送信されるＲＴＰパケットのシーケンス番号ＳＮ２０を決定し、
第２ネットワーク側デバイスの同期ソース参照情報内のタイムスタンプ参照情報と、第１ネットワーク側デバイスのタイムスタンプとに従って、第２ネットワーク側デバイスのタイムスタンプを決定するよう構成される。
【０１８６】
具体的には、第３の取得ユニット９０１は、
セッション開始プロトコルＳＩＰ手順を使用することによって第１ネットワーク側デバイスによりＵＥに送信されるＳＩＰ情報を受信するよう構成され、ここで、ＳＩＰ情報は第２ネットワーク側デバイスの同期ソース情報又は第２ネットワーク側デバイスの同期ソース参照情報を含み、第１ネットワーク側デバイスはＧＣＳ  ＡＳであり、第２ネットワーク側デバイスはＢＭ‐ＳＣである、又は、
第１ネットワーク側デバイスによって送信されるＲＴＰパケットを受信するよう構成され、ここで、ＲＴＰパケットのパケットヘッダ情報は、第２ネットワーク側デバイスの同期ソース情報又は第２ネットワーク側デバイスの同期ソース参照情報を含み、パケットヘッダ情報は更に第１ネットワーク側デバイスの同期ソース情報を含み、第１ネットワーク側デバイスはＧＣＳ  ＡＳであり、第２ネットワーク側デバイスはＢＭ‐ＳＣである、又は、
第１ネットワーク側デバイスによって送信されるユーザサービス記述ＵＳＤパラメータを受信するよう構成され、ここで、ＵＳＤパラメータは、第２ネットワーク側デバイスの同期ソース情報又は第２ネットワーク側デバイスの同期ソース参照情報を含み、第１ネットワーク側デバイスはＢＭ‐ＳＣであり、第２ネットワーク側デバイスはＧＣＳ  ＡＳである、又は、
第１ネットワーク側デバイスによって送信されるＲＴＰパケットを受信するよう構成され、ここで、ＲＴＰパケットのユーザデータ又はパケットヘッダ情報は、第２ネットワーク側デバイスの同期ソース情報又は第２ネットワーク側デバイスの同期ソース参照情報を含み、当該パケットヘッダ情報は更に第１ネットワーク側デバイスの同期ソース情報を含み、第１ネットワーク側デバイスはＢＭ‐ＳＣであり、第２ネットワーク側デバイスはＧＣＳ  ＡＳである。
【０１８７】
図１０は、本発明の実施形態に係る、ＧＣＳ  ＡＳの考えられる概略構造図、ＢＭ‐ＳＣの考えられる概略構造図、又は、ＵＥの考えられる概略構造図を示す。
【０１８８】
図１０の構造に示されるように、本発明の本実施形態のＧＣＳ  ＡＳ、ＢＭ‐ＳＣ、及びＵＥの各々は、少なくとも受信機、送信機、プロセッサ、メモリ、バスインタフェース、及びバスを備える。しかしながら、具体的なデバイスについて、コンポーネントの機能は全く同じというわけではない。
【０１８９】
以下で具体的に、図１０に示された構造が具体的には異なるデバイスである場合の受信機、送信機、プロセッサ、メモリ、バスインタフェース、及びバスといったコンポーネントの機能を説明する。
【０１９０】
１．図１０に示されたデバイスがＧＣＳ  ＡＳである場合、
受信機はブロードキャスト／マルチキャストサービスセンタＢＭ‐ＳＣの同期ソース情報を取得するよう構成され、
送信機は、ＢＭ‐ＳＣの同期ソース情報又はＢＭ‐ＳＣの同期ソース参照情報と、ＧＣＳ  ＡＳの同期ソース情報を含むＲＴＰパケットとをユーザ機器ＵＥに提供するよう構成され、これにより、ＵＥは、ＢＭ‐ＳＣの同期ソース情報及びＧＣＳ  ＡＳの同期ソース情報を取得して、ＵＥの信頼リストに保存する。
【０１９１】
ＢＭ‐ＳＣの同期ソース参照情報は、ＢＭ‐ＳＣの同期ソース情報及びＧＣＳ  ＡＳの同期ソース情報に従って決定される情報である。
【０１９２】
任意選択で、送信機は、
ＢＭ‐ＳＣの同期ソース参照情報と、ＧＣＳ  ＡＳの同期ソース情報を含むＲＴＰパケットとをＵＥに提供するよう構成され、これにより、ＵＥは、ＧＣＳ  ＡＳの同期ソース情報及びＢＭ‐ＳＣの同期ソース参照情報に従ってＢＭ‐ＳＣの同期ソース情報を取得し、ＢＭ‐ＳＣの同期ソース情報及びＧＣＳ  ＡＳの同期ソース情報をＵＥの信頼リストに保存する。
【０１９３】
図１０に示された構造がＧＣＳ  ＡＳである場合、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含み、
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【０１９４】
プロセッサは、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＢＭ‐ＳＣのＳＳＲＣ識別子を含む、ＢＭ‐ＳＣの同期ソース参照情報と、ＲＴＰパケットシーケンス番号参照情報と、タイムスタンプ参照情報とを取得するよう構成される。
【０１９５】
任意選択で、受信機は、ＢＭ‐ＳＣによって送信されるアクティブなマルチメディアブロードキャストマルチキャストサービスＭＢＭＳ状態指示情報であって、ＢＭ‐ＳＣの同期ソース情報を含むアクティブなＭＢＭＳ状態指示情報を受信するよう構成され、プロセッサは、アクティブなＭＢＭＳ状態指示情報からＢＭ‐ＳＣの同期ソース情報を取得するよう構成される、又は、
受信機は、ＢＭ‐ＳＣによって送信されるＢＭ‐ＳＣの同期ソース情報を受信するよう構成される、又は、
受信機は、ＢＭ‐ＳＣによって送信される、ＢＭ‐ＳＣの同期ソース情報を含むＲＴＰ制御プロトコルＲＴＣＰパケットを受信するよう構成され、プロセッサは、当該ＲＴＣＰパケットからＢＭ‐ＳＣの同期ソース情報を取得するよう構成される。
【０１９６】
任意選択で、送信機は、
セッション開始プロトコルＳＩＰ手順を使用することによってＳＩＰ情報をＵＥに送信するよう構成され、ここで、ＳＩＰ情報は、ＢＭ‐ＳＣの同期ソース情報又はＢＭ‐ＳＣの同期ソース参照情報を含む。
【０１９７】
任意選択で、送信機は、
ＲＴＰパケットをＵＥに送信するよう構成され、ここで、ＲＴＰパケットのパケットヘッダ情報は、ＢＭ‐ＳＣの同期ソース情報又はＢＭ‐ＳＣの同期ソース参照情報を含み、当該パケットヘッダ情報は更にＧＣＳ  ＡＳの同期ソース情報を含む。
【０１９８】
２．図１０に示されたデバイスがＢＭ‐ＳＣである場合、
受信機は、グループ通信サービスアプリケーションサーバＧＣＳ  ＡＳの同期ソース情報を取得するよう構成され、
送信機は、ＧＣＳ  ＡＳの同期ソース情報又はＧＣＳ  ＡＳの同期ソース参照情報と、ＢＭ‐ＳＣの同期ソース情報を含むＲＴＰパケットとをユーザ機器ＵＥに提供するよう構成され、これにより、ＵＥは、ＢＭ‐ＳＣの同期ソース情報及びＧＣＳ  ＡＳの同期ソース情報を取得し、ＵＥの信頼リストに保存する。
【０１９９】
ＧＣＳ  ＡＳの同期ソース参照情報は、ＧＣＳ  ＡＳの同期ソース情報及びＢＭ‐ＳＣの同期ソース情報に従って決定される情報である。
【０２００】
任意選択で、送信機は、
ＧＣＳ  ＡＳの同期ソース参照情報と、ＢＭ‐ＳＣの同期ソース情報を含むＲＴＰパケットとをＵＥに提供するよう構成され、これにより、ＵＥは、ＢＭ‐ＳＣの同期ソース情報及びＧＣＳ  ＡＳの同期ソース参照情報に従ってＧＣＳ  ＡＳの同期ソース情報を取得し、ＢＭ‐ＳＣの同期ソース情報及びＧＣＳ  ＡＳの同期ソース情報をＵＥの信頼リストに保存する。
【０２０１】
具体的には、ＢＭ‐ＳＣの同期ソース情報は、ＢＭ‐ＳＣの同期データソースＳＳＲＣ識別子、ＢＭ‐ＳＣによって送信されるＲＴＰパケットのシーケンス番号ＳＮ１０、及びＢＭ‐ＳＣのタイムスタンプを含む。
【０２０２】
ＧＣＳ  ＡＳの同期ソース情報は、ＧＣＳ  ＡＳのＳＳＲＣ識別子、ＧＣＳ  ＡＳによって送信されるＲＴＰパケットのシーケンス番号ＳＮ２０、及びＧＣＳ  ＡＳのタイムスタンプを含む。
【０２０３】
更に、ＢＭ‐ＳＣのプロセッサは、
ＢＭ‐ＳＣによって送信されるＲＴＰパケットのシーケンス番号ＳＮ１０と、ＧＣＳ  ＡＳによって送信されるＲＴＰパケットのシーケンス番号ＳＮ２０との差であるＲＴＰパケットシーケンス番号参照情報と、ＢＭ‐ＳＣのタイムスタンプとＧＣＳ  ＡＳのタイムスタンプとの差であるタイムスタンプ参照情報とをＢＭ‐ＳＣの同期ソース情報及びＧＣＳ  ＡＳの同期ソース情報に従って決定し、
ＧＣＳ  ＡＳのＳＳＲＣ識別子を含む、ＧＣＳ  ＡＳの同期ソース参照情報と、ＲＴＰパケットシーケンス番号参照情報と、タイムスタンプ参照情報とを取得するよう構成される。
【０２０４】
任意選択で、受信機は、ＧＣＳ  ＡＳによって送信されるＭＢＭＳベアラ要求情報であって、ＧＣＳ  ＡＳの同期ソース情報を含むＭＢＭＳベアラ要求情報を受信するよう構成され、プロセッサは、ＭＢＭＳベアラ要求情報からＧＣＳ  ＡＳの同期ソース情報を取得するよう構成される、又は、
受信機は、ＧＣＳ  ＡＳによって送信される、ＧＣＳ  ＡＳの同期ソース情報を含むＲＴＰパケットを受信するよう構成され、プロセッサは、ＧＣＳ  ＡＳの同期ソース情報を含むＲＴＰパケットから、ＧＣＳ  ＡＳの同期ソース情報を取得するよう構成される。
【０２０５】
任意選択で、送信機は、
ユーザサービス記述ＵＳＤパラメータをＵＥに送信するよう構成され、ここで、ＵＳＤパラメータは、ＧＣＳ  ＡＳの同期ソース情報又はＧＣＳ  ＡＳの同期ソース参照情報を含む。
【０２０６】
任意選択で、送信機は、
ＲＴＰパケットをＵＥに送信するよう構成され、ここで、ＲＴＰパケットのユーザデータ又はパケットヘッダ情報は、ＧＣＳ  ＡＳの同期ソース情報又はＧＣＳ  ＡＳの同期ソース参照情報を含み、当該パケットヘッダ情報は更にＢＭ‐ＳＣの同期ソース情報を含む。
【０２０７】
ＢＭ‐ＳＣがＵＳＤパラメータをＵＥに送信する場合、送信機は、
ＵＳＤパラメータをＧＣＳ  ＡＳに送信するよう構成され、これにより、ＧＣＳ  ＡＳがユニキャスト伝送方式でＵＳＤパラメータをＵＥに送信する、又は、
ＵＳＤパラメータをＧＣＳ  ＡＳに送信するよう構成され、これにより、ＧＣＳ  ＡＳがＳＩＰ手順を使用することによってＵＳＤパラメータをＵＥに送信する。
【０２０８】
３．図１０に示されたデバイスがＵＥである場合、
受信機は、第１ネットワーク側デバイスによって送信される第２ネットワーク側デバイスの同期ソース情報、又は第１ネットワーク側デバイスによって送信される第２ネットワーク側デバイスの同期ソース参照情報と、第１ネットワーク側デバイスによって送信される、第１ネットワーク側デバイスの同期ソース情報を含むリアルタイムトランスポートプロトコルＲＴＰパケットとを受信するよう構成され、
プロセッサは、第１ネットワーク側デバイスの同期ソース情報及び第２ネットワーク側デバイスの同期ソース情報を取得し、第１ネットワーク側デバイスの同期ソース情報及び第２ネットワーク側デバイスの同期ソース情報の両方をＵＥの信頼リストに保存するよう構成される。
【０２０９】
第２ネットワーク側デバイスの同期ソース参照情報は、第１ネットワーク側デバイスの同期ソース情報及び第２ネットワーク側デバイスの同期ソース情報に従って決定される情報である。第１ネットワーク側デバイスはブロードキャスト／マルチキャストサービスセンタＢＭ‐ＳＣであり、第２ネットワーク側デバイスはグループ通信サービスアプリケーションサーバＧＣＳ  ＡＳであるか、又は、第１ネットワーク側デバイスはＧＣＳ  ＡＳであり、第２ネットワーク側デバイスはＢＭ‐ＳＣである。
【０２１０】
任意選択で、プロセッサは、
第１ネットワーク側デバイスの同期ソース情報を含む、受信されたＲＴＰパケットを使用することによって、第１ネットワーク側デバイスの同期ソース情報及び第２ネットワーク側デバイスの同期ソース参照情報を取得し、
第１ネットワーク側デバイスの同期ソース情報及び第２ネットワーク側デバイスの同期ソース参照情報に従って第２ネットワーク側デバイスの同期ソース情報を決定するよう構成される。
【０２１１】
具体的に、第１ネットワーク側デバイスの同期ソース情報は、第１ネットワーク側デバイスのＳＳＲＣ識別子、第１ネットワーク側デバイスによって送信されるＲＴＰパケットのシーケンス番号ＳＮ１０、及び第１ネットワーク側デバイスのタイムスタンプを含む。
【０２１２】
第２ネットワーク側デバイスの同期ソース情報は、第２ネットワーク側デバイスのＳＳＲＣ識別子、第２ネットワーク側デバイスによって送信されるＲＴＰパケットのシーケンス番号ＳＮ２０、及び第２ネットワーク側デバイスのタイムスタンプを含む。
【０２１３】
第２ネットワーク側デバイスの同期ソース参照情報は、第２ネットワーク側デバイスのＳＳＲＣ識別子、ＲＴＰパケットシーケンス番号参照情報、及びタイムスタンプ参照情報を含み、ここで、ＲＴＰパケットシーケンス番号参照情報は、第１ネットワーク側デバイスによって送信されるＲＴＰパケットのシーケンス番号ＳＮ１０と、第２ネットワーク側デバイスによって送信されるＲＴＰパケットのシーケンス番号ＳＮ２０との差であり、タイムスタンプ参照情報は、第１ネットワーク側デバイスのタイムスタンプと第２ネットワーク側デバイスのタイムスタンプとの差である。
【０２１４】
プロセッサは、
第２ネットワーク側デバイスの同期ソース参照情報から第２ネットワーク側デバイスのＳＳＲＣ識別子を取得し、
第２ネットワーク側デバイスの同期ソース参照情報内のＲＴＰパケットシーケンス番号参照情報と、第１ネットワーク側デバイスによって送信されるＲＴＰパケットのシーケンス番号ＳＮ１０とに従って、第２ネットワーク側デバイスによって送信されるＲＴＰパケットのシーケンス番号ＳＮ２０を決定し、
第２ネットワーク側デバイスの同期ソース参照情報内のタイムスタンプ参照情報と、第１ネットワーク側デバイスのタイムスタンプとに従って、第２ネットワーク側デバイスのタイムスタンプを決定するよう構成される。
【０２１５】
任意選択で、受信機は、
セッション開始プロトコルＳＩＰ手順を使用することによって第１ネットワーク側デバイスによりＵＥに送信されるＳＩＰ情報を受信するよう構成され、ここで、ＳＩＰ情報は第２ネットワーク側デバイスの同期ソース情報又は第２ネットワーク側デバイスの同期ソース参照情報を含み、第１ネットワーク側デバイスはＧＣＳ  ＡＳであり、第２ネットワーク側デバイスはＢＭ‐ＳＣである、又は、
第１ネットワーク側デバイスによって送信されるＲＴＰパケットを受信するよう構成され、ここで、ＲＴＰパケットのパケットヘッダ情報は、第２ネットワーク側デバイスの同期ソース情報又は第２ネットワーク側デバイスの同期ソース参照情報を含み、パケットヘッダ情報は更に第１ネットワーク側デバイスの同期ソース情報を含み、第１ネットワーク側デバイスはＧＣＳ  ＡＳであり、第２ネットワーク側デバイスはＢＭ‐ＳＣである、又は、
第１ネットワーク側デバイスによって送信されるユーザサービス記述ＵＳＤパラメータを受信するよう構成され、ここで、ＵＳＤパラメータは、第２ネットワーク側デバイスの同期ソース情報又は第２ネットワーク側デバイスの同期ソース参照情報を含み、第１ネットワーク側デバイスはＢＭ‐ＳＣであり、第２ネットワーク側デバイスはＧＣＳ  ＡＳである、又は、
第１ネットワーク側デバイスによって送信されるＲＴＰパケットを受信するよう構成され、ここで、ＲＴＰパケットのユーザデータ又はパケットヘッダ情報は、第２ネットワーク側デバイスの同期ソース情報又は第２ネットワーク側デバイスの同期ソース参照情報を含み、当該パケットヘッダ情報は更に第１ネットワーク側デバイスの同期ソース情報を含み、第１ネットワーク側デバイスはＢＭ‐ＳＣであり、第２ネットワーク側デバイスはＧＣＳ  ＡＳである。
【０２１６】
図１０に示された構造がＧＣＳ  ＡＳであるか、ＢＭ‐ＳＣであるか、ＵＥであるかにかかわらず、図１０において、バスは、任意の数の相互接続バス及びブリッジを含んでよく、バスは、プロセッサによって表される１又は複数のプロセッサと、メモリによって表されるメモリとを含む回路を一緒に接続する。バスは、更に周辺デバイス、電圧安定装置、及び電力管理回路などの他の回路を一緒に接続してよい。これらの回路は全て、当該技術分野において既知であり、故に、本明細書において更には説明されない。バスインタフェースは、バスと受信機との間のインタフェースと、バスと送信機との間のインタフェースとを提供する。受信機及び送信機は、伝送媒体上の他の装置と通信するよう構成されるユニットを提供する同一の要素、すなわち、送受信機であってよい。
【０２１７】
プロセッサは、バス管理及び一般的な処理を担当し、メモリは、プロセッサがオペレーションを実行する場合に使用されるデータを保存するよう構成されてよい。
【０２１８】
上述の実施形態において説明されたＲＴＰパケット伝送方法及び同期ソース情報取得方法の変更形態及び具体的な例もまた、本実施形態のＧＣＳ  ＡＳ、ＢＭ‐ＳＣ、及びＵＥに対して適用可能である。上述のＲＴＰパケット伝送方法、同期ソース情報取得方法、ＲＴＰパケット伝送装置、及び同期ソース情報取得装置の実行プロセスの詳細な説明に従って、当業者ならば、本実施形態のＧＣＳ  ＡＳ、ＢＭ‐ＳＣ、及びＵＥの実装方法を明確に知ることができる。故に、本明細書を簡潔にするべく、詳細は本明細書において説明されない。
【０２１９】
本発明の実施形態において提供される１又は複数の技術的解決手段は、少なくとも以下の技術的効果又は利点を有する。
【０２２０】
本発明の実施形態において、ＧＣＳ  ＡＳがＢＭ‐ＳＣの同期ソース情報を取得し、ＧＣＳ  ＡＳは、ＢＭ‐ＳＣの同期ソース情報又はＢＭ‐ＳＣの同期ソース参照情報と、ＧＣＳ  ＡＳの同期ソース情報を含むＲＴＰパケットとをユーザ機器ＵＥに提供し、これにより、ＵＥは、ＢＭ‐ＳＣの同期ソース情報及びＧＣＳ  ＡＳの同期ソース情報を取得し、ＵＥの信頼リストに保存する。或いは、ＢＭ‐ＳＣが、ＧＣＳ  ＡＳの同期ソース情報を取得し、ＢＭ‐ＳＣは、ＧＣＳ  ＡＳの同期ソース情報又はＧＣＳ  ＡＳの同期ソース参照情報と、ＢＭ‐ＳＣの同期ソース情報を含むＲＴＰパケットとをユーザ機器ＵＥに提供し、これにより、ＵＥは、ＢＭ‐ＳＣの同期ソース情報及びＧＣＳ  ＡＳの同期ソース情報を取得し、ＵＥの信頼リストに保存する。故に、本発明の実施形態において、一方では、ＲＴＰパケットを送信することによって、ＧＣＳ  ＡＳ（又はＢＭ‐ＳＣ）はＧＣＳ  ＡＳの同期ソース情報（又は、ＢＭ‐ＳＣの同期ソース情報）をＵＥに提供してよい。他方では、ＧＣＳ  ＡＳ（又は、ＢＭ‐ＳＣ）は、更にＢＭ‐ＳＣの同期ソース情報（又は、ＧＣＳ  ＡＳの同期ソース情報）をＵＥに提供する。故に、ユニキャスト（マルチキャスト）伝送方式にある場合、ＵＥは、ＧＣＳ  ＡＳの同期ソース情報（又は、ＢＭ‐ＳＣの同期ソース情報）を取得できるのみならず、ＢＭ‐ＳＣの同期ソース情報（又は、ＧＣＳ  ＡＳの同期ソース情報）を取得することもできる。故に、ＵＥが現在ユニキャスト伝送方式にあるか、又はマルチキャスト伝送方式にあるかにかかわらず、ＵＥは、ＵＥの信頼リスト内に２つの同期ソース情報を保存できる。このように、ＲＴＰパケット伝送方式がユニキャスト方式とマルチキャスト方式との間で切り替えられた後、２つの同期ソース情報は、ＵＥの信頼リストに保存される。故に、切り替え後、ＧＣＳ  ＡＳがＲＴＰパケットを伝送するのか、又はＢＭ‐ＳＣがＲＴＰパケットを伝送するのかにかかわらず、ＵＥは、受信されたＲＴＰパケットを識別し、信頼することができ、これにより、ＲＴＰパケットを連続的に受信する。
【０２２１】
当業者ならば、本発明の実施形態が、方法、システム、又はコンピュータプログラム製品として提供されてよいことを理解すべきである。故に、本発明は、ハードウェアのみの実施形態、ソフトウェアのみの実施形態、又は、ソフトウェアとハードウェアとの組み合わせによる実施形態の形を使用してよい。その上、本発明は、コンピュータ利用可能プログラムコードを含む、（限定されないが、磁気ディスクメモリ、光メモリ、及び同様のものを含む）１又は複数のコンピュータ利用可能記憶媒体において実装されるコンピュータプログラム製品の形を使用してよい。
【０２２２】
本発明は、本発明の実施形態に係る方法のフローチャート及び／又はブロック図、デバイス、（システム）、及びコンピュータプログラム製品を参照して説明されている。コンピュータプログラム命令が、フローチャート及び／又はブロック図における各プロセス及び／又は各ブロック、並びに、フローチャート及び／又はブロック図におけるプロセス及び／又はブロックの組み合わせを実装するために使用されてよいことを理解されたい。これらのコンピュータプログラム命令は、汎用コンピュータ、専用コンピュータ、組み込みプロセッサ、又は別のプログラマブルデータ処理デバイスのプロセッサに提供されて機械を生成してよく、これにより、コンピュータ又は別のプログラマブルデータ処理デバイスのプロセッサによって実行される命令は、フローチャートにおける１又は複数のプロセス、及び／又はブロック図における１又は複数のブロックにおける特定の機能を実装するための装置を生成する。
【０２２３】
これらのコンピュータプログラム命令は、特定の方式で作動するようコンピュータ又は別のプログラマブルデータ処理デバイスに命令できるコンピュータ可読メモリに保存されてよく、これにより、コンピュータ可読メモリに保存された当該命令は、命令装置を含むアーティファクトを生成する。当該命令装置は、フローチャートにおける１又は複数のプロセス、及び／又はブロック図における１又は複数のブロックの特定の機能を実装する。
【０２２４】
これらのコンピュータプログラム命令はコンピュータ又は別のプログラマブルデータ処理デバイスにロードされてよく、これにより、一連のオペレーション及び段階がコンピュータ又は別のプログラマブルデバイスにおいて実行されて、コンピュータによって実装される処理が生成される。故に、コンピュータ又は別のプログラマブルデバイスにおいて実行される命令は、フローチャートにおける１又は複数のプロセス、及び／又はブロック図における１又は複数のブロックの特定の機能を実装するための段階を提供する。
【０２２５】
明らかに、当業者ならば、本発明の範囲から逸脱することなく本発明に対して様々な変形及び変更を施すことができる。このように、本発明は、これらの変形及び変更が本発明の以下の特許請求の範囲及びその均等技術によって規定される範囲に含まれるならば、それらを網羅するよう意図されている。
［項目１］
ブロードキャスト／マルチキャストサービスセンタＢＭ‐ＳＣの同期ソース情報をグループ通信サービスアプリケーションサーバＧＣＳ  ＡＳによって取得する段階と、
上記ＢＭ‐ＳＣの上記同期ソース情報又は上記ＢＭ‐ＳＣの同期ソース参照情報と、上記ＧＣＳ  ＡＳの同期ソース情報を含むリアルタイムトランスポートプロトコルＲＴＰパケットとを上記ＧＣＳ  ＡＳによってユーザ機器ＵＥに提供し、これにより、上記ＵＥが、上記ＢＭ‐ＳＣの上記同期ソース情報及び上記ＧＣＳ  ＡＳの上記同期ソース情報を取得し、上記ＵＥの信頼リストに保存する段階とを備え、
上記ＢＭ‐ＳＣの上記同期ソース参照情報は、上記ＢＭ‐ＳＣの上記同期ソース情報及び上記ＧＣＳ  ＡＳの上記同期ソース情報に従って決定される情報である、
ＲＴＰパケット伝送方法。
［項目２］
上記ＢＭ‐ＳＣの上記同期ソース情報又は上記ＢＭ‐ＳＣの同期ソース参照情報と、上記ＧＣＳ  ＡＳの同期ソース情報を含むＲＴＰパケットとを上記ＧＣＳ  ＡＳによってユーザ機器ＵＥに提供し、これにより、上記ＵＥが、上記ＢＭ‐ＳＣの上記同期ソース情報及び上記ＧＣＳ  ＡＳの上記同期ソース情報を取得し、上記ＵＥの信頼リストに保存する上記段階は、
上記ＢＭ‐ＳＣの上記同期ソース参照情報と、上記ＧＣＳ  ＡＳの上記同期ソース情報を含む上記ＲＴＰパケットとを上記ＧＣＳ  ＡＳによって上記ＵＥに提供し、これにより、上記ＵＥが、上記ＧＣＳ  ＡＳの上記同期ソース情報及び上記ＢＭ‐ＳＣの上記同期ソース参照情報に従って上記ＢＭ‐ＳＣの上記同期ソース情報を取得し、上記ＢＭ‐ＳＣの上記同期ソース情報及び上記ＧＣＳ  ＡＳの上記同期ソース情報を上記ＵＥの上記信頼リストに保存する段階を有する、項目１に記載の方法。
［項目３］
上記ＢＭ‐ＳＣの上記同期ソース情報は、上記ＢＭ‐ＳＣの同期ソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記ＢＭ‐ＳＣの上記同期ソース参照情報と、上記ＧＣＳ  ＡＳの上記同期ソース情報を含む上記ＲＴＰパケットとを上記ＧＣＳ  ＡＳによって上記ＵＥに提供する上記段階は、
上記ＢＭ‐ＳＣの上記同期ソース情報及び上記ＧＣＳ  ＡＳの上記同期ソース情報に従ってＲＴＰパケットシーケンス番号参照情報及びタイムスタンプ参照情報を上記ＧＣＳ  ＡＳによって決定する段階であって、上記ＲＴＰパケットシーケンス番号参照情報は、上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であり、上記タイムスタンプ参照情報は、上記ＢＭ‐ＳＣの上記タイムスタンプと上記ＧＣＳ  ＡＳの上記タイムスタンプとの差である、段階と、
上記ＢＭ‐ＳＣの上記ＳＳＲＣを含む、上記ＢＭ‐ＳＣの上記同期ソース参照情報と、上記ＲＴＰパケットシーケンス番号参照情報と、上記タイムスタンプ参照情報とを上記ＧＣＳ  ＡＳによって取得する段階とを含む、項目１又は２に記載の方法。
［項目４］
ブロードキャスト／マルチキャストサービスセンタＢＭ‐ＳＣの同期ソース情報をグループ通信サービスアプリケーションサーバＧＣＳ  ＡＳによって取得する上記段階は、
上記ＢＭ‐ＳＣによって送信されるアクティブなマルチメディアブロードキャストマルチキャストサービスＭＢＭＳ状態指示情報であって、上記ＢＭ‐ＳＣの上記同期ソース情報を含むアクティブなＭＢＭＳ状態指示情報を上記ＧＣＳ  ＡＳによって受信し、上記アクティブなＭＢＭＳ状態指示情報から上記ＢＭ‐ＳＣの上記同期ソース情報を取得する段階、又は、
上記ＢＭ‐ＳＣによって送信される上記ＢＭ‐ＳＣの上記同期ソース情報を上記ＧＣＳ  ＡＳによって受信する段階、又は、
上記ＢＭ‐ＳＣによって送信される、上記ＢＭ‐ＳＣの上記同期ソース情報を含むＲＴＰ制御プロトコルＲＴＣＰパケットを上記ＧＣＳ  ＡＳによって受信し、上記ＲＴＣＰパケットから上記ＢＭ‐ＳＣの上記同期ソース情報を取得する段階を有する、項目１から３の何れか一項に記載の方法。
［項目５］
上記ＢＭ‐ＳＣの上記同期ソース情報又は上記ＢＭ‐ＳＣの同期ソース参照情報と、上記ＧＣＳ  ＡＳの同期ソース情報を含むＲＴＰパケットとを上記ＧＣＳ  ＡＳによってユーザ機器ＵＥに提供する上記段階は、
セッション開始プロトコルＳＩＰ手順を使用することによってＳＩＰ情報を上記ＧＣＳ  ＡＳによって上記ＵＥに送信する段階であって、上記ＳＩＰ情報は、上記ＢＭ‐ＳＣの上記同期ソース情報又は上記ＢＭ‐ＳＣの上記同期ソース参照情報を含む、段階を有する、項目４に記載の方法。
［項目６］
上記ＢＭ‐ＳＣの上記同期ソース情報又は上記ＢＭ‐ＳＣの同期ソース参照情報と、上記ＧＣＳ  ＡＳの同期ソース情報を含むＲＴＰパケットとを上記ＧＣＳ  ＡＳによってユーザ機器ＵＥに提供する上記段階は、
上記ＲＴＰパケットを上記ＧＣＳ  ＡＳによって上記ＵＥに送信する段階であって、上記ＲＴＰパケットのパケットヘッダ情報は、上記ＢＭ‐ＳＣの上記同期ソース情報又は上記ＢＭ‐ＳＣの上記同期ソース参照情報を含み、上記パケットヘッダ情報は更に上記ＧＣＳ  ＡＳの上記同期ソース情報を含む、段階を有する、項目４に記載の方法。
［項目７］
グループ通信サービスアプリケーションサーバＧＣＳ  ＡＳの同期ソース情報をブロードキャスト／マルチキャストサービスセンタＢＭ‐ＳＣによって取得する段階と、
上記ＧＣＳ  ＡＳの上記同期ソース情報又は上記ＧＣＳ  ＡＳの同期ソース参照情報と、上記ＢＭ‐ＳＣの同期ソース情報を含むリアルタイムトランスポートプロトコルＲＴＰパケットとを上記ＢＭ‐ＳＣによってユーザ機器ＵＥに提供し、これにより、上記ＵＥが、上記ＢＭ‐ＳＣの上記同期ソース情報及び上記ＧＣＳ  ＡＳの上記同期ソース情報を取得し、上記ＵＥの信頼リストに保存する段階とを備え、
上記ＧＣＳ  ＡＳの上記同期ソース参照情報は、上記ＧＣＳ  ＡＳの上記同期ソース情報及び上記ＢＭ‐ＳＣの上記同期ソース情報に従って決定される情報である、
ＲＴＰパケット伝送方法。
［項目８］
上記ＧＣＳ  ＡＳの上記同期ソース情報又は上記ＧＣＳ  ＡＳの同期ソース参照情報と、上記ＢＭ‐ＳＣの同期ソース情報を含むＲＴＰパケットとを上記ＢＭ‐ＳＣによってユーザ機器ＵＥに提供し、これにより、上記ＵＥが、上記ＢＭ‐ＳＣの上記同期ソース情報及び上記ＧＣＳ  ＡＳの上記同期ソース情報を取得し、上記ＵＥの信頼リストに保存する上記段階は、
上記ＧＣＳ  ＡＳの上記同期ソース参照情報と、上記ＢＭ‐ＳＣの上記同期ソース情報を含む上記ＲＴＰパケットとを上記ＢＭ‐ＳＣによって上記ＵＥに提供し、これにより、上記ＵＥが、上記ＢＭ‐ＳＣの上記同期ソース情報及び上記ＧＣＳ  ＡＳの上記同期ソース参照情報に従って上記ＧＣＳ  ＡＳの上記同期ソース情報を取得し、上記ＢＭ‐ＳＣの上記同期ソース情報及び上記ＧＣＳ  ＡＳの上記同期ソース情報を上記ＵＥの上記信頼リストに保存する段階を有する、項目７に記載の方法。
［項目９］
上記ＢＭ‐ＳＣの上記同期ソース情報は、上記ＢＭ‐ＳＣの同期データソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記ＧＣＳ  ＡＳの上記同期ソース参照情報と、上記ＢＭ‐ＳＣの上記同期ソース情報を含む上記ＲＴＰパケットとを上記ＢＭ‐ＳＣによって上記ユーザ機器ＵＥに提供する上記段階は、
上記ＢＭ‐ＳＣの上記同期ソース情報及び上記ＧＣＳ  ＡＳの上記同期ソース情報に従ってＲＴＰパケットシーケンス番号参照情報及びタイムスタンプ参照情報を上記ＢＭ‐ＳＣによって決定する段階であって、上記ＲＴＰパケットシーケンス番号参照情報は、上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であり、上記タイムスタンプ参照情報は、上記ＢＭ‐ＳＣの上記タイムスタンプと上記ＧＣＳ  ＡＳの上記タイムスタンプとの差である、段階と、
上記ＧＣＳ  ＡＳの上記ＳＳＲＣを含む、上記ＧＣＳ  ＡＳの上記同期ソース参照情報と、上記ＲＴＰパケットシーケンス番号参照情報と、上記タイムスタンプ参照情報とを上記ＢＭ‐ＳＣによって取得する段階とを含む、項目７又は８に記載の方法。
［項目１０］
グループ通信サービスアプリケーションサーバＧＣＳ  ＡＳの同期ソース情報をブロードキャスト／マルチキャストサービスセンタＢＭ‐ＳＣによって取得する上記段階は、
上記ＧＣＳ  ＡＳによって送信されるＭＢＭＳベアラ要求情報であって、上記ＧＣＳ  ＡＳの上記同期ソース情報を含むＭＢＭＳベアラ要求情報を上記ＢＭ‐ＳＣによって受信し、上記ＭＢＭＳベアラ要求情報から上記ＧＣＳ  ＡＳの上記同期ソース情報を取得する段階、又は、
上記ＧＣＳ  ＡＳによって送信される、上記ＧＣＳ  ＡＳの上記同期ソース情報を含むＲＴＰパケットを上記ＢＭ‐ＳＣによって受信し、上記ＧＣＳ  ＡＳの上記同期ソース情報を含む上記ＲＴＰパケットから上記ＧＣＳ  ＡＳの上記同期ソース情報を取得する段階を有する、項目７から９の何れか一項に記載の方法。
［項目１１］
上記ＧＣＳ  ＡＳの上記同期ソース情報又は上記ＧＣＳ  ＡＳの同期ソース参照情報と、上記ＢＭ‐ＳＣの同期ソース情報を含むＲＴＰパケットとを上記ＢＭ‐ＳＣによってユーザ機器ＵＥに提供する上記段階は、
ユーザサービス記述ＵＳＤパラメータを上記ＢＭ‐ＳＣによって上記ＵＥに送信する段階であって、上記ＵＳＤパラメータは、上記ＧＣＳ  ＡＳの上記同期ソース情報又は上記ＧＣＳ  ＡＳの上記同期ソース参照情報を含む、段階を有する、項目１０に記載の方法。
［項目１２］
上記ＧＣＳ  ＡＳの上記同期ソース情報又は上記ＧＣＳ  ＡＳの同期ソース参照情報と、上記ＢＭ‐ＳＣの同期ソース情報を含むＲＴＰパケットとを上記ＢＭ‐ＳＣによってユーザ機器ＵＥに提供する上記段階は、
上記ＲＴＰパケットを上記ＢＭ‐ＳＣによって上記ＵＥに送信する段階であって、上記ＲＴＰパケットのユーザデータ又はパケットヘッダ情報は、上記ＧＣＳ  ＡＳの上記同期ソース情報又は上記ＧＣＳ  ＡＳの上記同期ソース参照情報を含み、上記パケットヘッダ情報は更に上記ＢＭ‐ＳＣの上記同期ソース情報を含む、段階を有する、項目１０に記載の方法。
［項目１３］
ユーザサービス記述ＵＳＤパラメータを上記ＢＭ‐ＳＣによって上記ＵＥに送信する上記段階は、
上記ＵＳＤパラメータを上記ＢＭ‐ＳＣによって上記ＧＣＳ  ＡＳに送信し、これにより、上記ＧＣＳ  ＡＳがユニキャスト伝送方式で上記ＵＳＤパラメータを上記ＵＥに送信する段階、又は、
上記ＵＳＤパラメータを上記ＢＭ‐ＳＣによって上記ＧＣＳ  ＡＳに送信し、これにより、上記ＧＣＳ  ＡＳがＳＩＰ手順を使用することによって上記ＵＳＤパラメータを上記ＵＥに送信する段階を含む、項目１１に記載の方法。
［項目１４］
第１ネットワーク側デバイスによって送信される第２ネットワーク側デバイスの同期ソース情報、又は第１ネットワーク側デバイスによって送信される第２ネットワーク側デバイスの同期ソース参照情報と、上記第１ネットワーク側デバイスによって送信される、上記第１ネットワーク側デバイスの同期ソース情報を含むリアルタイムトランスポートプロトコルＲＴＰパケットとをユーザ機器ＵＥによって受信して、上記第１ネットワーク側デバイスの上記同期ソース情報及び上記第２ネットワーク側デバイスの上記同期ソース情報を取得する段階と、
上記第１ネットワーク側デバイスの上記同期ソース情報及び上記第２ネットワーク側デバイスの上記同期ソース情報の両方を上記ＵＥによって上記ＵＥの信頼リストに保存する段階とを備え、
上記第２ネットワーク側デバイスの上記同期ソース参照情報は、上記第１ネットワーク側デバイスの上記同期ソース情報及び上記第２ネットワーク側デバイスの上記同期ソース情報に従って決定される情報であり、上記第１ネットワーク側デバイスはブロードキャスト／マルチキャストサービスセンタＢＭ‐ＳＣであって、上記第２ネットワーク側デバイスはグループ通信サービスアプリケーションサーバＧＣＳ  ＡＳであるか、又は、上記第１ネットワーク側デバイスはＧＣＳ  ＡＳであり、上記第２ネットワーク側デバイスはＢＭ‐ＳＣである、
同期ソース情報取得方法。
［項目１５］
第１ネットワーク側デバイスによって送信される第２ネットワーク側デバイスの同期ソース情報、又は第１ネットワーク側デバイスによって送信される第２ネットワーク側デバイスの同期ソース参照情報と、上記第１ネットワーク側デバイスによって送信される、上記第１ネットワーク側デバイスの同期ソース情報を含むリアルタイムトランスポートプロトコルＲＴＰパケットとをユーザ機器ＵＥによって受信して、上記第１ネットワーク側デバイスの上記同期ソース情報及び上記第２ネットワーク側デバイスの上記同期ソース情報を取得する上記段階は、
上記第１ネットワーク側デバイスの上記同期ソース情報を含む上記ＲＴＰパケットを上記ＵＥによって受信して、上記第１ネットワーク側デバイスの上記同期ソース情報及び上記第２ネットワーク側デバイスの上記同期ソース参照情報を取得する段階、及び、
上記第１ネットワーク側デバイスの上記同期ソース情報及び上記第２ネットワーク側デバイスの上記同期ソース参照情報に従って上記第２ネットワーク側デバイスの上記同期ソース情報を上記ＵＥによって決定する段階を有する、項目１４に記載の方法。
［項目１６］
上記第１ネットワーク側デバイスの上記同期ソース情報は、上記第１ネットワーク側デバイスのＳＳＲＣ、上記第１ネットワーク側デバイスによって送信されるＲＴＰパケットのシーケンス番号ＳＮ１０、及び上記第１ネットワーク側デバイスのタイムスタンプを含み、
上記第２ネットワーク側デバイスの上記同期ソース情報は、上記第２ネットワーク側デバイスのＳＳＲＣ、上記第２ネットワーク側デバイスによって送信されるＲＴＰパケットのシーケンス番号ＳＮ２０、及び上記第２ネットワーク側デバイスのタイムスタンプを含み、
上記第２ネットワーク側デバイスの上記同期ソース参照情報は、上記第２ネットワーク側デバイスの上記ＳＳＲＣ、ＲＴＰパケットシーケンス番号参照情報、及びタイムスタンプ参照情報を含み、上記ＲＴＰパケットシーケンス番号参照情報は、上記第１ネットワーク側デバイスによって送信される上記ＲＴＰパケットの上記シーケンス番号ＳＮ１０と、上記第２ネットワーク側デバイスによって送信される上記ＲＴＰパケットの上記シーケンス番号ＳＮ２０との差であり、上記タイムスタンプ参照情報は、上記第１ネットワーク側デバイスの上記タイムスタンプと上記第２ネットワーク側デバイスの上記タイムスタンプとの差であり、
上記第１ネットワーク側デバイスの上記同期ソース情報及び上記第２ネットワーク側デバイスの上記同期ソース参照情報に従って上記第２ネットワーク側デバイスの上記同期ソース情報を上記ＵＥによって決定する上記段階は、
上記第２ネットワーク側デバイスの上記同期ソース参照情報から上記第２ネットワーク側デバイスの上記ＳＳＲＣを上記ＵＥによって取得する段階と、
上記第２ネットワーク側デバイスの上記同期ソース参照情報内の上記ＲＴＰパケットシーケンス番号参照情報と、上記第１ネットワーク側デバイスによって送信される上記ＲＴＰパケットの上記シーケンス番号ＳＮ１０とに従って、上記第２ネットワーク側デバイスによって送信される上記ＲＴＰパケットの上記シーケンス番号ＳＮ２０を上記ＵＥによって決定する段階と、
上記第２ネットワーク側デバイスの上記同期ソース参照情報内の上記タイムスタンプ参照情報と、上記第１ネットワーク側デバイスの上記タイムスタンプとに従って、上記第２ネットワーク側デバイスの上記タイムスタンプを上記ＵＥによって決定する段階とを含む、項目１５に記載の方法。
［項目１７］
第１ネットワーク側デバイスによって送信される第２ネットワーク側デバイスの同期ソース情報、又は第１ネットワーク側デバイスによって送信される上記第２ネットワーク側デバイスの同期ソース参照情報を受信する上記段階は、
セッション開始プロトコルＳＩＰ手順を使用することによって上記第１ネットワーク側デバイスにより上記ＵＥに送信されるＳＩＰ情報を受信する段階であって、上記ＳＩＰ情報は、上記第２ネットワーク側デバイスの上記同期ソース情報、又は上記第２ネットワーク側デバイスの上記同期ソース参照情報を含み、上記第１ネットワーク側デバイスは上記ＧＣＳ  ＡＳであり、上記第２ネットワーク側デバイスは上記ＢＭ‐ＳＣである、段階、又は、
上記第１ネットワーク側デバイスによって送信される上記ＲＴＰパケットを受信する段階であって、上記ＲＴＰパケットのパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＧＣＳ  ＡＳであり、上記第２ネットワーク側デバイスは上記ＢＭ‐ＳＣである、段階、又は、
上記第１ネットワーク側デバイスによって送信されるユーザサービス記述ＵＳＤパラメータを受信する段階であって、上記ＵＳＤパラメータは、上記第２ネットワーク側デバイスの上記同期ソース情報又は上記第２ネットワーク側デバイスの上記同期ソース参照情報を含み、上記第１ネットワーク側デバイスは上記ＢＭ‐ＳＣであり、上記第２ネットワーク側デバイスは上記ＧＣＳ  ＡＳである、段階、又は、
上記第１ネットワーク側デバイスによって送信される上記ＲＴＰパケットを受信する段階であって、上記ＲＴＰパケットのユーザデータ又はパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＢＭ‐ＳＣであり、上記第２ネットワーク側デバイスは上記ＧＣＳ  ＡＳである、段階を有する、項目１５又は１６に記載の方法。
［項目１８］
ブロードキャスト／マルチキャストサービスセンタＢＭ‐ＳＣの同期ソース情報を取得するよう構成される第１の取得ユニットと、
上記ＢＭ‐ＳＣの上記同期ソース情報又は上記ＢＭ‐ＳＣの同期ソース参照情報と、グループ通信サービスアプリケーションサーバＧＣＳ  ＡＳの同期ソース情報を含むリアルタイムトランスポートプロトコルＲＴＰパケットとをユーザ機器ＵＥに提供するよう構成され、これにより、上記ＵＥが、上記ＢＭ‐ＳＣの上記同期ソース情報及び上記ＧＣＳ  ＡＳの上記同期ソース情報を取得し、上記ＵＥの信頼リストに保存する、第１の送信ユニットとを備え、
上記ＢＭ‐ＳＣの上記同期ソース参照情報は、上記ＢＭ‐ＳＣの上記同期ソース情報及び上記ＧＣＳ  ＡＳの上記同期ソース情報に従って決定される情報である、
ＲＴＰパケット伝送装置。
［項目１９］
上記第１の送信ユニットは、
上記ＢＭ‐ＳＣの上記同期ソース参照情報と、上記ＧＣＳ  ＡＳの上記同期ソース情報を含む上記ＲＴＰパケットとを上記ＵＥに提供するよう構成され、これにより、上記ＵＥは、上記ＧＣＳ  ＡＳの上記同期ソース情報及び上記ＢＭ‐ＳＣの上記同期ソース参照情報に従って上記ＢＭ‐ＳＣの上記同期ソース情報を取得し、上記ＢＭ‐ＳＣの上記同期ソース情報及び上記ＧＣＳ  ＡＳの上記同期ソース情報を上記ＵＥの上記信頼リストに保存する、項目１８に記載の装置。
［項目２０］
上記ＢＭ‐ＳＣの上記同期ソース情報は、上記ＢＭ‐ＳＣの同期データソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記第１の送信ユニットは、
上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であるＲＴＰパケットシーケンス番号参照情報と、上記ＢＭ‐ＳＣの上記タイムスタンプと上記ＧＣＳ  ＡＳの上記タイムスタンプとの差であるタイムスタンプ参照情報とを上記ＢＭ‐ＳＣの上記同期ソース情報及び上記ＧＣＳ  ＡＳの上記同期ソース情報に従って決定し、
上記ＢＭ‐ＳＣの上記ＳＳＲＣを含む、上記ＢＭ‐ＳＣの上記同期ソース参照情報と、上記ＲＴＰパケットシーケンス番号参照情報と、上記タイムスタンプ参照情報とを取得するよう構成される、項目１８又は１９に記載の装置。
［項目２１］
上記第１の取得ユニットは、
上記ＢＭ‐ＳＣによって送信されるアクティブなマルチメディアブロードキャストマルチキャストサービスＭＢＭＳ状態指示情報であって、上記ＢＭ‐ＳＣの上記同期ソース情報を含むアクティブなＭＢＭＳ状態指示情報を受信し、上記アクティブなＭＢＭＳ状態指示情報から上記ＢＭ‐ＳＣの上記同期ソース情報を取得する、又は、
上記ＢＭ‐ＳＣによって送信される上記ＢＭ‐ＳＣの上記同期ソース情報を受信する、又は、
上記ＢＭ‐ＳＣによって送信される、上記ＢＭ‐ＳＣの上記同期ソース情報を含むＲＴＰ制御プロトコルＲＴＣＰパケットを受信し、上記ＲＴＣＰパケットから上記ＢＭ‐ＳＣの上記同期ソース情報を取得するよう構成される、項目１８から２０の何れか一項に記載の装置。
［項目２２］
上記第１の送信ユニットは、
セッション開始プロトコルＳＩＰ手順を使用することによってＳＩＰ情報を上記ＵＥに送信するよう構成され、上記ＳＩＰ情報は、上記ＢＭ‐ＳＣの上記同期ソース情報又は上記ＢＭ‐ＳＣの上記同期ソース参照情報を含む、項目２１に記載の装置。
［項目２３］
上記第１の送信ユニットは、
上記ＲＴＰパケットを上記ＵＥに送信するよう構成され、上記ＲＴＰパケットのパケットヘッダ情報は、上記ＢＭ‐ＳＣの上記同期ソース情報又は上記ＢＭ‐ＳＣの上記同期ソース参照情報を含み、上記パケットヘッダ情報は更に上記ＧＣＳ  ＡＳの上記同期ソース情報を含む、項目２１に記載の装置。
［項目２４］
グループ通信サービスアプリケーションサーバＧＣＳ  ＡＳの同期ソース情報を取得するよう構成される第２の取得ユニットと、
上記ＧＣＳ  ＡＳの上記同期ソース情報又は上記ＧＣＳ  ＡＳの同期ソース参照情報と、ブロードキャスト／マルチキャストサービスセンタＢＭ‐ＳＣの同期ソース情報を含むリアルタイムトランスポートプロトコルＲＴＰパケットとをユーザ機器ＵＥに提供するよう構成され、これにより、上記ＵＥが、上記ＢＭ‐ＳＣの上記同期ソース情報及び上記ＧＣＳ  ＡＳの上記同期ソース情報を取得し、上記ＵＥの信頼リストに保存する、第２の送信ユニットとを備え、
上記ＧＣＳ  ＡＳの上記同期ソース参照情報は、上記ＧＣＳ  ＡＳの上記同期ソース情報及び上記ＢＭ‐ＳＣの上記同期ソース情報に従って決定される情報である、
ＲＴＰパケット伝送装置。
［項目２５］
上記第２の送信ユニットは、
上記ＧＣＳ  ＡＳの上記同期ソース参照情報と、上記ＢＭ‐ＳＣの上記同期ソース情報を含む上記ＲＴＰパケットとを上記ＵＥに提供するよう構成され、これにより、上記ＵＥは、上記ＢＭ‐ＳＣの上記同期ソース情報及び上記ＧＣＳ  ＡＳの上記同期ソース参照情報に従って上記ＧＣＳ  ＡＳの上記同期ソース情報を取得し、上記ＢＭ‐ＳＣの上記同期ソース情報及び上記ＧＣＳ  ＡＳの上記同期ソース情報を上記ＵＥの上記信頼リストに保存する、項目２４に記載の装置。
［項目２６］
上記ＢＭ‐ＳＣの上記同期ソース情報は、上記ＢＭ‐ＳＣの同期データソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記第２の送信ユニットは、
上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であるＲＴＰパケットシーケンス番号参照情報と、上記ＢＭ‐ＳＣの上記タイムスタンプと上記ＧＣＳ  ＡＳの上記タイムスタンプとの差であるタイムスタンプ参照情報とを上記ＢＭ‐ＳＣの上記同期ソース情報及び上記ＧＣＳ  ＡＳの上記同期ソース情報に従って決定し、
上記ＧＣＳ  ＡＳの上記ＳＳＲＣを含む、上記ＧＣＳ  ＡＳの上記同期ソース参照情報と、上記ＲＴＰパケットシーケンス番号参照情報と、上記タイムスタンプ参照情報とを取得するよう構成される、項目２４又は２５に記載の装置。
［項目２７］
上記第２の取得ユニットは、
上記ＧＣＳ  ＡＳによって送信されるＭＢＭＳベアラ要求情報であって、上記ＧＣＳ  ＡＳの上記同期ソース情報を含むＭＢＭＳベアラ要求情報を受信し、上記ＭＢＭＳベアラ要求情報から上記ＧＣＳ  ＡＳの上記同期ソース情報を取得する、又は、
上記ＧＣＳ  ＡＳによって送信される、上記ＧＣＳ  ＡＳの上記同期ソース情報を含むＲＴＰパケットを受信し、上記ＧＣＳ  ＡＳの上記同期ソース情報を含む上記ＲＴＰパケットから上記ＧＣＳ  ＡＳの上記同期ソース情報を取得するよう構成される、項目２６に記載の装置。
［項目２８］
上記第２の送信ユニットは、
ユーザサービス記述ＵＳＤパラメータを上記ＵＥに送信するよう構成され、上記ＵＳＤパラメータは、上記ＧＣＳ  ＡＳの上記同期ソース情報又は上記ＧＣＳ  ＡＳの上記同期ソース参照情報を含む、項目２７に記載の装置。
［項目２９］
上記第２の送信ユニットは、
上記ＲＴＰパケットを上記ＵＥに送信するよう構成され、上記ＲＴＰパケットのユーザデータ又はパケットヘッダ情報は、上記ＧＣＳ  ＡＳの上記同期ソース情報又は上記ＧＣＳ  ＡＳの上記同期ソース参照情報を含み、上記パケットヘッダ情報は更に上記ＢＭ‐ＳＣの上記同期ソース情報を含む、項目２７に記載の装置。
［項目３０］
上記第２の送信ユニットは、
上記ＵＳＤパラメータを上記ＧＣＳ  ＡＳに送信するよう構成され、これにより、上記ＧＣＳ  ＡＳがユニキャスト伝送方式で上記ＵＳＤパラメータを上記ＵＥに送信する、又は、
上記ＵＳＤパラメータを上記ＧＣＳ  ＡＳに送信するよう構成され、これにより、上記ＧＣＳ  ＡＳがＳＩＰ手順を使用することによって上記ＵＳＤパラメータを上記ＵＥに送信する、項目２８に記載の装置。
［項目３１］
第１ネットワーク側デバイスによって送信される第２ネットワーク側デバイスの同期ソース情報、又は第１ネットワーク側デバイスによって送信される第２ネットワーク側デバイスの同期ソース参照情報と、上記第１ネットワーク側デバイスによって送信される、上記第１ネットワーク側デバイスの同期ソース情報を含むリアルタイムトランスポートプロトコルＲＴＰパケットとを受信して、上記第１ネットワーク側デバイスの上記同期ソース情報及び上記第２ネットワーク側デバイスの上記同期ソース情報を取得するよう構成される第３の取得ユニットと、
上記第１ネットワーク側デバイスの上記同期ソース情報及び上記第２ネットワーク側デバイスの上記同期ソース情報の両方を上記ＵＥの信頼リストに保存するよう構成されるストレージユニットとを備え、
上記第２ネットワーク側デバイスの上記同期ソース参照情報は、上記第１ネットワーク側デバイスの上記同期ソース情報及び上記第２ネットワーク側デバイスの上記同期ソース情報に従って決定される情報であって、上記第１ネットワーク側デバイスはブロードキャスト／マルチキャストサービスセンタＢＭ‐ＳＣであり、上記第２ネットワーク側デバイスはグループ通信サービスアプリケーションサーバＧＣＳ  ＡＳであるか、又は、上記第１ネットワーク側デバイスはＧＣＳ  ＡＳであり、上記第２ネットワーク側デバイスはＢＭ‐ＳＣである、
同期ソース情報取得装置。
［項目３２］
上記第３の取得ユニットは、
上記第１ネットワーク側デバイスの上記同期ソース情報を含む上記ＲＴＰパケットを受信して、上記第１ネットワーク側デバイスの上記同期ソース情報及び上記第２ネットワーク側デバイスの上記同期ソース参照情報を取得し、
上記第１ネットワーク側デバイスの上記同期ソース情報及び上記第２ネットワーク側デバイスの上記同期ソース参照情報に従って上記第２ネットワーク側デバイスの上記同期ソース情報を決定するよう構成される、項目３１に記載の装置。
［項目３３］
上記第１ネットワーク側デバイスの上記同期ソース情報は、上記第１ネットワーク側デバイスのＳＳＲＣ、上記第１ネットワーク側デバイスによって送信されるＲＴＰパケットのシーケンス番号ＳＮ１０、及び上記第１ネットワーク側デバイスのタイムスタンプを含み、
上記第２ネットワーク側デバイスの上記同期ソース情報は、上記第２ネットワーク側デバイスのＳＳＲＣ、上記第２ネットワーク側デバイスによって送信されるＲＴＰパケットのシーケンス番号ＳＮ２０、及び上記第２ネットワーク側デバイスのタイムスタンプを含み、
上記第２ネットワーク側デバイスの上記同期ソース参照情報は、上記第２ネットワーク側デバイスの上記ＳＳＲＣ、ＲＴＰパケットシーケンス番号参照情報、及びタイムスタンプ参照情報を含み、上記ＲＴＰパケットシーケンス番号参照情報は、上記第１ネットワーク側デバイスによって送信される上記ＲＴＰパケットの上記シーケンス番号ＳＮ１０と、上記第２ネットワーク側デバイスによって送信される上記ＲＴＰパケットの上記シーケンス番号ＳＮ２０との差であり、上記タイムスタンプ参照情報は、上記第１ネットワーク側デバイスの上記タイムスタンプと上記第２ネットワーク側デバイスの上記タイムスタンプとの差であり、
上記第３の取得ユニットは、
上記第２ネットワーク側デバイスの上記同期ソース参照情報から上記第２ネットワーク側デバイスの上記ＳＳＲＣを取得し、
上記第２ネットワーク側デバイスの上記同期ソース参照情報内の上記ＲＴＰパケットシーケンス番号参照情報と、上記第１ネットワーク側デバイスによって送信される上記ＲＴＰパケットの上記シーケンス番号ＳＮ１０とに従って、上記第２ネットワーク側デバイスによって送信される上記ＲＴＰパケットの上記シーケンス番号ＳＮ２０を決定し、
上記第２ネットワーク側デバイスの上記同期ソース参照情報内の上記タイムスタンプ参照情報と、上記第１ネットワーク側デバイスの上記タイムスタンプとに従って、上記第２ネットワーク側デバイスの上記タイムスタンプを決定するよう構成される、項目３２に記載の装置。
［項目３４］
上記第３の取得ユニットは、
セッション開始プロトコルＳＩＰ手順を使用することによって上記第１ネットワーク側デバイスにより上記ＵＥに送信されるＳＩＰ情報を受信するよう構成され、上記ＳＩＰ情報は、上記第２ネットワーク側デバイスの上記同期ソース情報又は上記第２ネットワーク側デバイスの上記同期ソース参照情報を含み、上記第１ネットワーク側デバイスは上記ＧＣＳ  ＡＳであり、上記第２ネットワーク側デバイスは上記ＢＭ‐ＳＣである、又は、
上記第１ネットワーク側デバイスによって送信される上記ＲＴＰパケットを受信するよう構成され、上記ＲＴＰパケットのパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＧＣＳ  ＡＳであり、上記第２ネットワーク側デバイスは上記ＢＭ‐ＳＣである、又は、
上記第１ネットワーク側デバイスによって送信されるユーザサービス記述ＵＳＤパラメータを受信するよう構成され、上記ＵＳＤパラメータは、上記第２ネットワーク側デバイスの上記同期ソース情報又は上記第２ネットワーク側デバイスの上記同期ソース参照情報を含み、上記第１ネットワーク側デバイスは上記ＢＭ‐ＳＣであり、上記第２ネットワーク側デバイスは上記ＧＣＳ  ＡＳである、又は、
上記第１ネットワーク側デバイスによって送信される上記ＲＴＰパケットを受信するよう構成され、上記ＲＴＰパケットのユーザデータ又はパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＢＭ‐ＳＣであり、上記第２ネットワーク側デバイスは上記ＧＣＳ  ＡＳである、項目３２又は３３に記載の装置。
［項目３５］
グループ通信サービスアプリケーションサーバＧＣＳ  ＡＳであって、
ブロードキャスト／マルチキャストサービスセンタＢＭ‐ＳＣの同期ソース情報を取得するよう構成される受信機と、
上記ＢＭ‐ＳＣの上記同期ソース情報又は上記ＢＭ‐ＳＣの同期ソース参照情報と、上記ＧＣＳ  ＡＳの同期ソース情報を含むＲＴＰパケットとをユーザ機器ＵＥに提供するよう構成され、これにより、上記ＵＥが、上記ＢＭ‐ＳＣの上記同期ソース情報及び上記ＧＣＳ  ＡＳの上記同期ソース情報を取得し、上記ＵＥの信頼リストに保存する、送信機とを備え、
上記ＢＭ‐ＳＣの上記同期ソース参照情報は、上記ＢＭ‐ＳＣの上記同期ソース情報及び上記ＧＣＳ  ＡＳの上記同期ソース情報に従って決定される情報である、
ＧＣＳ  ＡＳ。
［項目３６］
上記送信機は、
上記ＢＭ‐ＳＣの上記同期ソース参照情報と、上記ＧＣＳ  ＡＳの上記同期ソース情報を含む上記ＲＴＰパケットとを上記ＵＥに提供するよう構成され、これにより、上記ＵＥは、上記ＧＣＳ  ＡＳの上記同期ソース情報及び上記ＢＭ‐ＳＣの上記同期ソース参照情報に従って上記ＢＭ‐ＳＣの上記同期ソース情報を取得し、上記ＢＭ‐ＳＣの上記同期ソース情報及び上記ＧＣＳ  ＡＳの上記同期ソース情報を上記ＵＥの上記信頼リストに保存する、項目３５に記載のＧＣＳ  ＡＳ。
［項目３７］
上記ＢＭ‐ＳＣの上記同期ソース情報は、上記ＢＭ‐ＳＣの同期データソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記ＧＣＳ  ＡＳは更にプロセッサを備え、上記プロセッサは、
上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であるＲＴＰパケットシーケンス番号参照情報と、上記ＢＭ‐ＳＣの上記タイムスタンプと上記ＧＣＳ  ＡＳの上記タイムスタンプとの差であるタイムスタンプ参照情報とを上記ＢＭ‐ＳＣの上記同期ソース情報及び上記ＧＣＳ  ＡＳの上記同期ソース情報とに従って決定し、
上記ＢＭ‐ＳＣの上記ＳＳＲＣを含む、上記ＢＭ‐ＳＣの上記同期ソース参照情報と、上記ＲＴＰパケットシーケンス番号参照情報と、上記タイムスタンプ参照情報とを取得するよう構成される、項目３５又は３６に記載のＧＣＳ  ＡＳ。
［項目３８］
上記受信機は、上記ＢＭ‐ＳＣによって送信されるアクティブなマルチメディアブロードキャストマルチキャストサービスＭＢＭＳ状態指示情報を受信するよう構成され、上記アクティブなＭＢＭＳ状態指示情報は、上記ＢＭ‐ＳＣの上記同期ソース情報を含み、上記プロセッサは、上記アクティブなＭＢＭＳ状態指示情報から上記ＢＭ‐ＳＣの上記同期ソース情報を取得するよう構成される、又は、
上記受信機は、上記ＢＭ‐ＳＣによって送信される上記ＢＭ‐ＳＣの上記同期ソース情報を受信するよう構成される、又は、
上記受信機は、上記ＢＭ‐ＳＣによって送信される、上記ＢＭ‐ＳＣの上記同期ソース情報を含むＲＴＰ制御プロトコルＲＴＣＰパケットを受信するよう構成され、上記プロセッサは、上記ＲＴＣＰパケットから上記ＢＭ‐ＳＣの上記同期ソース情報を取得するよう構成される、項目３５から３７の何れか一項に記載のＧＣＳ  ＡＳ。
［項目３９］
上記送信機は、
セッション開始プロトコルＳＩＰ手順を使用することによってＳＩＰ情報を上記ＵＥに送信するよう構成され、上記ＳＩＰ情報は、上記ＢＭ‐ＳＣの上記同期ソース情報又は上記ＢＭ‐ＳＣの上記同期ソース参照情報を含む、項目３８に記載のＧＣＳ  ＡＳ。
［項目４０］
上記送信機は、
上記ＲＴＰパケットを上記ＵＥに送信するよう構成され、上記ＲＴＰパケットのパケットヘッダ情報は、上記ＢＭ‐ＳＣの上記同期ソース情報又は上記ＢＭ‐ＳＣの上記同期ソース参照情報を含み、上記パケットヘッダ情報は更に上記ＧＣＳ  ＡＳの上記同期ソース情報を含む、項目３８に記載のＧＣＳ  ＡＳ。
［項目４１］
ブロードキャスト／マルチキャストサービスセンタＢＭ‐ＳＣであって、
グループ通信サービスアプリケーションサーバＧＣＳ  ＡＳの同期ソース情報を取得するよう構成される受信機と、
上記ＧＣＳ  ＡＳの上記同期ソース情報又は上記ＧＣＳ  ＡＳの同期ソース参照情報と、上記ＢＭ‐ＳＣの同期ソース情報を含むＲＴＰパケットとをユーザ機器ＵＥに提供するよう構成され、これにより、上記ＵＥが、上記ＢＭ‐ＳＣの上記同期ソース情報及び上記ＧＣＳ  ＡＳの上記同期ソース情報を取得し、上記ＵＥの信頼リストに保存する、送信機とを備え、
上記ＧＣＳ  ＡＳの上記同期ソース参照情報は、上記ＧＣＳ  ＡＳの上記同期ソース情報及び上記ＢＭ‐ＳＣの上記同期ソース情報に従って決定される情報である、
ＢＭ‐ＳＣ。
［項目４２］
上記送信機は、
上記ＧＣＳ  ＡＳの上記同期ソース参照情報と、上記ＢＭ‐ＳＣの上記同期ソース情報を含む上記ＲＴＰパケットとを上記ＵＥに提供するよう構成され、これにより、上記ＵＥは、上記ＢＭ‐ＳＣの上記同期ソース情報及び上記ＧＣＳ  ＡＳの上記同期ソース参照情報に従って上記ＧＣＳ  ＡＳの上記同期ソース情報を取得し、上記ＢＭ‐ＳＣの上記同期ソース情報及び上記ＧＣＳ  ＡＳの上記同期ソース情報を上記ＵＥの上記信頼リストに保存する、項目４１に記載のＢＭ‐ＳＣ。
［項目４３］
上記ＢＭ‐ＳＣの上記同期ソース情報は、上記ＢＭ‐ＳＣの同期データソース識別子ＳＳＲＣ、上記ＢＭ‐ＳＣによって送信されるＲＴＰパケットのシーケンス番号ＳＮ１０、及び上記ＢＭ‐ＳＣのタイムスタンプを含み、
上記ＧＣＳ  ＡＳの上記同期ソース情報は、上記ＧＣＳ  ＡＳのＳＳＲＣ、上記ＧＣＳ  ＡＳによって送信されるＲＴＰパケットのシーケンス番号ＳＮ２０、及び上記ＧＣＳ  ＡＳのタイムスタンプを含み、
上記ＢＭ‐ＳＣは更にプロセッサを備え、上記プロセッサは、
上記ＢＭ‐ＳＣによって送信される上記ＲＴＰパケットの上記シーケンス番号ＳＮ１０と、上記ＧＣＳ  ＡＳによって送信される上記ＲＴＰパケットの上記シーケンス番号ＳＮ２０との差であるＲＴＰパケットシーケンス番号参照情報と、上記ＢＭ‐ＳＣの上記タイムスタンプと上記ＧＣＳ  ＡＳの上記タイムスタンプとの差であるタイムスタンプ参照情報とを上記ＢＭ‐ＳＣの上記同期ソース情報及び上記ＧＣＳ  ＡＳの上記同期ソース情報に従って決定し、
上記ＧＣＳ  ＡＳの上記ＳＳＲＣを含む、上記ＧＣＳ  ＡＳの上記同期ソース参照情報と、上記ＲＴＰパケットシーケンス番号参照情報と、上記タイムスタンプ参照情報とを取得するよう構成される、項目４１又は４２に記載のＢＭ‐ＳＣ。
［項目４４］
上記受信機は、上記ＧＣＳ  ＡＳによって送信されるＭＢＭＳベアラ要求情報であって、上記ＧＣＳ  ＡＳの上記同期ソース情報を含むＭＢＭＳベアラ要求情報を受信するよう構成され、上記プロセッサは、上記ＭＢＭＳベアラ要求情報から上記ＧＣＳ  ＡＳの上記同期ソース情報を取得するよう構成される、又は、
上記受信機は、上記ＧＣＳ  ＡＳによって送信される、上記ＧＣＳ  ＡＳの上記同期ソース情報を含むＲＴＰパケットを受信するよう構成され、上記プロセッサは、上記ＧＣＳ  ＡＳの上記同期ソース情報を含む上記ＲＴＰパケットから上記ＧＣＳ  ＡＳの上記同期ソース情報を取得するよう構成される、項目４１から４３の何れか一項に記載のＢＭ‐ＳＣ。
［項目４５］
上記送信機は、
ユーザサービス記述ＵＳＤパラメータを上記ＵＥに送信するよう構成され、上記ＵＳＤパラメータは、上記ＧＣＳ  ＡＳの上記同期ソース情報又は上記ＧＣＳ  ＡＳの上記同期ソース参照情報を含む、項目４４に記載のＢＭ‐ＳＣ。
［項目４６］
上記送信機は、
上記ＲＴＰパケットを上記ＵＥに送信するよう構成され、上記ＲＴＰパケットのユーザデータ又はパケットヘッダ情報は、上記ＧＣＳ  ＡＳの上記同期ソース情報又は上記ＧＣＳ  ＡＳの上記同期ソース参照情報を含み、上記パケットヘッダ情報は更に上記ＢＭ‐ＳＣの上記同期ソース情報を含む、項目４４に記載のＢＭ‐ＳＣ。
［項目４７］
上記送信機は、
上記ＵＳＤパラメータを上記ＧＣＳ  ＡＳに送信するよう構成され、これにより、上記ＧＣＳ  ＡＳがユニキャスト伝送方式で上記ＵＳＤパラメータを上記ＵＥに送信する、又は、
上記ＵＳＤパラメータを上記ＧＣＳ  ＡＳに送信するよう構成され、これにより、上記ＧＣＳ  ＡＳがＳＩＰ手順を使用することによって上記ＵＳＤパラメータを上記ＵＥに送信する、項目４５に記載のＢＭ‐ＳＣ。
［項目４８］
第１ネットワーク側デバイスによって送信される第２ネットワーク側デバイスの同期ソース情報、又は第１ネットワーク側デバイスによって送信される第２ネットワーク側デバイスの同期ソース参照情報と、上記第１ネットワーク側デバイスによって送信される、上記第１ネットワーク側デバイスの同期ソース情報を含むリアルタイムトランスポートプロトコルＲＴＰパケットとを受信するよう構成される受信機と、
上記第１ネットワーク側デバイスの上記同期ソース情報及び上記第２ネットワーク側デバイスの上記同期ソース情報を取得し、上記第１ネットワーク側デバイスの上記同期ソース情報及び上記第２ネットワーク側デバイスの上記同期ソース情報の両方を上記ＵＥの信頼リストに保存するよう構成されるプロセッサとを備え、
上記第２ネットワーク側デバイスの上記同期ソース参照情報は、上記第１ネットワーク側デバイスの上記同期ソース情報及び上記第２ネットワーク側デバイスの上記同期ソース情報に従って決定される情報であって、上記第１ネットワーク側デバイスはブロードキャスト／マルチキャストサービスセンタＢＭ‐ＳＣであり、上記第２ネットワーク側デバイスはグループ通信サービスアプリケーションサーバＧＣＳ  ＡＳであるか、又は、上記第１ネットワーク側デバイスはＧＣＳ  ＡＳであり、上記第２ネットワーク側デバイスはＢＭ‐ＳＣである、
ユーザ機器ＵＥ。
［項目４９］
上記プロセッサは、
上記第１ネットワーク側デバイスの上記同期ソース情報を含む上記受信されたＲＴＰパケットを使用することによって上記第１ネットワーク側デバイスの上記同期ソース情報及び上記第２ネットワーク側デバイスの上記同期ソース参照情報を取得し、
上記第１ネットワーク側デバイスの上記同期ソース情報及び上記第２ネットワーク側デバイスの上記同期ソース参照情報に従って上記第２ネットワーク側デバイスの上記同期ソース情報を決定するよう構成される、項目４８に記載のＵＥ。
［項目５０］
上記第１ネットワーク側デバイスの上記同期ソース情報は、上記第１ネットワーク側デバイスのＳＳＲＣ、上記第１ネットワーク側デバイスによって送信されるＲＴＰパケットのシーケンス番号ＳＮ１０、及び上記第１ネットワーク側デバイスのタイムスタンプを含み、
上記第２ネットワーク側デバイスの上記同期ソース情報は、上記第２ネットワーク側デバイスのＳＳＲＣ、上記第２ネットワーク側デバイスによって送信されるＲＴＰパケットのシーケンス番号ＳＮ２０、及び上記第２ネットワーク側デバイスのタイムスタンプを含み、
上記第２ネットワーク側デバイスの上記同期ソース参照情報は、上記第２ネットワーク側デバイスの上記ＳＳＲＣ、ＲＴＰパケットシーケンス番号参照情報、及びタイムスタンプ参照情報を含み、上記ＲＴＰパケットシーケンス番号参照情報は、上記第１ネットワーク側デバイスによって送信される上記ＲＴＰパケットの上記シーケンス番号ＳＮ１０と、上記第２ネットワーク側デバイスによって送信される上記ＲＴＰパケットの上記シーケンス番号ＳＮ２０との差であり、上記タイムスタンプ参照情報は、上記第１ネットワーク側デバイスの上記タイムスタンプと上記第２ネットワーク側デバイスの上記タイムスタンプとの差であり、
上記プロセッサは、
上記第２ネットワーク側デバイスの上記同期ソース参照情報から上記第２ネットワーク側デバイスの上記ＳＳＲＣを取得し、
上記第２ネットワーク側デバイスの上記同期ソース参照情報内の上記ＲＴＰパケットシーケンス番号参照情報と、上記第１ネットワーク側デバイスによって送信される上記ＲＴＰパケットの上記シーケンス番号ＳＮ１０とに従って、上記第２ネットワーク側デバイスによって送信される上記ＲＴＰパケットの上記シーケンス番号ＳＮ２０を決定し、
上記第２ネットワーク側デバイスの上記同期ソース参照情報内の上記タイムスタンプ参照情報と、上記第１ネットワーク側デバイスの上記タイムスタンプとに従って、上記第２ネットワーク側デバイスの上記タイムスタンプを決定するよう構成される、項目４９に記載のＵＥ。
［項目５１］
上記受信機は、
セッション開始プロトコルＳＩＰ手順を使用することによって上記第１ネットワーク側デバイスにより上記ＵＥに送信されるＳＩＰ情報を受信するよう構成され、上記ＳＩＰ情報は、上記第２ネットワーク側デバイスの上記同期ソース情報又は上記第２ネットワーク側デバイスの上記同期ソース参照情報を含み、上記第１ネットワーク側デバイスは上記ＧＣＳ  ＡＳであり、上記第２ネットワーク側デバイスは上記ＢＭ‐ＳＣである、又は、
上記第１ネットワーク側デバイスによって送信される上記ＲＴＰパケットを受信するよう構成され、上記ＲＴＰパケットのパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＧＣＳ  ＡＳであり、上記第２ネットワーク側デバイスは上記ＢＭ‐ＳＣである、又は、
上記第１ネットワーク側デバイスによって送信されるユーザサービス記述ＵＳＤパラメータを受信するよう構成され、上記ＵＳＤパラメータは、上記第２ネットワーク側デバイスの上記同期ソース情報又は上記第２ネットワーク側デバイスの上記同期ソース参照情報を含み、上記第１ネットワーク側デバイスは上記ＢＭ‐ＳＣであり、上記第２ネットワーク側デバイスは上記ＧＣＳ  ＡＳである、又は、
上記第１ネットワーク側デバイスによって送信される上記ＲＴＰパケットを受信するよう構成され、上記ＲＴＰパケットのユーザデータ又はパケットヘッダ情報は、上記第２ネットワーク側デバイスの上記同期ソース情報又は上記第２ネットワーク側デバイスの上記同期ソース参照情報を含み、上記パケットヘッダ情報は更に上記第１ネットワーク側デバイスの上記同期ソース情報を含み、上記第１ネットワーク側デバイスは上記ＢＭ‐ＳＣであり、上記第２ネットワーク側デバイスは上記ＧＣＳ  ＡＳである、項目４９又は５０に記載のＵＥ。
【図１】
0006478359.tif 000002
【図２】
0006478359.tif 000003
【図３】
0006478359.tif 000004
【図４】
0006478359.tif 000005
【図５】
0006478359.tif 000006
【図６】
0006478359.tif 000007
【図７】
0006478359.tif 000008
【図８】
0006478359.tif 000009
【図９】
0006478359.tif 000010
【図１０】
0006478359.tif 000011